(57)【要約】      （修正有）【課題】クラウドアプリケーションの冗長化のための方法、システム、および装置を提供する。【解決手段】要冗長化クラウドアプリケーションの稼働サイトにおいて使用されているソース仮想マシンに関する情報およびソースネットワークを含む第1のディスクリプション情報を取得し、第1のディスクリプション情報に基づいて、冗長サイトにある要冗長化クラウドアプリケーションのデプロイメントに関する全ディスクリプションを付与する第2のディスクリプション情報を生成する。冗長サイトは、第2のディスクリプション情報を取得して冗長サイトにある要冗長化クラウドアプリケーションを復旧することが可能であり、それによりクラウドアプリケーションに基づいた冗長化を実施する。仮想マシン単位に冗長化したクラウドアプリケーションに対し、アプリケーションレベルで冗長化に関する設定および復旧を実施することで、完全かつ迅速な復旧を行う。【選択図】図２
2018077880.tif 000002
【特許請求の範囲】
【請求項１】
クラウドアプリケーションの冗長化のための方法であって、
要冗長化クラウドアプリケーションの第1のディスクリプション情報であって、前記要冗長化クラウドアプリケーションによって稼働サイトにおいて使用されているソースネットワークに関する情報および前記要冗長化クラウドアプリケーションによって前記稼働サイトにおいて使用されているソース仮想マシンに関する情報を含む、第1のディスクリプション情報を取得するステップと、
前記第1のディスクリプション情報に従って、前記要冗長化クラウドアプリケーションの第2のディスクリプション情報であって、前記要冗長化クラウドアプリケーションによって冗長サイトにおいて使用されているバックアップネットワークに関する情報および前記要冗長化クラウドアプリケーションによって前記冗長サイトにおいて使用されているバックアップ仮想マシンに関する情報を含む、第2のディスクリプション情報を生成するステップと、
前記冗長サイトが前記第2のディスクリプション情報に従って前記要冗長化クラウドアプリケーションを復旧することができるように、前記冗長サイトに前記第2のディスクリプション情報を提供するステップとを含む、方法。
【請求項２】
前記要冗長化クラウドアプリケーションによって前記稼働サイトにおいて使用されている前記ソース仮想マシンに関する前記情報は、前記ソース仮想マシンの識別子および仕様、前記ソース仮想マシンによって前記稼働サイトにおいて占有されている第1のストレージユニットに関する情報、ならびに前記ソース仮想マシンのホームネットワークに関する情報を含み、
前記要冗長化クラウドアプリケーションによって前記冗長サイトにおいて使用されている前記バックアップ仮想マシンに関する前記情報は、前記バックアップ仮想マシンの識別子および仕様、前記バックアップ仮想マシンによって前記冗長サイトにおいて占有されている第2のストレージユニットに関する情報、ならびに前記バックアップ仮想マシンのホームネットワークに関する情報を含む、請求項1に記載の方法。
【請求項３】
前記第1のディスクリプション情報に従って前記要冗長化クラウドアプリケーションの前記第2のディスクリプション情報を生成するステップは、
前記ソース仮想マシンの前記識別子および前記仕様に従って前記バックアップ仮想マシンの前記識別子および前記仕様を決定するステップと、
前記第1のストレージユニットに関する前記情報に従って前記第2のストレージユニットに関する前記情報を決定するステップと、
前記ソースネットワークに関する前記情報に従って前記要冗長化クラウドアプリケーションのために前記バックアップネットワークに関する前記情報を構成するステップと、
前記バックアップネットワークに関する前記情報、前記バックアップ仮想マシンの前記識別子、および前記ソース仮想マシンの前記ホームネットワークに関する前記情報に従って前記バックアップ仮想マシンの前記ホームネットワークに関する前記情報を決定するステップとを含む、請求項2に記載の方法。
【請求項４】
前記ソース仮想マシンの前記ホームネットワークに関する前記情報は、前記ソース仮想マシンの仮想ネットワークアダプタと前記ソースネットワークとの間の関連付けを含み、
前記バックアップ仮想マシンの前記ホームネットワークに関する前記情報は、前記バックアップ仮想マシンの仮想ネットワークアダプタと前記バックアップネットワークとの間の関連付けを含む、請求項2または3に記載の方法。
【請求項５】
前記ソース仮想マシンの前記ホームネットワークに関する前記情報は、前記ソース仮想マシンの仮想ネットワークアダプタのネットワークアドレスを含み、
前記バックアップ仮想マシンの前記ホームネットワークに関する前記情報は、前記バックアップ仮想マシンの仮想ネットワークアダプタのネットワークアドレスを含む、請求項2または3に記載の方法。
【請求項６】
前記バックアップ仮想マシンの前記ホームネットワークに関する前記情報を決定するステップの後に、前記方法は、
前記バックアップ仮想マシンの前記仮想ネットワークアダプタの前記ネットワークアドレスおよび前記バックアップネットワークに関する前記情報に従って前記バックアップ仮想マシンの前記仮想ネットワークアダプタと前記バックアップネットワークとの間の関連付けを決定するステップをさらに含み、
前記第2のディスクリプション情報は、前記バックアップ仮想マシンの前記仮想ネットワークアダプタと前記バックアップネットワークとの間の前記関連付けをさらに含む、請求項5に記載の方法。
【請求項７】
前記方法は、
前記第1のストレージユニットと前記第2のストレージユニットとの間の複製関係を作成するステップと、
前記稼働サイトのストレージ管理ソフトウェアおよび前記冗長サイトのストレージ管理ソフトウェアが前記複製関係に従って前記第2のストレージユニットに前記第1のストレージユニットのデータを複製することができるように、前記稼働サイトの前記ストレージ管理ソフトウェアおよび前記冗長サイトの前記ストレージ管理ソフトウェアに前記複製関係を提供するステップとをさらに含む、請求項2から6のいずれか一項に記載の方法。
【請求項８】
前記方法は、前記稼働サイトにあるクラウド管理モジュール、前記冗長サイトにあるクラウド管理モジュール、および冗長化管理モジュールを備える、冗長化システムに適用され、前記方法は、
前記冗長化管理モジュールによって、前記稼働サイトにある前記クラウド管理モジュールから前記要冗長化クラウドアプリケーションの前記第1のディスクリプション情報を取得するステップと、
前記冗長化管理モジュールによって、前記第1のディスクリプション情報に従って前記要冗長化クラウドアプリケーションの前記第2のディスクリプション情報を生成するステップと、
前記冗長サイトにある前記クラウド管理モジュールが前記第2のディスクリプション情報に従って前記要冗長化クラウドアプリケーションを復旧することができるように、前記冗長化管理モジュールによって、前記冗長サイトにある前記クラウド管理モジュールに前記第2のディスクリプション情報を登録するステップとを含む、請求項1から7のいずれか一項に記載の方法。
【請求項９】
前記方法は、前記稼働サイトにあるクラウド管理モジュールおよび前記冗長サイトにあるクラウド管理モジュールを備える、冗長化システムに適用され、前記方法は、
前記稼働サイトにある前記クラウド管理モジュールによって、前記要冗長化クラウドアプリケーションの前記第1のディスクリプション情報を取得するステップと、
前記稼働サイトにある前記クラウド管理モジュールによって、前記第1のディスクリプション情報に従って前記要冗長化クラウドアプリケーションの前記第2のディスクリプション情報を生成するステップと、
前記冗長サイトにある前記クラウド管理モジュールが前記第2のディスクリプション情報に従って前記要冗長化クラウドアプリケーションを復旧することができるように、前記稼働サイトにある前記クラウド管理モジュールによって、前記冗長サイトにある前記クラウド管理モジュールに前記第2のディスクリプション情報を登録するステップとを含む、請求項1から7のいずれか一項に記載の方法。
【請求項１０】
前記方法は、前記稼働サイトにあるクラウド管理モジュール、前記稼働サイトにある冗長化管理モジュール、前記冗長サイトにある冗長化管理モジュール、および前記冗長サイトにあるクラウド管理モジュールを備える、冗長化システムに適用され、前記方法は、
前記稼働サイトにある前記冗長化管理モジュールによって、前記稼働サイトにある前記クラウド管理モジュールから前記要冗長化クラウドアプリケーションの前記第1のディスクリプション情報を取得するステップと、
前記稼働サイトにある前記冗長化管理モジュールによって、前記第1のディスクリプション情報に従って前記要冗長化クラウドアプリケーションの前記第2のディスクリプション情報を生成するステップと、
前記冗長サイトにある前記冗長化管理モジュールが前記冗長サイトにある前記クラウド管理モジュールに前記第2のディスクリプション情報を登録して、前記要冗長化クラウドアプリケーションを復旧することができるように、前記稼働サイトにある前記冗長化管理モジュールによって、前記冗長サイトにある前記冗長化管理モジュールに前記第2のディスクリプション情報を送信するステップとを含む、請求項1から7のいずれか一項に記載の方法。
【請求項１１】
クラウドアプリケーションの冗長化のための方法であって、
要冗長化クラウドアプリケーションの第2のディスクリプション情報であって、前記要冗長化クラウドアプリケーションによって冗長サイトにおいて使用されているバックアップネットワークに関する情報および前記要冗長化クラウドアプリケーションによって前記冗長サイトにおいて使用されているバックアップ仮想マシンに関する情報を含む、第2のディスクリプション情報を取得するステップと、
前記冗長サイトにあるクラウド管理モジュールが前記第2のディスクリプション情報に従って前記要冗長化クラウドアプリケーションを復旧することができるように、前記冗長サイトにある前記クラウド管理モジュールに前記第2のディスクリプション情報を登録するステップとを含む、方法。
【請求項１２】
前記要冗長化クラウドアプリケーションの第2のディスクリプション情報を取得するステップは、
稼働サイトにある冗長化管理モジュールによって送信された前記第2のディスクリプション情報を受信するステップ、または、
前記要冗長化クラウドアプリケーションの第1のディスクリプション情報であって、前記要冗長化クラウドアプリケーションによって前記稼働サイトにおいて使用されているソースネットワークに関する情報および前記要冗長化クラウドアプリケーションによって前記稼働サイトにおいて使用されているソース仮想マシンに関する情報を含む、第1のディスクリプション情報を取得するステップと、前記第1のディスクリプション情報に従って前記要冗長化クラウドアプリケーションの前記第2のディスクリプション情報を生成するステップを含む、請求項11に記載の方法。
【請求項１３】
クラウドアプリケーションの冗長化のための方法であって、
要冗長化クラウドアプリケーションの第2のディスクリプション情報であって、前記要冗長化クラウドアプリケーションによって冗長サイトにおいて使用されているバックアップネットワークに関する情報および前記要冗長化クラウドアプリケーションによって前記冗長サイトにおいて使用されているバックアップ仮想マシンに関する情報を含む、第2のディスクリプション情報を取得するステップと、
前記第2のディスクリプション情報に従って前記冗長サイトにある前記要冗長化クラウドアプリケーションを復旧するステップとを含む、方法。
【請求項１４】
前記要冗長化クラウドアプリケーションによって前記冗長サイトにおいて使用されている前記バックアップ仮想マシンに関する前記情報は、前記バックアップ仮想マシンの識別子および仕様、前記バックアップ仮想マシンによって前記冗長サイトにおいて占有されている第2のストレージユニットに関する情報、ならびに前記バックアップ仮想マシンのホームネットワークに関する情報を含む、請求項13に記載の方法。
【請求項１５】
前記バックアップ仮想マシンの前記ホームネットワークに関する前記情報は、前記バックアップ仮想マシンの仮想ネットワークアダプタと前記バックアップネットワークとの間の関連付け、または前記バックアップ仮想マシンの前記仮想ネットワークアダプタのネットワークアドレスを含む、請求項14に記載の方法。
【請求項１６】
前記第2のディスクリプション情報に従って前記冗長サイトにある前記要冗長化クラウドアプリケーションを復旧するステップは、
前記バックアップネットワークに関する前記情報に従って前記バックアップネットワークを作成するステップと、
前記バックアップ仮想マシンの前記識別子および前記仕様ならびに前記第2のストレージユニットに関する前記情報に従って前記バックアップ仮想マシンを作成するステップと、
前記バックアップ仮想マシンの前記ホームネットワークに関する前記情報に従って前記バックアップネットワークと前記バックアップ仮想マシンを関連付けるステップとを含む、請求項14または15に記載の方法。
【請求項１７】
前記バックアップネットワークに関する前記情報に従って前記バックアップネットワークを作成するステップは、
前記冗長サイトにある仮想化モジュールが、仮想化ネットワーク作成コマンドに従って、前記要冗長化クラウドアプリケーションによって使用される仮想スイッチを決定して、前記仮想スイッチのポートグループのために前記バックアップネットワークに関する前記情報を構成することができるように、前記冗長サイトにある前記仮想化モジュールに前記仮想化ネットワーク作成コマンドであって、前記バックアップネットワークに関する前記情報を伝達する、前記仮想化ネットワーク作成コマンドを送信するステップを含む、請求項16に記載の方法。
【請求項１８】
前記冗長サイトにある前記仮想化モジュールが、前記第2のストレージユニットに関する前記情報に従って、前記要冗長化クラウドアプリケーションによって使用される前記仮想スイッチを決定することができるように、前記仮想化ネットワーク作成コマンドは、前記第2のストレージユニットに関する前記情報をさらに伝達する、請求項17に記載の方法。
【請求項１９】
前記バックアップネットワークに関する前記情報に従って前記バックアップネットワークを作成するステップの後に、前記方法は、
前記冗長サイトにある前記仮想化モジュールから前記バックアップネットワークと前記仮想スイッチの前記ポートグループとの間の対応付けを取得するステップと、
前記バックアップネットワークに関する前記情報と前記仮想スイッチの前記ポートグループとの間の対応付けを記録するステップとをさらに含む、請求項17または18に記載の方法。
【請求項２０】
前記バックアップ仮想マシンの前記識別子および前記仕様ならびに前記第2のストレージユニットに関する前記情報に従って前記バックアップ仮想マシンを作成するステップは、
前記冗長サイトにある前記仮想化モジュールに仮想マシンを作成するためのコマンドであって、前記バックアップ仮想マシンの前記識別子および前記仕様ならびに前記第2のストレージユニットに関する前記情報を伝達して、前記バックアップ仮想マシンおよび前記バックアップ仮想マシンの前記仮想ネットワークアダプタを作成するように前記冗長サイトにある前記仮想化モジュールに指示する、仮想マシンを作成するためのコマンドを送信するステップを含む、請求項19に記載の方法。
【請求項２１】
前記バックアップ仮想マシンの前記ホームネットワークに関する前記情報に従って前記バックアップネットワークと前記バックアップ仮想マシンを関連付けるステップは、
前記バックアップ仮想マシンの前記ホームネットワークに関する前記情報に従って前記バックアップ仮想マシンの前記仮想ネットワークアダプタと前記バックアップネットワークとの間の前記関連付けを取得するステップと、
前記バックアップ仮想マシンの前記仮想ネットワークアダプタと前記バックアップネットワークとの間の前記関連付けおよび前記バックアップネットワークに関する前記情報と前記仮想スイッチの前記ポートグループとの間の前記対応付けに従って前記バックアップ仮想マシンの前記仮想ネットワークアダプタと前記仮想スイッチの前記ポートグループとの間の対応付けを決定するステップと、
前記バックアップ仮想マシンの前記仮想ネットワークアダプタと前記仮想スイッチの前記ポートグループとの間の前記対応付けに従って、前記仮想スイッチの前記ポートグループと前記バックアップ仮想マシンの前記仮想ネットワークアダプタを関連付けるように前記冗長サイトにある前記仮想化モジュールに指示するステップとを含む、請求項20に記載の方法。
【請求項２２】
要冗長化クラウドアプリケーションの第2のディスクリプション情報を取得するステップは、
登録情報であって、前記第2のディスクリプション情報を伝達する、登録情報を受信するステップ、または、
要冗長化クラウドアプリケーションの第1のディスクリプション情報であって、前記要冗長化クラウドアプリケーションによって稼働サイトにおいて使用されているソースネットワークに関する情報および前記要冗長化クラウドアプリケーションによって前記稼働サイトにおいて使用されているソース仮想マシンに関する情報を含む、第1のディスクリプション情報を取得するステップと、前記第1のディスクリプション情報に従って前記第2のディスクリプション情報を生成するステップを含む、請求項13から21のいずれか一項に記載の方法。
【請求項２３】
クラウドアプリケーションの冗長化のための装置であって、
要冗長化クラウドアプリケーションの第1のディスクリプション情報であって、前記要冗長化クラウドアプリケーションによって稼働サイトにおいて使用されているソースネットワークに関する情報および前記要冗長化クラウドアプリケーションによって前記稼働サイトにおいて使用されているソース仮想マシンに関する情報を含む、第1のディスクリプション情報を取得するように構成される、取得ユニットと、
前記取得ユニットによって取得した前記第1のディスクリプション情報に従って、前記要冗長化クラウドアプリケーションの第2のディスクリプション情報であって、前記要冗長化クラウドアプリケーションによって冗長サイトにおいて使用されているバックアップネットワークに関する情報および前記要冗長化クラウドアプリケーションによって前記冗長サイトにおいて使用されているバックアップ仮想マシンに関する情報を含む、第2のディスクリプション情報を生成するように構成される、生成ユニットと、
前記冗長サイトが前記第2のディスクリプション情報に従って前記要冗長化クラウドアプリケーションを復旧することができるように、前記生成ユニットによって生成された前記第2のディスクリプション情報を前記冗長サイトに提供するように構成される、送信ユニットとを備える、装置。
【請求項２４】
前記要冗長化クラウドアプリケーションによって前記稼働サイトにおいて使用されている前記ソース仮想マシンに関する前記情報は、前記ソース仮想マシンの識別子および仕様、前記ソース仮想マシンによって前記稼働サイトにおいて占有されている第1のストレージユニットに関する情報、ならびに前記ソース仮想マシンのホームネットワークに関する情報を含み、
前記要冗長化クラウドアプリケーションによって前記冗長サイトにおいて使用されている前記バックアップ仮想マシンに関する前記情報は、前記バックアップ仮想マシンの識別子および仕様、前記バックアップ仮想マシンによって前記冗長サイトにおいて占有されている第2のストレージユニットに関する情報、ならびに前記バックアップ仮想マシンのホームネットワークに関する情報を含む、請求項23に記載の装置。
【請求項２５】
前記生成ユニットは、
前記ソース仮想マシンの前記識別子および前記仕様に従って前記バックアップ仮想マシンの前記識別子および前記仕様を決定して、
前記第1のストレージユニットに関する前記情報に従って前記第2のストレージユニットに関する前記情報を決定して、
前記ソースネットワークに関する前記情報に従って前記要冗長化クラウドアプリケーションのために前記バックアップネットワークに関する前記情報を構成して、
前記バックアップネットワークに関する前記情報、前記バックアップ仮想マシンの前記識別子、および前記ソース仮想マシンの前記ホームネットワークに関する前記情報に従って前記バックアップ仮想マシンの前記ホームネットワークに関する前記情報を決定するように特に構成される、請求項24に記載の装置。
【請求項２６】
前記ソース仮想マシンの前記ホームネットワークに関する前記情報は、前記ソース仮想マシンの仮想ネットワークアダプタと前記ソースネットワークとの間の関連付けを含み、
前記バックアップ仮想マシンの前記ホームネットワークに関する前記情報は、前記バックアップ仮想マシンの仮想ネットワークアダプタと前記バックアップネットワークとの間の関連付けを含む、請求項25に記載の装置。
【請求項２７】
前記ソース仮想マシンの前記ホームネットワークに関する前記情報は、前記ソース仮想マシンの仮想ネットワークアダプタのネットワークアドレスを含み、
前記バックアップ仮想マシンの前記ホームネットワークに関する前記情報は、前記バックアップ仮想マシンの仮想ネットワークアダプタのネットワークアドレスを含む、請求項25に記載の装置。
【請求項２８】
前記生成ユニットは、
前記第1のストレージユニットと前記第2のストレージユニットとの間の複製関係を作成して、
前記稼働サイトのストレージ管理ソフトウェアおよび前記冗長サイトのストレージ管理ソフトウェアが前記複製関係に従って前記第2のストレージユニットに前記第1のストレージユニットのデータを複製することができるように、前記稼働サイトの前記ストレージ管理ソフトウェアおよび前記冗長サイトの前記ストレージ管理ソフトウェアに前記複製関係を提供するように特に構成される、請求項24から27のいずれか一項に記載の装置。
【請求項２９】
前記装置が、前記稼働サイトにあるクラウド管理モジュール、冗長化管理モジュール、および前記冗長サイトにあるクラウド管理モジュールを備える、システムに適用され、
前記装置は、前記冗長化管理モジュールであり、
前記取得ユニットは、前記稼働サイトにある前記クラウド管理モジュールから前記要冗長化クラウドアプリケーションの前記第1のディスクリプション情報を取得するように特に構成され、
前記冗長サイトにある前記クラウド管理モジュールが前記第2のディスクリプション情報に従って前記要冗長化クラウドアプリケーションを復旧することができるように、前記送信ユニットは、前記冗長サイトにある前記クラウド管理モジュールに前記第2のディスクリプション情報を登録するように特に構成される、請求項23から28のいずれか一項に記載の装置。
【請求項３０】
前記装置が、前記稼働サイトにあるクラウド管理モジュールおよび前記冗長サイトにあるクラウド管理モジュールを備える、システムに適用され、
前記装置は、前記稼働サイトにある前記クラウド管理モジュールであり、
前記取得ユニットは、前記取得ユニットによって記録された前記要冗長化クラウドアプリケーションの前記第1のディスクリプション情報を取得するように特に構成され、
前記冗長サイトにある前記クラウド管理モジュールが前記第2のディスクリプション情報に従って前記要冗長化クラウドアプリケーションを復旧することができるように、前記送信ユニットは、前記冗長サイトにある前記クラウド管理モジュールに前記決定ユニットによって生成された前記第2のディスクリプション情報を登録するように特に構成される、請求項23から28のいずれか一項に記載の装置。
【請求項３１】
前記装置は、前記稼働サイトにあるクラウド管理モジュール、前記稼働サイトにある冗長化管理モジュール、および前記冗長サイトにある冗長化管理モジュールを備える、システムに適用され、
前記装置は、前記稼働サイトにある前記冗長化管理モジュールであり、
前記取得ユニットは、前記稼働サイトにある前記クラウド管理モジュールから前記要冗長化クラウドアプリケーションの前記第1のディスクリプション情報を取得するように特に構成され、
前記冗長サイトにある前記冗長化管理モジュールが前記冗長サイトにある前記クラウド管理モジュールに前記第2のディスクリプション情報を登録して、前記要冗長化クラウドアプリケーションを復旧することができるように、前記送信ユニットは、前記冗長サイトにある前記冗長化管理モジュールに前記決定ユニットによって生成された前記第2のディスクリプション情報を送信するように特に構成される、請求項23から28のいずれか一項に記載の装置。
【請求項３２】
クラウドアプリケーションの冗長化のための装置であって、
要冗長化クラウドアプリケーションの第2のディスクリプション情報であって、前記要冗長化クラウドアプリケーションによって冗長サイトにおいて使用されているバックアップネットワークに関する情報および前記要冗長化クラウドアプリケーションによって前記冗長サイトにおいて使用されているバックアップ仮想マシンに関する情報を含む、第2のディスクリプション情報を取得するように構成される、取得ユニットと、
前記冗長サイトにあるクラウド管理モジュールが前記第2のディスクリプション情報に従って前記要冗長化クラウドアプリケーションを復旧することができるように、前記冗長サイトにある前記クラウド管理モジュールに前記取得ユニットによって取得した前記第2のディスクリプション情報を登録するように構成される、登録ユニットとを備える、装置。
【請求項３３】
前記取得ユニットは、稼働サイトにある冗長化管理モジュールによって送信された前記第2のディスクリプション情報を受信するように特に構成される、または、前記要冗長化クラウドアプリケーションの第1のディスクリプション情報であって、前記要冗長化クラウドアプリケーションによって前記稼働サイトにおいて使用されているソースネットワークに関する情報および前記要冗長化クラウドアプリケーションによって前記稼働サイトにおいて使用されているソース仮想マシンに関する情報を含む、第1のディスクリプション情報を取得して、前記第1のディスクリプション情報に従って前記要冗長化クラウドアプリケーションの前記第2のディスクリプション情報を生成するように特に構成される、請求項32に記載の装置。
【請求項３４】
クラウドアプリケーションの冗長化のための装置であって、
要冗長化クラウドアプリケーションの第2のディスクリプション情報であって、前記要冗長化クラウドアプリケーションによって冗長サイトにおいて使用されているバックアップネットワークに関する情報および前記要冗長化クラウドアプリケーションによって前記冗長サイトにおいて使用されているバックアップ仮想マシンに関する情報を含む、第2のディスクリプション情報を取得するように構成される、取得ユニットと、
前記決定ユニットによって取得した前記第2のディスクリプション情報に従って前記冗長サイトにある前記要冗長化クラウドアプリケーションを復旧するように構成される、復旧ユニットとを備える、装置。
【請求項３５】
前記要冗長化クラウドアプリケーションによって前記冗長サイトにおいて使用されている前記バックアップ仮想マシンに関する前記情報は、前記バックアップ仮想マシンの識別子および仕様、前記バックアップ仮想マシンによって前記冗長サイトにおいて占有されている第2のストレージユニットに関する情報、ならびに前記バックアップ仮想マシンのホームネットワークに関する情報を含む、請求項34に記載の装置。
【請求項３６】
前記バックアップ仮想マシンの前記ホームネットワークに関する前記情報は、前記バックアップ仮想マシンの仮想ネットワークアダプタと前記バックアップネットワークとの間の関連付け、または前記バックアップ仮想マシンの前記仮想ネットワークアダプタのネットワークアドレスを含む、請求項35に記載の装置。
【請求項３７】
前記復旧ユニットは、
前記バックアップネットワークに関する前記情報に従って前記バックアップネットワークを作成するように構成される、第1の復旧ユニットと、
前記バックアップ仮想マシンの前記識別子および前記仕様ならびに前記第2のストレージユニットに関する前記情報に従って前記バックアップ仮想マシンを作成するように構成される、第2の復旧ユニットと、
前記バックアップ仮想マシンの前記ホームネットワークに関する前記情報に従って前記バックアップネットワークと前記バックアップ仮想マシンを関連付けるように構成される、第3の復旧ユニットとを備える、請求項35または36に記載の装置。
【請求項３８】
前記第1の復旧ユニットは、
前記冗長サイトにある仮想化モジュールが、仮想化ネットワーク作成コマンドに従って、前記要冗長化クラウドアプリケーションによって使用される仮想スイッチを決定して、前記仮想スイッチのポートグループのために前記バックアップネットワークに関する前記情報を構成することができるように、前記冗長サイトにある前記仮想化モジュールに前記仮想化ネットワーク作成コマンドであって、前記バックアップネットワークに関する前記情報を伝達する、前記仮想化ネットワーク作成コマンドを送信するように特に構成される、請求項37に記載の装置。
【請求項３９】
前記冗長サイトにある前記仮想化モジュールが、前記第2のストレージユニットに関する前記情報に従って、前記要冗長化クラウドアプリケーションによって使用される仮想スイッチを決定することができるように、前記第1の復旧ユニットは、前記仮想化ネットワーク作成コマンドにおいて前記第2のストレージユニットに関する前記情報を伝達するようにさらに構成される、請求項38に記載の装置。
【請求項４０】
前記第1の復旧ユニットは、
前記冗長サイトにある前記仮想化モジュールから前記バックアップネットワークと前記仮想スイッチの前記ポートグループとの間の対応付けを取得して、
前記バックアップネットワークに関する前記情報と前記仮想スイッチの前記ポートグループとの間の対応付けを記憶するようにさらに構成される、請求項38または39に記載の装置。
【請求項４１】
前記第2の復旧ユニットは、
前記冗長サイトにある前記仮想化モジュールに仮想マシンを作成するためのコマンドであって、前記バックアップ仮想マシンの前記識別子および前記仕様ならびに前記第2のストレージユニットに関する前記情報を伝達して、前記バックアップ仮想マシンおよび前記バックアップ仮想マシンの前記仮想ネットワークアダプタを作成するように前記冗長サイトにある前記仮想化モジュールに指示する、仮想マシンを作成するためのコマンドを送信するように特に構成される、請求項40に記載の装置。
【請求項４２】
前記第3の復旧ユニットは、
前記バックアップ仮想マシンの前記ホームネットワークに関する前記情報に従って前記バックアップ仮想マシンの前記仮想ネットワークアダプタと前記バックアップネットワークとの間の前記関連付けを取得して、
前記バックアップ仮想マシンの前記仮想ネットワークアダプタと前記バックアップネットワークとの間の前記関連付けおよび前記バックアップネットワークに関する前記情報と前記仮想スイッチの前記ポートグループとの間の前記対応付けに従って前記バックアップ仮想マシンの前記仮想ネットワークアダプタと前記仮想スイッチの前記ポートグループとの間の対応付けを決定して、
前記バックアップ仮想マシンの前記仮想ネットワークアダプタと前記仮想スイッチの前記ポートグループとの間の前記対応付けに従って、前記仮想スイッチの前記ポートグループと前記バックアップ仮想マシンの前記仮想ネットワークアダプタを関連付けるように前記冗長サイトにある前記仮想化モジュールに指示するように特に構成される、請求項41に記載の装置。
【請求項４３】
前記取得ユニットは、
登録情報であって、前記第2のディスクリプション情報を伝達する、登録情報を受信する、または、
稼働サイトにあるクラウド管理モジュールから前記要冗長化クラウドアプリケーションの第1のディスクリプション情報であって、前記要冗長化クラウドアプリケーションによって前記稼働サイトにおいて使用されているソースネットワークに関する情報および前記要冗長化クラウドアプリケーションによって前記稼働サイトにおいて使用されているソース仮想マシンに関する情報を含む、第1のディスクリプション情報を取得して、前記第1のディスクリプション情報に従って前記第2のディスクリプション情報を生成するように特に構成される、請求項34から42のいずれか一項に記載の装置。
【請求項４４】
稼働サイトにあるクラウド管理モジュール、冗長化管理モジュール、および冗長サイトにあるクラウド管理モジュールを備える、冗長化システムであって、
前記稼働サイトにある前記クラウド管理モジュールは、要冗長化クラウドアプリケーションの第1のディスクリプション情報であって、前記要冗長化クラウドアプリケーションによって前記稼働サイトにおいて使用されているソースネットワークに関する情報および前記要冗長化クラウドアプリケーションによって前記稼働サイトにおいて使用されているソース仮想マシンに関する情報を含む、第1のディスクリプション情報を記録するように構成され、
前記冗長化管理モジュールは、前記稼働サイトにある前記クラウド管理モジュールから前記第1のディスクリプション情報を取得して、前記第1のディスクリプション情報に従って、前記要冗長化クラウドアプリケーションの第2のディスクリプション情報であって、前記要冗長化クラウドアプリケーションによって前記冗長サイトにおいて使用されているバックアップネットワークに関する情報、および前記要冗長化クラウドアプリケーションによって前記冗長サイトにおいて使用されているバックアップ仮想マシンに関する情報を含む、第2のディスクリプション情報を生成して、前記冗長サイトにある前記クラウド管理モジュールに前記第2のディスクリプション情報を登録するように構成され、
前記冗長サイトにある前記クラウド管理モジュールは、登録情報であって、前記第2のディスクリプション情報を伝達する、登録情報を受信して、前記第2のディスクリプション情報に従って前記冗長サイトにある前記要冗長化クラウドアプリケーションを復旧するように構成される、冗長化システム。
【請求項４５】
稼働サイトにあるクラウド管理モジュールおよび冗長サイトにあるクラウド管理モジュールを備える、冗長化システムであって、
前記稼働サイトにある前記クラウド管理モジュールは、要冗長化クラウドアプリケーションの第1のディスクリプション情報であって、前記要冗長化クラウドアプリケーションによって前記稼働サイトにおいて使用されているソースネットワークに関する情報および前記要冗長化クラウドアプリケーションによって前記稼働サイトにおいて使用されているソース仮想マシンに関する情報を含む、第1のディスクリプション情報を取得して、前記第1のディスクリプション情報に従って、前記要冗長化クラウドアプリケーションの第2のディスクリプション情報であって、前記要冗長化クラウドアプリケーションによって前記冗長サイトにおいて使用されているバックアップネットワークに関する情報および前記要冗長化クラウドアプリケーションによって前記冗長サイトにおいて使用されているバックアップ仮想マシンに関する情報を含む、第2のディスクリプション情報を生成して、前記冗長サイトにある前記クラウド管理モジュールに前記第2のディスクリプション情報を登録するように構成され、
前記冗長サイトにある前記クラウド管理モジュールは、登録情報であって、前記第2のディスクリプション情報を伝達する、登録情報を受信して、前記第2のディスクリプション情報に従って前記冗長サイトにある前記要冗長化クラウドアプリケーションを復旧するように構成される、冗長化システム。
【請求項４６】
稼働サイトにあるクラウド管理モジュールおよび冗長サイトにあるクラウド管理モジュールを備える、冗長化システムであって、
前記稼働サイトにある前記クラウド管理モジュールは、要冗長化クラウドアプリケーションの第1のディスクリプション情報であって、前記要冗長化クラウドアプリケーションによって前記稼働サイトにおいて使用されているソースネットワークに関する情報および前記要冗長化クラウドアプリケーションによって前記稼働サイトにおいて使用されているソース仮想マシンに関する情報を含む、第1のディスクリプション情報を取得して、前記冗長サイトにある前記クラウド管理モジュールに前記第1のディスクリプション情報を送信するように構成され、
前記冗長サイトにある前記クラウド管理モジュールは、前記第1のディスクリプション情報を受信して、前記第1のディスクリプション情報に従って、前記要冗長化クラウドアプリケーションの第2のディスクリプション情報であって、前記要冗長化クラウドアプリケーションによって前記冗長サイトにおいて使用されているバックアップネットワークに関する情報、および前記要冗長化クラウドアプリケーションによって前記冗長サイトにおいて使用されているバックアップ仮想マシンに関する情報を含む、第2のディスクリプション情報を生成して、前記第2のディスクリプション情報に従って前記冗長サイトにある前記要冗長化クラウドアプリケーションを復旧するように構成される、冗長化システム。
【請求項４７】
稼働サイトにあるクラウド管理モジュール、前記稼働サイトにある冗長化管理モジュール、冗長サイトにあるクラウド管理モジュール、および前記冗長サイトにある冗長化管理モジュールを備える、冗長化システムであって、
前記稼働サイトにある前記クラウド管理モジュールは、要冗長化クラウドアプリケーションの第1のディスクリプション情報であって、前記要冗長化クラウドアプリケーションによって前記稼働サイトにおいて使用されているソースネットワークに関する情報および前記要冗長化クラウドアプリケーションによって前記稼働サイトにおいて使用されているソース仮想マシンに関する情報を含む、第1のディスクリプション情報を記録するように構成され、
前記稼働サイトにある前記冗長化管理モジュールは、前記稼働サイトにある前記クラウド管理モジュールから前記要冗長化クラウドアプリケーションの前記第1のディスクリプション情報を取得して、前記第1のディスクリプション情報に従って、前記要冗長化クラウドアプリケーションの第2のディスクリプション情報であって、前記要冗長化クラウドアプリケーションによって前記冗長サイトにおいて使用されているバックアップネットワークに関する情報および前記要冗長化クラウドアプリケーションによって前記冗長サイトにおいて使用されているバックアップ仮想マシンに関する情報を含む、第2のディスクリプション情報を生成して、前記冗長サイトにある前記冗長化管理モジュールに前記第2のディスクリプション情報を送信するように構成され、
前記冗長サイトにある前記冗長化管理モジュールは、前記稼働サイトにある前記冗長化管理モジュールによって送信された前記第2のディスクリプション情報を受信して、前記冗長サイトにある前記クラウド管理モジュールに前記第2のディスクリプション情報を登録するように構成され、
前記冗長サイトにある前記クラウド管理モジュールは、登録情報であって、前記第2のディスクリプション情報を伝達する、登録情報を受信して、前記第2のディスクリプション情報に従って前記冗長サイトにある前記要冗長化クラウドアプリケーションを復旧するように構成される、冗長化システム。
【請求項４８】
稼働サイトにあるクラウド管理モジュール、前記稼働サイトにある冗長化管理モジュール、冗長サイトにあるクラウド管理モジュール、および前記冗長サイトにある冗長化管理モジュールを備える、冗長化システムであって、
前記稼働サイトにある前記クラウド管理モジュールは、要冗長化クラウドアプリケーションの第1のディスクリプション情報であって、前記要冗長化クラウドアプリケーションによって前記稼働サイトにおいて使用されているソースネットワークに関する情報および前記要冗長化クラウドアプリケーションによって前記稼働サイトにおいて使用されているソース仮想マシンに関する情報を含む、第1のディスクリプション情報を記録するように構成され、
前記稼働サイトにある前記冗長化管理モジュールは、前記稼働サイトにある前記クラウド管理モジュールから前記要冗長化クラウドアプリケーションの前記第1のディスクリプション情報を取得して、前記冗長サイトにある前記冗長化管理モジュールに前記第1のディスクリプション情報を送信するように構成され、
前記冗長サイトにある前記冗長化管理モジュールは、前記稼働サイトにある前記冗長化管理モジュールによって送信された前記第1のディスクリプション情報を受信して、前記第1のディスクリプション情報に従って、前記要冗長化クラウドアプリケーションの第2のディスクリプション情報であって、前記要冗長化クラウドアプリケーションによって前記冗長サイトにおいて使用されているバックアップネットワークに関する情報、および前記要冗長化クラウドアプリケーションによって前記冗長サイトにおいて使用されているバックアップ仮想マシンに関する情報を含む、第2のディスクリプション情報を生成して、前記冗長サイトにある前記クラウド管理モジュールに前記第2のディスクリプション情報を登録するように構成され、
前記冗長サイトにある前記クラウド管理モジュールは、登録情報であって、前記第2のディスクリプション情報を伝達する、登録情報を受信して、前記第2のディスクリプション情報に従って前記冗長サイトにある前記要冗長化クラウドアプリケーションを復旧するように構成される、冗長化システム。
【請求項４９】
プロセッサ、メモリ、バス、および通信インターフェースを備える、冗長化装置であって、
前記メモリはコンピュータ実行可能命令を記憶するように構成され、前記プロセッサは前記バスを使用して前記メモリに接続され、前記冗長化装置が起動すると、前記冗長化装置が請求項1から10のいずれか一項に記載の冗長化方法を実行することができるように、前記プロセッサが前記メモリに記憶されている前記コンピュータ実行可能命令を実行する、冗長化装置。
【請求項５０】
プロセッサ、メモリ、バス、および通信インターフェースを備える、冗長化装置であって、
前記メモリはコンピュータ実行可能命令を記憶するように構成され、前記プロセッサは前記バスを使用して前記メモリに接続され、前記冗長化装置が起動すると、前記冗長化装置が請求項11または12に記載の冗長化方法を実行することができるように、前記プロセッサが前記メモリに記憶されている前記コンピュータ実行可能命令を実行する、冗長化装置。
【請求項５１】
プロセッサ、メモリ、バス、および通信インターフェースを備える、冗長化装置であって、
前記メモリはコンピュータ実行可能命令を記憶するように構成され、前記プロセッサは前記バスを使用して前記メモリに接続され、前記冗長化装置が起動すると、前記冗長化装置が請求項13から22のいずれか一項に記載の冗長化方法を実行することができるように、前記プロセッサが前記メモリに記憶されている前記コンピュータ実行可能命令を実行する、冗長化装置。
【請求項５２】
コンピュータ実行可能命令であって、コンピュータのプロセッサが前記コンピュータ実行可能命令を実行すると、前記コンピュータが請求項1から10のいずれか一項に記載の冗長化方法を実行する、コンピュータ実行可能命令を含む、コンピュータ可読媒体。
【請求項５３】
コンピュータ実行可能命令であって、コンピュータのプロセッサが前記コンピュータ実行可能命令を実行すると、前記コンピュータが請求項11または12に記載の冗長化方法を実行する、コンピュータ実行可能命令を含む、コンピュータ可読媒体。
【請求項５４】
コンピュータ実行可能命令であって、コンピュータのプロセッサがコンピュータ実行可能命令を実行すると、前記コンピュータが請求項13から22のいずれか一項に記載の冗長化方法を実行する、コンピュータ実行可能命令を含む、コンピュータ可読媒体。
【発明の詳細な説明】
【技術分野】
【０００１】
本発明の実施形態は、コンピュータ技術に関し、具体的には、クラウドアプリケーションの冗長化のための方法、システム、および装置に関する。
【背景技術】
【０００２】
コンピュータシステムが火事、洪水、地震、および戦争などの圧倒的な災害を被ると、効果的な方策がとられていない場合には、クラウドアプリケーションが中断される可能性もある上に、データが全コンピュータシステムにおいて失われる可能性もあり、このようなことは大きな損失をもたらす。冗長化技術は、周囲環境、および特に、災害時からコンピュータシステムに対する影響に効果的に対処し得る。災害時には、冗長化技術は、稼働サイト(production site)にあるデータを冗長サイトにバックアップし得る、このようなことはユーザデータのセキュリティおよびシステムの高い可用性を保証している。
【０００３】
仮想化技術は、1つの高性能サーバに複数のオペレーティングシステムを統合することで、ハードウェアモジュールのすべてのリソースの利用を最大化して、より少ない投資でより多くのクラウドアプリケーションを実施し得る。このことは、システム機構を簡略化し得るだけでなく、リソース管理の困難性を低減し得る、その結果、その技術がコンピュータシステムに広く適用されている。現在、従来技術は、仮想化されたコンピュータシステムにおいて実行中のクラウドアプリケーションに対して冗長化を実施するために、以下の様式を主に使用している。
【０００４】
管理者は、要冗長化クラウドアプリケーション(cloud application needing redundancy)に含まれている仮想マシンを決定する、すなわち、管理者は、要冗長化仮想マシンを指定して、次に稼働サイトにある仮想化モジュールに問い合わせて要冗長化仮想マシンによって使用されているストレージユニットを決定する、そして要冗長化仮想マシンのために冗長サイトにある対応するストレージユニットを設定する、その結果、冗長サイトは、要冗長化仮想マシンによって使用されているストレージユニット内のデータを冗長サイトにある対応するストレージユニットに複製することができる。
【０００５】
冗長化を稼働サイトについて行う必要がある場合には、仮想マシンを冗長サイトに作成して、対応する設定を作成した仮想マシンについて手動操作で行う、例えば、対応するネットワークを設定する、その結果、要冗長化仮想マシンのストレージおよびネットワークを冗長サイトに復旧することができ、稼働サイトの仮想化された冗長化を達成している。
【０００６】
従来技術は、稼働サイトにある要冗長化仮想マシンを復旧すると、管理者は、冗長化のために実施されることになるバックアップおよび復旧を行う仮想マシンを指定する。クラウドアプリケーションは複数の仮想マシンにデプロイされているので、管理者が要冗長化仮想マシンを指定する際に一部の仮想マシンが指定されなかった場合には、一部の仮想マシンは復旧されなくなり、最終的には、クラウドアプリケーションを完全に復旧することができなくなる。加えて、従来技術では仮想マシンの復旧プロセスにおいて、仮想マシンのネットワークを1つずつ手動で設定する必要があり、複数の仮想マシンの復旧プロセスでは時間がかかり低効率になってしまう。
【発明の概要】
【課題を解決するための手段】
【０００７】
本発明の実施形態は、冗長サイトにおいてクラウドアプリケーションを完全かつ迅速に復旧することができる、クラウドアプリケーションの冗長化のための方法、システム、および装置を提案している。
【０００８】
第1の態様によれば、本発明の実施形態は、クラウドアプリケーションの冗長化のための方法であって、
要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得するステップと、
第1のディスクリプション情報に従って、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成するステップと、
冗長サイトが第2のディスクリプション情報に従って要冗長化クラウドアプリケーションを復旧することができるように、冗長サイトに第2のディスクリプション情報を提供するステップとを含む、方法を提案している。
【０００９】
第1の態様に準拠している、第1の可能な実施様態においては、要冗長化クラウドアプリケーションによって稼働サイトにおいて使用されているソース仮想マシンに関する情報は、ソース仮想マシンの識別子および仕様、ソース仮想マシンによって稼働サイトにおいて占有されている第1のストレージユニットに関する情報、ならびにソース仮想マシンのホームネットワークに関する情報を含み、要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。
【００１０】
第1の態様の第1の可能な実施様態に準拠している、第2の可能な実施様態においては、第1のディスクリプション情報に従って要冗長化クラウドアプリケーションの第2のディスクリプション情報を生成するステップは、ソース仮想マシンの識別子および仕様に従ってバックアップ仮想マシンの識別子および仕様を決定するステップと、第1のストレージユニットに関する情報に従って第2のストレージユニットに関する情報を決定するステップと、ソースネットワークに関する情報に従って要冗長化クラウドアプリケーションのためにバックアップネットワークに関する情報を構成するステップと、バックアップネットワークに関する情報、バックアップ仮想マシンの識別子、およびソース仮想マシンのホームネットワークに関する情報に従ってバックアップ仮想マシンのホームネットワークに関する情報を決定するステップとを含む。
【００１１】
第1の態様または第1の態様の第1の可能な実施様態または第1の態様の第2の可能な実施様態に準拠している、第3の可能な実施様態においては、方法は、稼働サイトにあるクラウド管理モジュール、冗長サイトにあるクラウド管理モジュール、および冗長化管理モジュールを備える、冗長化システムに適用され、方法は、冗長化管理モジュールによって、稼働サイトにあるクラウド管理モジュールから要冗長化クラウドアプリケーションの第1のディスクリプション情報を取得するステップと、冗長化管理モジュールによって、第1のディスクリプション情報に従って要冗長化クラウドアプリケーションの第2のディスクリプション情報を生成するステップと、冗長サイトにあるクラウド管理モジュールが第2のディスクリプション情報に従って要冗長化クラウドアプリケーションを復旧することができるように、冗長化管理モジュールによって、冗長サイトにあるクラウド管理モジュールに第2のディスクリプション情報を登録するステップとを含む。
【００１２】
第1の態様または第1の態様の第1の可能な実施様態または第1の態様の第2の可能な実施様態に準拠している、第4の可能な実施様態においては、方法は、稼働サイトにあるクラウド管理モジュールおよび冗長サイトにあるクラウド管理モジュールを備える、冗長化システムに適用され、方法は、稼働サイトにあるクラウド管理モジュールによって、要冗長化クラウドアプリケーションの第1のディスクリプション情報を取得するステップと、稼働サイトにあるクラウド管理モジュールによって、第1のディスクリプション情報に従って要冗長化クラウドアプリケーションの第2のディスクリプション情報を生成するステップと、冗長サイトにあるクラウド管理モジュールが第2のディスクリプション情報に従って要冗長化クラウドアプリケーションを復旧することができるように、稼働サイトにあるクラウド管理モジュールによって、冗長サイトにあるクラウド管理モジュールに第2のディスクリプション情報を登録するステップとを含む。
【００１３】
第1の態様または第1の態様の第1の可能な実施様態または第1の態様の第2の可能な実施様態に準拠している、第5の可能な実施様態においては、方法は、稼働サイトにあるクラウド管理モジュール、稼働サイトにある冗長化管理モジュール、冗長サイトにある冗長化管理モジュール、および冗長サイトにあるクラウド管理モジュールを備える、冗長化システムに適用され、方法は、稼働サイトにある冗長化管理モジュールによって、稼働サイトにあるクラウド管理モジュールから要冗長化クラウドアプリケーションの第1のディスクリプション情報を取得するステップと、稼働サイトにある冗長化管理モジュールによって、第1のディスクリプション情報に従って要冗長化クラウドアプリケーションの第2のディスクリプション情報を生成するステップと、冗長サイトにある冗長化管理モジュールが冗長サイトにあるクラウド管理モジュールに第2のディスクリプション情報を登録して、要冗長化クラウドアプリケーションを復旧することができるように、稼働サイトにある冗長化管理モジュールによって、冗長サイトにある冗長化管理モジュールに第2のディスクリプション情報を送信するステップとを含む。
【００１４】
第2の態様によれば、本発明の実施形態は、クラウドアプリケーションの冗長化のための方法であって、
要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得するステップと、
冗長サイトにあるクラウド管理モジュールが第2のディスクリプション情報に従って要冗長化クラウドアプリケーションを復旧することができるように、冗長サイトにあるクラウド管理モジュールに第2のディスクリプション情報を登録するステップとを含む、方法を提案している。
【００１５】
第2の態様に準拠している、第1の可能な実施様態においては、要冗長化クラウドアプリケーションの第2のディスクリプション情報を取得するステップは、稼働サイトにある冗長化管理モジュールによって送信された第2のディスクリプション情報を受信するステップ、または、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得するステップと、第1のディスクリプション情報に従って要冗長化クラウドアプリケーションの第2のディスクリプション情報を生成するステップを含む。
【００１６】
第3の態様によれば、本発明の実施形態は、クラウドアプリケーションの冗長化のための方法であって、
要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得するステップと、
第2のディスクリプション情報に従って冗長サイトにある要冗長化クラウドアプリケーションを復旧するステップとを含む、方法を提案している。
【００１７】
第3の態様に準拠している、第1の可能な実施様態においては、要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。
【００１８】
第3の態様の第1の可能な実施様態に準拠している、第2の可能な実施様態においては、バックアップ仮想マシンのホームネットワークに関する情報は、バックアップ仮想マシンの仮想ネットワークアダプタとバックアップネットワークとの間の関連付け、またはバックアップ仮想マシンの仮想ネットワークアダプタのネットワークアドレスを含む。
【００１９】
第3の態様の第1の可能な実施様態または第2の可能な実施様態に準拠している、第3の可能な実施様態においては、第2のディスクリプション情報に従って冗長サイトにある要冗長化クラウドアプリケーションを復旧するステップは、バックアップネットワークに関する情報に従ってバックアップネットワークを作成するステップと、バックアップ仮想マシンの識別子および仕様ならびに第2のストレージユニットに関する情報に従ってバックアップ仮想マシンを作成するステップと、バックアップ仮想マシンのホームネットワークに関する情報に従ってバックアップネットワークとバックアップ仮想マシンを関連付けるステップを含む。
【００２０】
第4の態様によれば、本発明の実施形態は、クラウドアプリケーションの冗長化のための装置であって、
要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得するように構成される、取得ユニットと、
取得ユニットによって取得した第1のディスクリプション情報に従って、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成するように構成される、生成ユニットと、
冗長サイトが第2のディスクリプション情報に従って要冗長化クラウドアプリケーションを復旧することができるように、生成ユニットによって生成された第2のディスクリプション情報を冗長サイトに提供するように構成される、送信ユニットとを備える、装置を提案している。
【００２１】
第4の態様に準拠している、第1の可能な実施様態においては、要冗長化クラウドアプリケーションによって稼働サイトにおいて使用されているソース仮想マシンに関する情報は、ソース仮想マシンの識別子および仕様、ソース仮想マシンによって稼働サイトにおいて占有されている第1のストレージユニットに関する情報、ならびにソース仮想マシンのホームネットワークに関する情報を含み、要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。
【００２２】
第4の態様の第1の可能な実施様態に準拠している、第2の可能な実施様態においては、生成ユニットは、ソース仮想マシンの識別子および仕様に従ってバックアップ仮想マシンの識別子および仕様を決定して、第1のストレージユニットに関する情報に従って第2のストレージユニットに関する情報を決定して、ソースネットワークに関する情報に従って要冗長化クラウドアプリケーションのためにバックアップネットワークに関する情報を構成して、バックアップネットワークに関する情報、バックアップ仮想マシンの識別子、およびソース仮想マシンのホームネットワークに関する情報に従ってバックアップ仮想マシンのホームネットワークに関する情報を決定するように特に構成される。
【００２３】
第4の態様または第4の態様の第1の可能な実施様態または第4の態様の第2の可能な実施様態に準拠している、第3の可能な実施様態においては、装置が、稼働サイトにあるクラウド管理モジュール、冗長化管理モジュール、および冗長サイトにあるクラウド管理モジュールを備える、システムに適用され、装置は、冗長化管理モジュールであり、取得ユニットは、稼働サイトにあるクラウド管理モジュールから要冗長化クラウドアプリケーションの第1のディスクリプション情報を取得するように特に構成され、冗長サイトにあるクラウド管理モジュールが第2のディスクリプション情報に従って要冗長化クラウドアプリケーションを復旧することができるように、送信ユニットは、冗長サイトにあるクラウド管理モジュールに第2のディスクリプション情報を登録するように特に構成される。
【００２４】
第4の態様または第4の態様の第1の可能な実施様態または第4の態様の第2の可能な実施様態に準拠している、第4の可能な実施様態においては、装置が、稼働サイトにあるクラウド管理モジュールおよび冗長サイトにあるクラウド管理モジュールを備える、システムに適用され、装置は、稼働サイトにあるクラウド管理モジュールであり、取得ユニットは、取得ユニットによって記録された要冗長化クラウドアプリケーションの第1のディスクリプション情報を取得するように特に構成され、冗長サイトにあるクラウド管理モジュールが第2のディスクリプション情報に従って要冗長化クラウドアプリケーションを復旧することができるように、送信ユニットは、冗長サイトにあるクラウド管理モジュールに決定ユニットによって生成された第2のディスクリプション情報を登録するように特に構成される。
【００２５】
第4の態様または第4の態様の第1の可能な実施様態または第4の態様の第2の可能な実施様態に準拠している、第5の可能な実施様態においては、装置は、稼働サイトにあるクラウド管理モジュール、稼働サイトにある冗長化管理モジュール、および冗長サイトにある冗長化管理モジュールを備える、システムに適用され、装置は、稼働サイトにある冗長化管理モジュールであり、取得ユニットは、稼働サイトにあるクラウド管理モジュールから要冗長化クラウドアプリケーションの第1のディスクリプション情報を取得するように特に構成され、冗長サイトにある冗長化管理モジュールが冗長サイトにあるクラウド管理モジュールに第2のディスクリプション情報を登録して、要冗長化クラウドアプリケーションを復旧することができるように、送信ユニットは、冗長サイトにある冗長化管理モジュールに決定ユニットによって生成された第2のディスクリプション情報を送信するように特に構成される。
【００２６】
第5の態様によれば、本発明の実施形態は、クラウドアプリケーションの冗長化のための装置であって、
要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得するように構成される、取得ユニットと、
冗長サイトにあるクラウド管理モジュールが第2のディスクリプション情報に従って要冗長化クラウドアプリケーションを復旧することができるように、冗長サイトにあるクラウド管理モジュールに取得ユニットによって取得した第2のディスクリプション情報を登録するように構成される、登録ユニットとを備える、装置を提案している。
【００２７】
第5の態様に準拠している、第1の可能な実施様態においては、取得ユニットは、稼働サイトにある冗長化管理モジュールによって送信された第2のディスクリプション情報を受信するように特に構成される、または、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得して、第1のディスクリプション情報に従って要冗長化クラウドアプリケーションの第2のディスクリプション情報を生成するように特に構成される。
【００２８】
第6の態様によれば、本発明の実施形態は、クラウドアプリケーションの冗長化のための装置であって、
要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得するように構成される、取得ユニットと、
取得ユニットによって取得した第2のディスクリプション情報に従って冗長サイトにある要冗長化クラウドアプリケーションを復旧するように構成される、復旧ユニットとを備える、装置を提案している。
【００２９】
第6の態様に準拠している、第1の可能な実施様態においては、要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。
【００３０】
第6の態様の第1の可能な実施様態に準拠している、第2の可能な実施様態においては、バックアップ仮想マシンのホームネットワークに関する情報は、バックアップ仮想マシンの仮想ネットワークアダプタとバックアップネットワークとの間の関連付け、またはバックアップ仮想マシンの仮想ネットワークアダプタのネットワークアドレスを含む。
【００３１】
第6の態様の第1の可能な実施様態または第2の可能な実施様態に準拠している、第3の可能な実施様態においては、復旧ユニットは、バックアップネットワークに関する情報に従ってバックアップネットワークを作成するように構成される、第1の復旧ユニットと、バックアップ仮想マシンの識別子および仕様ならびに第2のストレージユニットに関する情報に従ってバックアップ仮想マシンを作成するように構成される、第2の復旧ユニットと、バックアップ仮想マシンのホームネットワークに関する情報に従ってバックアップネットワークとバックアップ仮想マシンを関連付けるように構成される、第3の復旧ユニットとを備える。
【００３２】
第7の態様によれば、本発明の実施形態は、稼働サイトにあるクラウド管理モジュール、冗長化管理モジュール、および冗長サイトにあるクラウド管理モジュールを備える、冗長化システムであって、
稼働サイトにあるクラウド管理モジュールは、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を記録するように構成され、
冗長化管理モジュールは、稼働サイトにあるクラウド管理モジュールから第1のディスクリプション情報を取得して、第1のディスクリプション情報に従って、要冗長化クラウドアプリケーションの第2のディスクリプション情報であって、要冗長化クラウドアプリケーションによって冗長サイトにおいて使用されているバックアップネットワークに関する情報、および要冗長化クラウドアプリケーションによって冗長サイトにおいて使用されているバックアップ仮想マシンに関する情報を含む、第2のディスクリプション情報を生成して、冗長サイトにあるクラウド管理モジュールに第2のディスクリプション情報を登録するように構成され、
冗長サイトにあるクラウド管理モジュールは、登録情報であって、第2のディスクリプション情報を伝達する、登録情報を受信して、第2のディスクリプション情報に従って冗長サイトにある要冗長化クラウドアプリケーションを復旧するように構成される、冗長化システムを提案している。
【００３３】
第8の態様によれば、本発明の実施形態は、稼働サイトにあるクラウド管理モジュールおよび冗長サイトにあるクラウド管理モジュールを備える、冗長化システムであって、
稼働サイトにあるクラウド管理モジュールは、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得して、第1のディスクリプション情報に従って、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成して、冗長サイトにあるクラウド管理モジュールに第2のディスクリプション情報を登録するように構成され、
冗長サイトにあるクラウド管理モジュールは、登録情報であって、第2のディスクリプション情報を伝達する、登録情報を受信して、第2のディスクリプション情報に従って冗長サイトにある要冗長化クラウドアプリケーションを復旧するように構成される、冗長化システムを提案している。
【００３４】
第9の態様によれば、本発明の実施形態は、稼働サイトにあるクラウド管理モジュールおよび冗長サイトにあるクラウド管理モジュールを備える、冗長化システムであって、
稼働サイトにあるクラウド管理モジュールは、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得して、冗長サイトにあるクラウド管理モジュールに第1のディスクリプション情報を送信するように構成され、
冗長サイトにあるクラウド管理モジュールは、第1のディスクリプション情報を受信して、第1のディスクリプション情報に従って、要冗長化クラウドアプリケーションの第2のディスクリプション情報であって、要冗長化クラウドアプリケーションによって冗長サイトにおいて使用されているバックアップネットワークに関する情報、および要冗長化クラウドアプリケーションによって冗長サイトにおいて使用されているバックアップ仮想マシンに関する情報を含む、第2のディスクリプション情報を生成して、第2のディスクリプション情報に従って冗長サイトにある要冗長化クラウドアプリケーションを復旧するように構成される、冗長化システムを提案している。
【００３５】
第10の態様によれば、本発明の実施形態は、稼働サイトにあるクラウド管理モジュール、稼働サイトにある冗長化管理モジュール、冗長サイトにあるクラウド管理モジュール、および冗長サイトにある冗長化管理モジュールを備える、冗長化システムであって、
稼働サイトにあるクラウド管理モジュールは、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を記録するように構成され、
稼働サイトにある冗長化管理モジュールは、稼働サイトにあるクラウド管理モジュールから要冗長化クラウドアプリケーションの第1のディスクリプション情報を取得して、第1のディスクリプション情報に従って、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成して、冗長サイトにある冗長化管理モジュールに第2のディスクリプション情報を送信するように構成され、
冗長サイトにある冗長化管理モジュールは、稼働サイトにある冗長化管理モジュールによって送信された第2のディスクリプション情報を受信して、冗長サイトにあるクラウド管理モジュールに第2のディスクリプション情報を登録するように構成され、
冗長サイトにあるクラウド管理モジュールは、登録情報であって、第2のディスクリプション情報を伝達する、登録情報を受信して、第2のディスクリプション情報に従って冗長サイトにある要冗長化クラウドアプリケーションを復旧するように構成される、冗長化システムを提案している。
【００３６】
第11の態様によれば、本発明の実施形態は、稼働サイトにあるクラウド管理モジュール、稼働サイトにある冗長化管理モジュール、冗長サイトにあるクラウド管理モジュール、および冗長サイトにある冗長化管理モジュールを備える、冗長化システムであって、
稼働サイトにあるクラウド管理モジュールは、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を記録するように構成され、
稼働サイトにある冗長化管理モジュールは、稼働サイトにあるクラウド管理モジュールから要冗長化クラウドアプリケーションの第1のディスクリプション情報を取得して、冗長サイトにある冗長化管理モジュールに第1のディスクリプション情報を送信するように構成され、
冗長サイトにある冗長化管理モジュールは、稼働サイトにある冗長化管理モジュールによって送信された第1のディスクリプション情報を受信して、第1のディスクリプション情報に従って、要冗長化クラウドアプリケーションの第2のディスクリプション情報であって、要冗長化クラウドアプリケーションによって冗長サイトにおいて使用されているバックアップネットワークに関する情報、および要冗長化クラウドアプリケーションによって冗長サイトにおいて使用されているバックアップ仮想マシンに関する情報を含む、第2のディスクリプション情報を生成して、冗長サイトにあるクラウド管理モジュールに第2のディスクリプション情報を登録するように構成され、
冗長サイトにあるクラウド管理モジュールは、登録情報であって、第2のディスクリプション情報を伝達する、登録情報を受信して、第2のディスクリプション情報に従って冗長サイトにある要冗長化クラウドアプリケーションを復旧するように構成される、冗長化システムを提案している。
【００３７】
本発明の実施形態において、要冗長化クラウドアプリケーションの第2のディスクリプション情報であって、冗長サイトにある要冗長化クラウドアプリケーションのデプロイメントに関する全ディスクリプションを付与する、第2のディスクリプション情報を取得することができ、取得した第2のディスクリプション情報は、冗長サイトにあるクラウド管理モジュールに提供される、その結果、冗長サイトにあるクラウド管理モジュールは、第2のディスクリプション情報に従って冗長サイトにある要冗長化クラウドアプリケーションを完全かつ迅速に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定および復旧を実施して、仮想マシン単位に基づいた冗長化に起因する起こり得る問題であって、クラウドアプリケーションを完全かつ迅速に復旧することができないという、問題を回避している。
【００３８】
本発明の実施形態または従来技術における技術的解決手法をより明確に記載するために、実施形態または従来技術を記載するために必要となる添付の図面を以下に簡単に紹介する。以下の記載における添付の図面は一部の本発明の実施形態を示しているにすぎず、当業者が創造的努力なしにこれらの添付の図面に従って他の図面をさらに導出し得ることは明らかであろう。
【図面の簡単な説明】
【００３９】
【図１（ａ）】本発明の実施形態によって提供されるシステムのブロック図である。
【図１（ｂ）】本発明の実施形態によって提供されるシステムのブロック図である。
【図１（ｃ）】本発明の実施形態によって提供されるシステムのブロック図である。
【図２】本発明の実施形態によって提供される冗長化方法のフローチャートである。
【図３】本発明の実施形態によって提供される別の冗長化方法のフローチャートである。
【図４】本発明の実施形態によって提供される別の冗長化方法のフローチャートである。
【図５】本発明の実施形態によって提供される別の冗長化方法のフローチャートである。
【図６】本発明の実施形態によって提供されるクラウドアプリケーションAPP1の第1のディスクリプション情報のトポロジー図である。
【図７】本発明の実施形態によって提供される別の冗長化方法のフローチャートである。
【図８】本発明の実施形態によって提供される別の冗長化方法のフローチャートである。
【図９】本発明の実施形態によって提供される別の冗長化方法のフローチャートである。
【図１０】本発明の実施形態によって提供される別の冗長化方法のフローチャートである。
【図１１】本発明の実施形態によって提供される別の冗長化方法のフローチャートである。
【図１２】本発明の実施形態によって提供される別の冗長化方法のフローチャートである。
【図１３】本発明の実施形態によって提供される別の冗長化方法のフローチャートである。
【図１４】本発明の実施形態によって提供される別の冗長化方法のフローチャートである。
【図１５】本発明の実施形態によって提供される別の冗長化方法のフローチャートである。
【図１６】本発明の実施形態によって提供される別の冗長化方法のフローチャートである。
【図１７】本発明の実施形態によって提供される冗長化装置の構成図である。
【図１８】本発明の実施形態によって提供される別の冗長化装置の構成図である。
【図１９】本発明の実施形態によって提供される別の冗長化装置の構成図である。
【図２０】本発明の実施形態によって提供されるシステムの構成図である。
【図２１】本発明の実施形態によって提供される別のシステムの構成図である。
【図２２】本発明の実施形態によって提供される別のシステムの構成図である。
【図２３】本発明の実施形態によって提供される別のシステムの構成図である。
【図２４】本発明の実施形態によって提供される別の冗長化装置の構成図である。
【図２５】本発明の実施形態によって提供される別の冗長化装置の概略構造図である。
【発明を実施するための形態】
【００４０】
本発明の実施形態は、冗長サイトにおいてクラウドアプリケーションを完全かつ迅速に復旧することができる、クラウドアプリケーションの冗長化のための方法、システム、および装置を提案している。
【００４１】
冗長化方法
図1(a)、図1(b)、および図1(c)は、本発明の実施形態によって提供されるシステムのブロック図である。システムは、稼働サイト(100)および冗長サイト(110)を備えている、ここで、稼働サイト(100)は、少なくとも1つのクラウドアプリケーションにサービスを提供し、冗長サイト(110)は、稼働サイトにおいて要冗長化クラウドアプリケーションを復旧するように構成される。稼働サイト(100)と冗長サイト(110)とは、相対なコンセプトである。稼働サイト(100)は、クラウドアプリケーションが復旧前に動作しているサイトを表し、冗長サイト(110)は、クラウドアプリケーションが復旧後に動作しているサイトを表している。稼働サイト(100)および冗長サイト(110)を、例えば北京サイトおよび西安サイトといった、地域ロケーションに従って分化してもよいし、別のルールに従って分化してもよい。
【００４２】
稼働サイト(100)および冗長サイト(110)は、例えば、図1(a)、図1(b)、および図1(c)に示したように、各々に少なくとも1つのデータセンタを備えていてもよく、稼働サイト(100)はデータセンタ(101)を備えており、冗長サイト(110)はデータセンタ(111)を備えている。データセンタは物理サーバを備えていてもよい、ここで、物理サーバは、稼働サイトまたは冗長サイトにコンピュテーション、ストレージ、およびネットワークリソースを提供するように構成されてもよい。コンピュテーションおよびネットワークリソースを提供するように構成された物理サーバをコンピューティングノードと称してもよいし、ストレージリソースを提供するように構成された物理サーバをストレージノードと称してもよい。例えば、図1に示したストレージノード(102)、ストレージノード(112)、コンピューティングノード(103)、およびコンピューティングノード(113)である。図1に示した例示において、稼働サイト(100)および冗長サイト(110)は、各々に1つのデータセンタを備えており、各データセンタは、1つのコンピューティングノードおよび1つのストレージノードを備えている。他の実施形態においては、稼働サイトおよび冗長サイトは、各々に複数のデータセンタを備えていてもよく、データセンタの各々は、複数のコンピューティングノードおよび複数のストレージノードを備えていてもよい。
【００４３】
データセンタ(101、111)は、仮想化モジュール(104、114)およびクラウド管理モジュール(105、115)をさらに備えていてもよい、ここで、仮想化モジュール(104、114)は、物理サーバのコンピュテーション(プロセッサおよびメモリを含む)、ストレージ、およびネットワークリソースを複数の仮想マシンに抽象化するように構成され、要するに仮想マシンの各々は、プロセッサ、メモリ、ネットワーク接続、およびストレージを有し、そのオペレーティングシステムおよびアプリケーションを実行し得るし、クラウド管理モジュール(105、115)は、仮想化モジュール(104、114)または各仮想マシンを管理し得る、例えば、仮想マシンを作成するように仮想化モジュール(104、114)に指示し得る。
【００４４】
データセンタ(101、111)のストレージノード(102、112)を、例えば共有ストレージデバイスを使用して、別々にデプロイしてもよい。ストレージノード(102、112)は、複数のストレージユニットを備え、各仮想マシンにストレージリソースを提供するように構成されており、稼働サイト/冗長サイトに共有パーティションアクセス(読み込みおよび書き込み)機能を提供し得る、その結果、異なるコンピューティングノードの仮想マシンは、同一のストレージデバイスの同一のパーティションに同時にアクセスすることができる。ストレージノード(102、112)は、ストレージノード(102、112)のストレージユニットを管理し得るストレージ管理ソフトウェア(106、116)を備えている。共有ストレージデバイスは、ネットワークアタッチトストレージ(Network Attached Storage、NAS)デバイスであってもよいし、またはストレージエリアネットワーク(Storage Area Network、SAN)デバイスであってもよい。例えば、ストレージノード(102、112)は、SANデバイスであってもよい。SANデバイスのストレージユニットは、特に論理ユニット番号(Logical Unit Number、LUN)であってもよい、ここで、LUNは、ストレージアレイの形式で示した論理ディスクである。各仮想マシンのファイルシステムをSANデバイスの1つまたは複数のLUNに作成する。SANデバイスのストレージ管理ソフトウェアは、LUNにおける読み込みおよび書き込みを制御し得るし、LUNの情報を管理し得る。
【００４５】
本発明の実施形態において、クラウドアプリケーションの完全な冗長化を実施するために、クラウドアプリケーションを作成する場合には、クラウドアプリケーションを作成するためにクラウドアプリケーションテンプレートを直接使用してもよいし、クラウド管理モジュール(105、115)は、クラウドアプリケーションテンプレートを受信して、クラウドアプリケーションテンプレートに従って、クラウドアプリケーションによって使用されることになる仮想マシンおよびネットワークを作成するように仮想化モジュール(104、114)に指示してもよい。クラウドアプリケーションテンプレートはクラウドアプリケーションにとって必要である仮想マシンおよびネットワークなどの情報を完全に記載し得るので、仮想化モジュール(104、114)がクラウドアプリケーションのために仮想マシンをデプロイする場合にはデプロイメントの配慮を全体的に行うことができる、それによって、仮想マシンデプロイメントの効率性を改善している。当然のことながら、仮想マシンを作成する際にクラウドアプリケーションテンプレートを使用しなくてもよく、従来技術における仮想マシンテンプレートをその代わりに使用して、クラウド管理モジュール(105、115)は、仮想マシンを作成するために仮想マシンテンプレートをこれまで通りに提供する。
【００４６】
クラウドアプリケーションによって使用されることになる仮想マシンおよびネットワークが仮想化モジュール(104、114)によって作成された後に、クラウド管理モジュール(105、115)または仮想化モジュール(104、114)は、デプロイされた仮想マシンおよび仮想マシンのネットワークに従って、クラウドアプリケーションのディスクリプション情報であって、クラウドアプリケーションを実行中の仮想マシンに関する情報およびクラウドアプリケーションによって使用されているネットワークに関する情報などの、クラウドアプリケーションを実行中のインスタンスのディスクリプション情報を含む、クラウドアプリケーションのディスクリプション情報を生成してもよい。クラウドアプリケーションのディスクリプション情報を後続の実施形態に詳細に記載する。クラウドアプリケーションのディスクリプション情報が、クラウドアプリケーションの静的ディスクリプション情報を含んでいてもよいこと、同様にクラウドアプリケーションの動的ディスクリプション情報を含んでいてもよいことは、明らかである。仮想化モジュール(104、114)が仮想マシンをデプロイする前に、クラウド管理モジュール(105、115)によって受信したクラウドアプリケーションテンプレートまたは仮想マシンテンプレートにおいて伝達される情報が仮想マシンの数または仕様などのクラウドアプリケーションの静的ディスクリプション情報として参照されてもよいし、仮想化モジュール(104、114)が仮想マシンをデプロイした後に、仮想マシンにデプロイされた物理リソースのロケーションまたはホームネットワークを設定して、そのような情報がクラウドアプリケーションの動的ディスクリプション情報として参照されてもよい。仮想化モジュール(104、114)が仮想マシンをデプロイした後に、クラウド管理モジュール(105、115)は、クラウドアプリケーションの動的ディスクリプション情報および静的ディスクリプション情報を収集して、クラウドアプリケーションのディスクリプション情報を生成してもよい。クラウド管理モジュール(105、115)がクラウドアプリケーションテンプレートを使用してクラウドアプリケーションの静的ディスクリプション情報を取得していた場合には、クラウド管理モジュール(105、115)は、この場合には、クラウドアプリケーションの動的ディスクリプション情報のみを取得してもよい。クラウドアプリケーションのディスクリプション情報はまた、クラウド管理モジュール(105、115)にテンプレートの形式で記録されてもよい。クラウド管理モジュール(105、115)は、新規テンプレートを使用してクラウドアプリケーションのディスクリプション情報を記録してもよいし、またはクラウドアプリケーションテンプレートを更新することによってクラウドアプリケーションのすべてのディスクリプション情報を記憶してもよい。
【００４７】
その他に、本発明の実施形態において、クラウドアプリケーションに基づいた冗長化を実施するために、クラウド管理インターフェース(107、117)をクラウド管理モジュール(105、115)に追加してもよい、このことは、クラウド管理モジュール(105、115)が、稼働サイトにおいて現在実行中のクラウドアプリケーションのクラウドアプリケーションディスクリプション情報についての問い合わせをサポートしているとともに、問い合わせによって取得したクラウドアプリケーションディスクリプション情報に従ってクラウドアプリケーションのために冗長化操作を行うことを意味している。記載を簡潔にするために、本発明の実施形態において、稼働サイトで実行中のクラウドアプリケーションのディスクリプション情報をクラウドアプリケーションの第1のディスクリプション情報と称し、冗長サイトで実行中のクラウドアプリケーションのディスクリプション情報をクラウドアプリケーションの第2のディスクリプション情報と称する。
【００４８】
本発明の実施形態において、システム構成は、図1(a)に示したようなものであってもよく、システムは、稼働サイトおよび冗長サイトに加えて冗長化管理モジュール(120)をさらに備えていてもよい、ここで、冗長化管理モジュール(120)は、稼働サイトにあるクラウド管理モジュール(105)および冗長サイトにあるクラウド管理モジュール(115)に別々に接続されており、冗長化管理モジュール(120)は、クラウド管理モジュール(105)のクラウド管理インターフェース(107)を使用して、稼働サイトにおいて現在実行中のクラウドアプリケーションの第1のディスクリプション情報について問い合わせてもよいし、冗長化管理モジュール(120)は、クラウド管理インターフェース(117)を使用してクラウド管理モジュール(115)にクラウドアプリケーションの決定した第2のディスクリプション情報を登録してもよい。冗長化管理モジュール(120)がクラウドアプリケーションによって稼働サイトまたは冗長サイトにおいて使用されているソース仮想マシンの情報についてさらに問い合わせることができるように、冗長化管理モジュール(120)はまた、仮想化モジュール(104、114)に接続されてもよい。冗長化管理モジュールはまた、ストレージ管理ソフトウェア(106、116)に接続されていてもよい。
【００４９】
さらに、本発明の実施形態において、システム内の稼働サイト100および冗長サイト110はまた、図1(b)に示したように、クラウド管理モジュールを使用して通信のために接続されてもよい、その結果、冗長サイトは、稼働サイトにおいてクラウドアプリケーションのディスクリプション情報、すなわち、第1のディスクリプション情報について問い合わせて、問い合わせによって取得したクラウドアプリケーションの第1のディスクリプション情報に従ってクラウドアプリケーションのための冗長化操作を行うことができる。
【００５０】
図1(a)に示したシステム機構において、1つの冗長化管理モジュールが稼働サイト(100)および冗長サイト(110)によって共有されていてもよいし、または1つの冗長化管理モジュールが稼働サイトおよび冗長サイトに対して別々に設定されていてもよい。図1(c)に示したように、システムは、稼働サイトにある冗長化管理モジュール(120)および冗長サイトにある冗長化管理モジュール(121)を備えている、ここで、稼働サイトにある冗長化管理モジュール(120)は稼働サイト(100)にあるクラウド管理モジュール(105)に接続されており、冗長サイトにある冗長化管理モジュール121は冗長サイト(110)にあるクラウド管理モジュール(125)に接続されており、データが稼働サイトにある冗長化管理モジュール(120)と冗長サイトにある冗長化管理モジュール(121)との間で送信され得る。稼働サイトにある冗長化管理モジュール(120)は、稼働サイト(100)にあるクラウド管理モジュール(105)から稼働サイトのクラウドアプリケーションの第1のディスクリプション情報を取得して、冗長サイトにある冗長化管理モジュール(121)に第1のディスクリプション情報を送信してもよい。冗長サイトにある冗長化管理モジュール(121)は、稼働サイトにある冗長化管理モジュール(120)によって送信された第1のディスクリプション情報を受信して、第1のディスクリプション情報に従って第2のディスクリプション情報を生成して、冗長サイトにあるクラウド管理モジュール(115)に第2のディスクリプション情報を登録してもよい。個別のプロセスを後続の実施形態に記載する。
【００５１】
その他に、図1(a)および図1(c)に示したシステム機構において、冗長サイト(110)にあるクラウド管理モジュール(115)はまた、稼働サイト(100)にあるクラウド管理モジュール(105)に接続されていてもよい、その結果、クラウド管理モジュール(115)は、クラウド管理モジュール(105)から稼働サイトのクラウドアプリケーションの第1のディスクリプション情報を取得することができる。図1(a)および図1(c)の点線の接続は、接続関係がオプションであることを示している。
【００５２】
図1(a)、または図1(b)、または図1(c)に示したシステム機構を参照して図2に示したように、冗長化インシデントが稼働サイトにおいて生じた際の設定情報に従って冗長サイトにある要冗長化クラウドアプリケーションを復旧するために、本発明の実施形態における冗長化方法は、冗長サイトにおいて稼働サイトの要冗長化クラウドアプリケーションを設定するために使用される。方法は、以下を含んでいてもよい。
【００５３】
201: 要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得する。
【００５４】
202: 第1のディスクリプション情報に従って、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成する。
【００５５】
203: 冗長サイトが第2のディスクリプション情報に従って要冗長化クラウドアプリケーションを復旧することができるように、冗長サイトに第2のディスクリプション情報を提供する。
【００５６】
本発明の実施形態において、ステップ201の実行主体は、システム構成によって異なっていてもよい。例えば、図1(b)においては、実行主体は、稼働サイトにあるクラウド管理モジュールまたは冗長サイトにあるクラウド管理モジュールであってもよいし、図1(a)においては、実行主体は、冗長化管理モジュールであってもよいし、図1(c)においては、実行主体は、稼働サイトにある冗長化管理モジュールまたは冗長サイトにある冗長化管理モジュールであってもよい。第1のディスクリプション情報は、要冗長化クラウドアプリケーションによって稼働サイトにおいて使用されているソース仮想マシンに関する情報だけでなく、要冗長化クラウドアプリケーションによって稼働サイトにおいて使用されているソースネットワークに関する情報も含む。要冗長化クラウドアプリケーションに関する全ディスクリプションを付与する第1のディスクリプション情報に基づいて、冗長サイトにある要冗長化クラウドアプリケーションの第2のディスクリプション情報を生成してもよいし、第2のディスクリプション情報はまた、要冗長化クラウドアプリケーションのデプロイメントに関する全ディスクリプションを付与し得る。冗長サイトに第2のディスクリプション情報を提供するステップ203において、動作の実行は異なる実行主体に基づいて変化してもよく、このことを後続の実施形態に詳細に記載することにする。冗長サイトが第2のディスクリプション情報を取得した後に、要冗長化クラウドアプリケーションを第2のディスクリプション情報に従って冗長サイトに完全に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【００５７】
図1(c)に示したシステム機構を参照して図3に示したように、冗長化インシデントが稼働サイトにおいて生じた際の設定情報に従って冗長サイトにある要冗長化クラウドアプリケーションを復旧するために、本発明の実施形態における冗長化方法は、冗長サイトにおいて稼働サイトの要冗長化クラウドアプリケーションを設定するために使用される。方法は、冗長サイトにある冗長化管理モジュールによって実行されてもよい。方法は、以下を含んでいてもよい。
【００５８】
301: 要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得する。
【００５９】
302: 冗長サイトにあるクラウド管理モジュールが第2のディスクリプション情報に従って冗長サイトにある要冗長化クラウドアプリケーションを復旧することができるように、冗長サイトにあるクラウド管理モジュールに第2のディスクリプション情報を登録する。
【００６０】
本発明の実施形態において、冗長サイトにある冗長化管理モジュールは、稼働サイトにある冗長化管理モジュールから要冗長化クラウドアプリケーションの第2のディスクリプション情報であって、冗長サイトにある要冗長化クラウドアプリケーションのデプロイメントに関する全ディスクリプションを付与する、第2のディスクリプション情報を取得してもよいし、冗長サイトにある冗長化管理モジュールは、冗長サイトにあるクラウド管理モジュールに取得した第2のディスクリプション情報を登録してもよい、その結果、冗長サイトにあるクラウド管理モジュールは、冗長サイトにある要冗長化クラウドアプリケーションを完全に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【００６１】
図1(a)、または図1(b)、または図1(c)に示したシステム機構を参照して図4に示したように、本発明の実施形態における冗長化方法は、冗長サイトに稼働サイトの要冗長化クラウドアプリケーションを復旧するために使用される。方法は、冗長サイトにあるクラウド管理モジュールによって実行されてもよい。方法は、以下のステップを含む。
【００６２】
401: 要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得する。
【００６３】
402: 第2のディスクリプション情報に従って冗長サイトにある要冗長化クラウドアプリケーションを復旧する。
【００６４】
本発明の実施形態において、冗長サイトにあるクラウド管理モジュールは、図1(b)に示した稼働サイトにあるクラウド管理モジュール、または図1(a)に示した冗長化管理モジュール、または図1(c)に示した稼働サイトにある冗長化管理モジュールから、要冗長化クラウドアプリケーションの第2のディスクリプション情報であって、冗長サイトにある要冗長化クラウドアプリケーションのデプロイメントに関する全ディスクリプションを付与する、第2のディスクリプション情報を取得してもよいし、第2のディスクリプション情報を取得した後に、冗長サイトにあるクラウド管理モジュールは、冗長サイトにある要冗長化クラウドアプリケーションを完全かつ迅速に復旧してもよい、それによって、クラウドアプリケーションに基づいた冗長化を実施している。従来技術における仮想マシン単位に基づいた冗長化の様式とは異なり、本発明の実施形態は、アプリケーションレベルで冗長化に関する設定および復旧を実施して、仮想マシン単位に基づいた冗長化に起因する起こり得る問題であって、クラウドアプリケーションを完全かつ迅速に復旧することができないという、問題を回避している。
【００６５】
特定の実施形態1における設定プロセス
図1(a)に示したシステム機構を参照して図5に示したように、冗長化インシデントが稼働サイトにおいて生じた際の設定情報に従って冗長サイトにある要冗長化クラウドアプリケーションを復旧するために、本発明の実施形態によって提供される冗長化方法は、冗長サイトにおいて稼働サイトの要冗長化クラウドアプリケーションを設定するために使用される。方法は、冗長化管理モジュールによって実行されてもよい。方法は、以下を含んでいてもよい。
【００６６】
501: 稼働サイトにあるクラウド管理モジュールから要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得する。
【００６７】
ソース仮想マシンに関する情報は、ソース仮想マシンの識別子および仕様、ソース仮想マシンによって稼働サイトにおいて占有されている第1のストレージユニットに関する情報、ならびにソース仮想マシンのホームネットワークに関する情報を含む。
【００６８】
さらに、バックアップ仮想マシンのホームネットワークに関する情報は、ソース仮想マシンのネットワークアドレスまたはソース仮想マシンの仮想ネットワークアダプタとソースネットワークとの間の関連付けを含む。
【００６９】
例えば、図1(a)に示したシステム機構において、APP1、APP2、およびAPP3を含む、3つのクラウドアプリケーションが、稼働サイトで動作している。稼働サイトにあるクラウド管理モジュールは、各クラウドアプリケーションのトポロジー関係を記憶していてもよい、ここで、クラウドアプリケーションのトポロジー関係をクラウドアプリケーションの第1のディスクリプション情報を使用して表現してもよい。例として、クラウドアプリケーションAPP1の第1のディスクリプション情報を図6に示す。
【００７０】
APP1が要冗長化クラウドアプリケーションであると決定された場合には、稼働サイトにあるクラウド管理モジュールまたは冗長化管理モジュールは、APP1の第1のディスクリプション情報を取得してもよい。APP1の第1のディスクリプション情報は、表1に示したようなものであってもよく、以下のことを含む。
【００７１】
【表１】
2018077880.tif 000003
【００７２】
1)APP1によって稼働サイトにおいて使用されているソースネットワークに関する情報
ソースネットワークに関する情報は、クラウドアプリケーションを実行中のソース仮想マシンが存在しているサブネット(Subnet)に関する情報、またはクラウドアプリケーションを実行中の仮想マシンが存在している仮想ローカルエリアネットワーク(Virtual Local Area Network、VLAN)に関する情報、またはその両方であってもよい。例えば、
APP1は、Network1およびNetwork2を使用している。
Network1(Subnetアドレス:10.100.35.0/24、VLAN ID=35)
Network2(Subnetアドレス:10.100.36.0/24、VLAN ID=36)
【００７３】
2)APP1によって稼働サイトにおいて使用されているソース仮想マシンの識別子および仕様
ソース仮想マシンの識別子は、稼働サイトによって割り振られ、ユニバーサルユニーク識別子(Universally Unique Identifier、uuid)であってもよいし、ソース仮想マシンの仕様は、プロセッサおよびメモリに関する情報を含む。例えば、稼働サイトがクラウドアプリケーションAPP1を実行するためにソース仮想マシンVM1、VM2、およびVM3を使用している場合には、APP1によって稼働サイトにおいて使用されているソース仮想マシンの識別子および仕様は、以下の通りである。
VM1(uuid=1、2VCPU、60Gメモリ)
VM2(uuid=2、2VCPU、60Gメモリ)
VM3(uuid=3、2VCPU、40Gメモリ)
【００７４】
3)APP1によって使用されているソース仮想マシンによって稼働サイトにおいて占有されている第1のストレージユニットに関する情報
ソース仮想マシンによって稼働サイトにおいて占有されている第1のストレージユニットに関する情報は、単一の仮想マシンのストレージユニットに関する情報であってもよい。例えば、APP1によって使用されているソース仮想マシンによって占有されている第1のストレージユニットに関する情報は、VM1->LUN1およびLUN2、VM2->LUN1、ならびにVM3-> LUN2およびLUN3である、または要冗長化クラウドアプリケーションによって稼働サイトにおいて使用されている第1のストレージユニットに関する全情報であってもよい。例えば、APP1によって使用されているソース仮想マシンによって占有されている第1のストレージユニットに関する情報は、LUN1、LUN2、およびLUN3であり、この場合には、ソース仮想マシンによって稼働サイトにおいて占有されている第1のストレージユニットに関する情報は、ソース仮想マシンとソース仮想マシンによって占有されているストレージユニットとの間の関連付けを含んでいなくてもよい。ソース仮想マシンの識別子はソース仮想マシンによって占有されているストレージユニットに記憶されているので、稼働サイトにあるクラウド管理モジュールまたは冗長サイトは、ソース仮想マシンの識別子に従って、どのLUNのどのディスクファイルがソース仮想マシンによって使用されているかを決定してもよい、すなわち、要冗長化クラウドアプリケーションによって稼働サイトにおいて使用されているソース仮想マシンとソース仮想マシンによって占有されているストレージユニットとの間の関連付けを決定してもよい。
【００７５】
4)APP1によって稼働サイトにおいて使用されているソース仮想マシンのネットワークアドレス
要冗長化クラウドアプリケーションによって稼働サイトにおいて使用されているソース仮想マシンのネットワークアドレスは、特にソース仮想マシンの仮想ネットワークアダプタのIPアドレスであってもよい。例えば、APP1によって使用されているソース仮想マシンのネットワークアドレスは、
VM1-VNIC1->IPアドレス:10.100.35.10/24、
VM2-VNIC2->IPアドレス:10.100.35.11/24、
VM3-VNIC3->IPアドレス:10.100.35.12/24、
VM3-VNIC3'->IPアドレス:10.100.36.12/24である。
【００７６】
5) APP1によって使用されているソース仮想マシンの仮想ネットワークアダプタとソースネットワークとの間の関連付け
例えば、APP1によって使用されているソース仮想マシンの仮想ネットワークアダプタとソースネットワークとの間の関連付けは、VM1-VNIC1->Network1に接続、VM2-VNIC2->Network2に接続、VM3-VNIC3->Network1に接続、VM3-VNIC3'->Network2に接続である。
【００７７】
前述において、4)および5)は、2つのオプション要素である。APP1のソース仮想マシンのホームネットワークに関する情報は、4)または5)のうちのいずれか1つを含んでいてもよいし、または4)および5)の両方を含んでいてもよい。
【００７８】
特に、稼働サイトにあるクラウド管理モジュールから要冗長化クラウドアプリケーションの第1のディスクリプション情報を取得するステップ501を実施するための次の2つの方法が存在し得る。
【００７９】
1)第1の方法
冗長化管理モジュールは、稼働サイトにあるクラウド管理モジュールに接続されているインターフェースを使用して、稼働サイトにあるクラウド管理モジュールから要冗長化クラウドアプリケーションの第1のディスクリプション情報について問い合わせる、ここで、稼働サイトにあるクラウド管理モジュールは、クラウドアプリケーションの仮想マシンがデプロイされた後に、クラウドアプリケーションの実行中のインスタンスの静的ディスクリプション情報および動的ディスクリプション情報を収集して第1のディスクリプション情報を生成してもよい。
【００８０】
2)第2の方法
冗長化管理モジュールは、稼働サイトにあるクラウド管理モジュールに接続されているインターフェースを使用して稼働サイトにあるクラウド管理モジュールから、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのネットワークアドレスについて問い合わせて、第1のディスクリプション情報を生成する。
【００８１】
特に、第1のディスクリプション情報を生成するステップは、ソース仮想マシンのネットワークアドレスに従って、要冗長化クラウドアプリケーションによって稼働サイトにおいて使用されているソースネットワークに関する情報を決定するステップと、ソース仮想マシンのホームネットワークに関する情報を決定するステップと、ソースネットワークに関する情報、ソース仮想マシンの識別子および仕様、ソース仮想マシンによって稼働サイトにおいて占有されている第1のストレージユニットに関する情報、ならびにソース仮想マシンのホームネットワークに関する情報に従って第1のディスクリプション情報を取得するステップとを含む。例えば、ソース仮想マシンVM1の仮想ネットワークアダプタのIPアドレスが10.100.35.10/24である場合には、IPアドレスのマスクが255.255.255.0であることを取得し得るし、AND演算をIPアドレスとマスクとの間で行い、APP1によって稼働サイトにおいて使用されているSubnetアドレスが10.100.35.0/24であることを取得する、同様に、APP1によって稼働サイトにおいて使用されているSubnetアドレスが、VM2の仮想ネットワークアダプタのIPアドレスおよびVM3の仮想ネットワークアダプタのIPアドレスに別々に基づいて、10.100.35.0/24および10.100.36.0/24であることを取得する、したがって、APP1によって稼働サイトにおいて使用されているソースネットワークに関する情報がNetwork1(Subnetアドレス:10.100.35.0/24)およびNetwork2(Subnetアドレス:10.100.36.0/24)であることを取得することができる。最終的に、要冗長化クラウドアプリケーションによって稼働サイトにおいて使用されているソースネットワークに関する生成情報、ソース仮想マシンの識別子および仕様、ソース仮想マシンによって稼働サイトにおいて占有されている第1のストレージユニットに関する情報、ならびにソース仮想マシンのネットワークアドレスに従って、APP1の第1のディスクリプション情報を、表1に示したように、生成する。
【００８２】
さらに、ソース仮想マシンのホームネットワークに関する情報がソース仮想マシンの仮想ネットワークアダプタとソースネットワークとの間の関連付けを含む場合には、ソース仮想マシンの仮想ネットワークアダプタとソースネットワークとの間の関連付けをソースネットワークに関する情報およびソース仮想マシンのネットワークアドレスに従って決定してもよい。例えば、APP1のソースネットワークに関する情報がNetwork1(Subnetアドレス:10.100.35.0/24、VLAN ID=35)、およびNetwork2(Subnetアドレス:10.100.36.0/24、VLAN ID=36)である場合には、APP1によって使用されているソース仮想マシンのネットワークアドレスVM1-VNIC1->IPアドレス:10.100.35.10/24に従って、ソース仮想マシンの仮想ネットワークアダプタのIPアドレスがネットワークセグメント10.100.35.0/24に属すると決定することができ、そして、VM1-VNIC1がNetwork1に関連付けられていることをさらに決定することができる、同様に、VM2-VNIC2がNetwork1に関連付けられ、VM3-VNIC3がNetwork1に関連付けられ、VM3-VNIC3'がNetwork2に関連付けられていると決定することができる、すなわち、APP1のソース仮想マシンの仮想ネットワークアダプタとソースネットワークとの間の関係を取得する。
【００８３】
502: ソース仮想マシンに関する情報に従って、要冗長化クラウドアプリケーションによって冗長サイトにおいて使用されているバックアップ仮想マシンの識別子および仕様を決定する。
【００８４】
第1のディスクリプション情報を取得した後に、冗長化管理モジュールは、ソース仮想マシンに関する情報において伝達されるソース仮想マシンの識別子および仕様に従って、要冗長化クラウドアプリケーションによって冗長サイトにおいて使用されているバックアップ仮想マシンの識別子および仕様を決定してもよい。特に、要冗長化クラウドアプリケーションを冗長サイトに復旧する場合には、要冗長化クラウドアプリケーションによって稼働サイトにおいて使用されているソース仮想マシンのために、バックアップ仮想マシンを対応するように作成する必要がある。要冗長化クラウドアプリケーションによって冗長サイトにおいて使用されているバックアップ仮想マシンの仕様は、ソース仮想マシンの仕様と同一である。したがって、仮想マシン識別子をソース仮想マシンの識別子に従ってバックアップ仮想マシンに対して設定してもよいし、バックアップ仮想マシンの仕様をソース仮想マシンの仕様に従って決定してもよい、ここで、バックアップ仮想マシンの識別子は、ソース仮想マシンの識別子と同一であっても異なっていてもよい。
【００８５】
例えば、APP1によって使用されている3つのソース仮想マシンの識別子および仕様は、VM1(uuid=1; 2VCPU、60Gメモリ)、VM2(uuid=1; 2VCPU、60Gメモリ)、およびVM3(uuid=1; 2VCPU、40Gメモリ)である。要冗長化クラウドアプリケーションによって冗長サイトにおいて使用されているバックアップ仮想マシンとして3つの仮想マシンを3つのソース仮想マシンに対して対応するように設定してもよい、すなわち、バックアップ仮想マシンVM11'(uuid=11)をVM1(uuid=1)に対して対応するように設定して、バックアップ仮想マシンVM12'(uuid=12)をVM2(uuid=2)に対して対応するように設定して、バックアップ仮想マシンVM13'(uuid=13)をVM3(uuid=3)に対して対応するように設定する。VM11'(uuid=11)、VM12'(uuid=12)、およびVM13'(uuid=13)の仕様が、表1に示したように、VM1(uuid=1)、VM2(uuid=2)、およびVM3(uuid=3)の仕様にそれぞれ一致すると決定されると、バックアップ仮想マシンの識別子および仕様が、VM11'(uuid=11、2VCPU、60Gメモリ)、VM12'(uuid=12、2VCPU、60Gメモリ)、およびVM13'(uuid=13、2VCPU、40Gメモリ)であると決定される。
【００８６】
503: ソース仮想マシンに関する情報に従って、バックアップ仮想マシンによって冗長サイトにおいて占有されている第2のストレージユニットに関する情報を決定する。
【００８７】
第1のディスクリプション情報を取得した後に、冗長化管理モジュールは、ソース仮想マシンに関する情報において伝達される第1のストレージユニットに関する情報に従って第2のストレージユニットに関する情報を決定してもよい。以下の3つのステップを特に含んでいてもよい。
【００８８】
503a: 冗長サイトのアイドルストレージユニットを取得する。
【００８９】
冗長サイトのストレージ管理ソフトウェアは、冗長サイトのストレージノードを管理してもよいし、ストレージノードのすべてのストレージユニットのリソース占有の統計を収集することが可能である。したがって、冗長化管理モジュールは、冗長サイトのストレージ管理ソフトウェアに問い合わせることによってアイドルストレージユニットに関する情報を取得してもよい。例えば、LUN1'からLUN6'が占有されており、LUN7'からLUN15'が占有されていないという、冗長サイトのSANデバイスのLUNリソース占有の統計を、冗長サイトのストレージ管理ソフトウェアが収集している場合には、取得されるアイドルストレージユニットは、LUN7'からLUN15'である。
【００９０】
503b: 冗長サイトのアイドルストレージユニットから第2のストレージユニットを選択する。
【００９１】
冗長化管理モジュールは、第1のストレージユニットに関する情報に従って第2のストレージユニットとして冗長サイトのアイドルストレージユニットからストレージユニットを選択してもよい。例えば、APP1によって使用されているソース仮想マシンによって占有されている第1のストレージユニットがLUN1、LUN2、およびLUN3であり、3つのストレージユニットがアイドルストレージユニットLUN7'からLUN15'まで第2のストレージユニットとして選択される場合には、第2のストレージユニットは、LUN7'、LUN8'、およびLUN9'を含む。
【００９２】
503c: 第1のストレージユニットと第2のストレージユニットとの間の複製関係を作成して、バックアップ仮想マシンによって冗長サイトにおいて占有されている第2のストレージユニットに関する情報を決定する。
【００９３】
第2のストレージユニットを決定した後に、冗長化管理モジュールは、第1のストレージユニットと第2のストレージユニットとの間の複製関係をさらに決定して、複製関係に従って、バックアップ仮想マシンによって冗長サイトにおいて占有されている第2のストレージユニットに関する情報を決定してもよい。特に、要冗長化クラウドアプリケーションによって冗長サイトにおいて使用されているバックアップ仮想マシンの識別子および仕様を決定した後に、冗長化管理モジュールは、ソース仮想マシン識別子とバックアップ仮想マシン識別子との間の対応付けをさらに作成して、ソース仮想マシン識別子とバックアップ仮想マシン識別子との間の対応付け、ソース仮想マシンによって稼働サイトにおいて占有されている第1のストレージユニットに関する情報、および第1のストレージユニットと第2のストレージユニットとの間の複製関係に従って、バックアップ仮想マシンによって冗長サイトにおいて占有されている第2のストレージユニットに関する情報を決定してもよい。例えば、APP1によって使用されているソース仮想マシンによって稼働サイトにおいて占有されている第1のストレージユニットが、VM1->LUN1およびLUN2、VM2->LUN1、ならびにVM3->LUN2およびLUN3であり、APP1によって使用されているバックアップ仮想マシンによって冗長サイトにおいて占有されている第2のストレージユニットが、LUN7'、LUN8'、およびLUN9'であり、ユーザがVM1(uuid=1)->VM11'(uuid=11)、VM2(uuid=2)->VM12'(uuid=12)、およびVM3(uuid=3)->VM13'(uuid=13)に従って(LUN1、LUN2、およびLUN3)と(LUN7'、LUN8'、およびLUN9')との間の複製関係をLUN1->LUN7'、LUN2->LUN8'、およびLUN3->LUN9'というように直接指定し得る場合には、バックアップ仮想マシンによって冗長サイトにおいて占有されている第2のストレージユニットに関する情報が、VM11'(uuid=11)->LUN7'およびLUN8'、VM12'(uuid=12)->LUN7'、ならびにVM13'(uuid=13)->LUN8'およびLUN9'であると決定することができ、第1のストレージ
ユニットと第2のストレージユニットとの間の複製関係をユーザの指定に従って決定してもよい。
【００９４】
バックアップ仮想マシンによって冗長サイトにおいて占有されている第2のストレージユニットに関する情報は、単一の仮想マシンのストレージユニットに関する情報、例えば、VM11'(uuid=11)->LUN7'およびLUN8'、VM12'(uuid=12)->LUN7'、ならびにVM13'(uuid=13)->LUN8'およびLUN9'であってもよい。あるいは、バックアップ仮想マシンによって冗長サイトにおいて占有されている第2のストレージユニットに関する情報は、要冗長化クラウドアプリケーションによって冗長サイトにおいて使用されている第2のストレージユニットに関する全情報、例えば、LUN7'、LUN8'およびLUN9'であってもよく、この場合には、バックアップ仮想マシンによって稼働サイトにおいて占有されている第1のストレージユニットに関する情報が、バックアップ仮想マシンとバックアップ仮想マシンによって占有されているストレージユニットとの間の関連付けを含んでいなくてもよいが、ソース仮想マシン識別子は第2のストレージユニットに記憶されており、バックアップ仮想マシンとバックアップ仮想マシンによって占有されているストレージユニットとの間の関連付けをソース仮想マシン識別子およびバックアップ仮想マシン識別子に従って決定してもよい。
【００９５】
504: 第2のストレージユニットに第1のストレージユニットのデータを複製するように稼働サイトのストレージ管理ソフトウェアおよび冗長サイトのストレージ管理ソフトウェアに指示する。
【００９６】
ステップ503の後に、冗長化管理モジュールは、稼働サイトのストレージ管理ソフトウェアおよび冗長サイトのストレージ管理ソフトウェアに第1のストレージユニットと第2のストレージユニットとの間の複製関係を設定する、その結果、稼働サイトのストレージ管理ソフトウェアおよび冗長サイトのストレージ管理ソフトウェアは、第1のストレージユニットと第2のストレージユニットとの間の複製関係ならびに規定の複製周期および複製様式に従って第2のストレージユニットに第1のストレージユニットのデータを複製することができる。
【００９７】
例えば、APP1によって使用されているソース仮想マシンによって稼働サイトにおいて占有されている第1のストレージユニットは、LUN1、LUN2、およびLUN3であり、APP1によって使用されているバックアップ仮想マシンによって冗長サイトにおいて占有されている第2のストレージユニットは、LUN7'、LUN8'、およびLUN9'であり、(LUN1、LUN2、およびLUN3)と(LUN7'、LUN8'、およびLUN9')との間の複製関係がLUN1->LUN7'、LUN2->LUN8'、およびLUN3->LUN9'であると決定されると、複製関係は、稼働サイトのストレージ管理ソフトウェアおよび冗長サイトに設定される、その結果、稼働サイトのストレージ管理ソフトウェアおよび冗長サイトが、プリセット時間、例えば5分、おきに増分形式で、LUN1、LUN2、およびLUN3のデータをLUN7'、LUN8'、およびLUN9'にそれぞれ複製する。
【００９８】
505: ソースネットワークに関する情報に従って要冗長化クラウドアプリケーションのためにバックアップネットワークに関する情報を構成する。
【００９９】
第1のディスクリプション情報を取得した後に、冗長化管理モジュールは、第1のディスクリプション情報において伝達されるソースネットワークに関する情報に従って要冗長化クラウドアプリケーションのためにバックアップネットワークに関する情報を構成してもよい。特に、ソースネットワークに関する情報は、要冗長化クラウドアプリケーションを実行中のソース仮想マシンが存在しているサブネット(Subnet)、または要冗長化クラウドアプリケーションを実行中のソース仮想マシンが存在している仮想ローカルエリアネットワーク(仮想ローカルエリアネットワーク、VLAN)、またはその両方に関する情報であってもよいので、ソースネットワークに関する情報に従って要冗長化クラウドアプリケーションのためにバックアップネットワークに関する情報を構成するステップは、ソースネットワークのサブネット情報に従って、冗長サイトの未使用のSubnetアドレスにSubnetアドレスを割り振り、それをバックアップネットワークのサブネット情報として使用するステップと、
ソースネットワークのVLAN情報に従って、冗長サイトの未使用のVLAN IDにVLAN IDを割り振り、それをバックアップネットワークのVLAN情報として使用するステップとであってもよい。
【０１００】
この場合には、バックアップネットワークに関する情報は、バックアップネットワークのサブネット情報であってもよいし、またはバックアップネットワークのVLAN情報であってもよいし、またはその両方であってもよい。
【０１０１】
冗長サイトの未使用のSubnetアドレスおよびVLAN IDを、事前に記憶していてもよいし、またはユーザから取得してもよいし、またはルールに従って決定してもよい。APP1のバックアップネットワークを設定するプロセスにおいて、Subnetアドレスおよび/またはVLAN IDは、冗長サイトの未使用のSubnetアドレスおよび/またはVLAN IDから選択され、バックアップネットワークに関する情報としての役割を果たしてもよい。
【０１０２】
例えば、APP1によって使用されているソースネットワークに関する情報は、Network1(Subnetアドレス:10.100.35.0/24、VLAN ID=35)、Network2(Subnetアドレス:10.100.36.0/24、VLAN ID=36)であり、冗長サイトの未使用のネットワークにおける2つのSubnetアドレスおよび2つのVLAN IDは、ユーザ命令に従ってAPP1のバックアップネットワークに関する情報として指定されていてもよい。特に、Network1およびNetwork2のSubnetアドレスに対して指定されている対応するバックアップSubnetアドレスが、10.100.35.0/24->20.200.135.0/24、および10.100.36.0/24->20.200.136.0/24であり、Network1およびNetwork2のVLAN IDに対して指定されている対応するバックアップVLAN IDが、VLAN ID=35->135、およびVLAN ID=36->136である場合には、APP1のバックアップネットワークに関する情報は、network1'(Subnetアドレス:20.200.135.0/24、VLAN ID=135)、network2'(Subnetアドレス:20.200.136.0/24、VLAN ID=136)である。
【０１０３】
その他に、冗長サイトの未使用のSubnetアドレスおよびVLAN IDは、ソースネットワークのSubnetアドレスおよびVLAN IDと一致しているSubnetアドレスおよびVLAN IDを含んでいてもよい。したがって、バックアップネットワークに関する情報は、ソースネットワークに関する情報と同一となるように指定されていてもよい、その結果、ソース仮想マシンのネットワークアドレスは、バックアップ仮想マシンのネットワークアドレスと同一であってもよい、すなわち、要冗長化クラウドアプリケーションは、サービス処理のための稼働サイトおよび冗長サイトにおいて同一のネットワークアドレスを使用することができる。例えば、冗長サイトの未使用のSubnetアドレスが10.100.35.0/24および10.100.36.0/24を含み、冗長サイトの未使用のVLAN IDがVLAN ID=35およびVLAN ID=36を含んでいる場合には、バックアップネットワークに関する情報を、network1'(Subnetアドレス:10.100.135.0/24、VLAN ID=35)、network2'(Subnetアドレス:10.100.136.0/24、VLAN ID=36)というように設定してもよい、その結果、バックアップネットワークnetwork1'およびnetwork2'に関する情報が、ソースネットワークNetwork1およびNetwork2に関する情報と同一となる、したがって、冗長化の期間中、ソース仮想マシンのものと同一であるネットワークアドレスが、バックアップ仮想マシンに割り振られてもよい。
【０１０４】
506: ソース仮想マシンに関する情報およびバックアップネットワークに関する情報に従ってバックアップ仮想マシンのホームネットワークに関する情報を決定する。
【０１０５】
第1のディスクリプション情報を取得した後に、冗長化管理モジュールは、ソース仮想マシンのホームネットワークに関する情報、バックアップ仮想マシンの識別子、およびバックアップネットワークに関する情報をさらに取得して、ソース仮想マシンのホームネットワークに関する情報、バックアップ仮想マシンの識別子、およびバックアップネットワークに関する情報に従ってバックアップ仮想マシンのホームネットワークに関する情報を決定してもよい、ここで、バックアップ仮想マシンのホームネットワークに関する情報は、バックアップ仮想マシンのネットワークアドレス、またはバックアップ仮想マシンの仮想ネットワークアダプタとバックアップネットワークとの間の関連付けを含んでいてもよい。
【０１０６】
ソース仮想マシンのホームネットワークに関する情報は、ソース仮想マシンのネットワークアドレスまたはソース仮想マシンの仮想ネットワークアダプタとソースネットワークとの間の関連付けを含んでいるので、ソース仮想マシンのホームネットワークに関する情報、バックアップ仮想マシンの識別子、およびバックアップネットワークに関する情報に従ってバックアップ仮想マシンのホームネットワークに関する情報を決定するステップは、(1)ソース仮想マシンのホームネットワークに関する情報において伝達されるソース仮想マシンのネットワークアドレスおよびソースネットワークに関する情報に従ってソース仮想マシンの仮想ネットワークアダプタとソースネットワークとの間の関連付けを決定するステップと、ソース仮想マシンの仮想ネットワークアダプタとソースネットワークとの間の関連付け、バックアップ仮想マシンの識別子およびバックアップネットワークに関する情報に従ってバックアップ仮想マシンのネットワークアドレスを決定するステップとを含んでいてもよい、その結果、冗長化の後に、要冗長化クラウドアプリケーションは、指定されたバックアップ仮想マシンのネットワークアドレスを使用することができる、ここで、ソース仮想マシンのネットワークアドレスおよびソースネットワークに関する情報に従ってソース仮想マシンの仮想ネットワークアダプタとソースネットワークとの間の関連付けを決定するステップの個別の実施様態については、ステップ501を参照するものとする、または、
(2)ソース仮想マシンのホームネットワークに関する情報において伝達される、ソース仮想マシンの仮想ネットワークアダプタとソースネットワークとの間の関連付けを取得するステップと、ソース仮想マシンの仮想ネットワークアダプタとソースネットワークとの間の関連付け、バックアップ仮想マシンの識別子、およびバックアップネットワークに関する情報に従ってバックアップ仮想マシンのネットワークアドレスを決定するステップとを含んでいてもよい、または、
(3)ソースネットワークに関する情報およびソース仮想マシンのホームネットワークに関する情報において伝達されるソース仮想マシンのネットワークアドレスに従ってソース仮想マシンの仮想ネットワークアダプタとソースネットワークとの間の関連付けを決定するステップと、バックアップネットワークに関する情報、バックアップ仮想マシンの識別子、およびソース仮想マシンの仮想ネットワークアダプタとソースネットワークとの間の関連付けに従ってバックアップ仮想マシンの仮想ネットワークアダプタとバックアップネットワークとの間の関連付けを決定するステップとを含んでいてもよい、ここで、バックアップ仮想マシンの仮想ネットワークアダプタとバックアップネットワークとの間の関連付けは、事前に決定されていなくてもよい、その代わりに、バックアップ仮想マシンの仮想ネットワークアダプタとバックアップネットワークとの間の関連付けは、冗長化プロセス中にはバックアップネットワークに関する情報およびバックアップ仮想マシンのネットワークアドレスに従って決定される、または、
(4)ソース仮想マシンのホームネットワークに関する情報において伝達される、ソース仮想マシンの仮想ネットワークアダプタとソースネットワークとの間の関連付けを取得するステップと、ソース仮想マシンの仮想ネットワークアダプタとソースネットワークとの間の関連付け、バックアップ仮想マシンの識別子、およびバックアップネットワークに関する情報に従ってバックアップ仮想マシンの仮想ネットワークアダプタとバックアップネットワークとの間の関連付けを決定するステップとを含んでいてもよい。
【０１０７】
さらに、冗長化管理モジュールは、要冗長化クラウドアプリケーションのためにバックアップネットワークに関する情報を構成した後にソースネットワークに関する情報とバックアップネットワークに関する情報との間の対応付けをさらに作成して、要冗長化クラウドアプリケーションによって冗長サイトにおいて使用されているバックアップ仮想マシンの識別子および仕様を決定した後にソース仮想マシンの識別子とバックアップ仮想マシンの識別子との間の対応付けをさらに作成する。したがって、ソース仮想マシンの仮想ネットワークアダプタとソースネットワークとの間の関連付け、バックアップ仮想マシンの識別子、およびバックアップネットワークに関する情報に従ってバックアップ仮想マシンのネットワークアドレスを決定するステップは、特に、バックアップ仮想マシンのネットワークアドレスをソースネットワークに関する情報とバックアップネットワークに関する情報との間の対応付け、ソース仮想マシンの識別子とバックアップ仮想マシンの識別子との間の対応付け、およびソース仮想マシンの仮想ネットワークアダプタとソースネットワークとの間の関連付けに従って決定し得ることであってもよい。例えば、APP1によって稼働サイトにおいて使用されているソース仮想マシンのネットワークアドレスは、VM1-VNIC1->IPアドレス:10.100.35.10/24、VM2-VNIC2->IPアドレス:10.100.35.11/24、VM3-VNIC3->IPアドレス:10.100.35.12/24、およびVM3-VNIC3'->IPアドレス:10.100.36.12/24であり、APP1のために構成されるバックアップネットワークに関する情報は、network1'(Subnetアドレス:20.200.135.0/24)、およびnetwork2'(Subnetアドレス:20.200.136.0/24)である。VM3-VNIC3'->IPアドレス:10.100.36.12/24は、Network2(Subnetアドレス:10.100.36.0/24)に属しているので、Network2に対応するバックアップネットワークnetwork2'(Subnetアドレス:20.200.136.0/24)における1つのIPアドレスが、バックアップ仮想マシンVM13'のネットワークアドレスと
して指定される。VM1-VNIC1->IPアドレス:10.100.35.10/24、VM2-VNIC2->IPアドレス:10.100.35.11/24、およびVM3-VNIC3->IPアドレス:10.100.35.12/24は、Network1(Subnetアドレス:10.100.35.0/24)に属しているので、Network1に対応するバックアップネットワークnetwork1'(Subnetアドレス:20.200.135.0/24)における3つのIPアドレスが、バックアップ仮想マシンVM11'、VM12'、およびVM13'の仮想ネットワークアダプタのIPアドレスとして指定される。そして、APP1によって冗長サイトにおいて使用されているバックアップ仮想マシンのネットワークアドレスは、VM11'-VNIC11->IPアドレス:20.200.135.10/24、VM12'-VNIC12->IPアドレス:20.200.135.11/24、VM13'-VNIC13->IPアドレス:20.200.135.12/24、およびVM3-VNIC13'->IPアドレス:20.200.136.12/24であってもよい。バックアップ仮想マシンのネットワークアドレスは、事前に設定されていなくてもよいが、冗長化プロセス中にはバックアップ仮想マシンの仮想ネットワークアダプタとバックアップネットワークとの間のバックアップネットワークに関する情報および関係に従って割り振られる。
【０１０８】
ソース仮想マシンの仮想ネットワークアダプタとソースネットワークとの間の関連付け、バックアップ仮想マシンの識別子、およびバックアップネットワークに関する情報に従ってバックアップ仮想マシンのホームネットワークに関する情報を決定するステップは、特に、ソースネットワークに関する情報とバックアップネットワークに関する情報との間の対応付け、ソース仮想マシンの識別子とバックアップ仮想マシンの識別子との間の対応付け、およびソース仮想マシンの仮想ネットワークアダプタとソースネットワークとの間の関連付けに従ってバックアップ仮想マシンの仮想ネットワークアダプタとバックアップネットワークとの間の関連付けを決定するステップであってもよい。例えば、APP1のソース仮想マシンの識別子とバックアップ仮想マシンの識別子との間の対応付けは、VM1(uuid=1)->VM11'(uuid=11)、VM2(uuid=2)->VM12'(uuid=12)、およびVM3(uuid=3)->VM13'(uuid=13)であり、APP1のソースネットワークに関する情報とバックアップネットワークに関する情報との間の対応付けは、Network1->network1'、およびNetwork2->network2'であり、APP1によって使用されているソース仮想マシンの仮想ネットワークアダプタとソースネットワークとの間の関連付けは、VM1(uuid=1)-VNIC1->Network1に接続、VM2(uuid=2)-VNIC1->Network2に接続、VM3(uuid=3)-VNIC1->Network1に接続、およびVM3(uuid=3)-VNIC1->Network2に接続である。そして、VM1(uuid=1)->Network1に接続という関連付けに従って、VM11'(uuid=11)-VNIC11がnetwork1'に関連付けられていると決定することができる、同様に、VM12'(uuid=12)-VNIC12がnetwork2'に関連付けられ、VM13'(uuid=13)-VNIC13がnetwork1'に関連付けられ、およびVM13'(uuid=13)-VNIC13'がnetwork2'に関連付けられていると決定することができる、すなわち、APP1によって使用されている仮想ネットワークアダプタとバックアップネットワークとの間の関連付けを取得する。
【０１０９】
507: バックアップネットワークに関する情報、バックアップ仮想マシンの識別子および仕様、第2のストレージユニットに関する情報、ならびにバックアップ仮想マシンのホームネットワークに関する情報に従って第2のディスクリプション情報を取得する。
【０１１０】
冗長化管理モジュールは、第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含み、バックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む、第2のディスクリプション情報を生成してもよい。
【０１１１】
例えば、APP1の第2のディスクリプション情報は、表2に示したようなものであってもよい。
【０１１２】
【表２】
2018077880.tif 000004
【０１１３】
508: 冗長サイトにあるクラウド管理モジュールに第2のディスクリプション情報を登録する。
【０１１４】
冗長化管理モジュールによって、冗長サイトにあるクラウド管理モジュールに第2のディスクリプション情報を登録するステップについての2つの様式が存在し得る。第1の様式では、冗長化管理モジュールは、冗長サイトにあるクラウド管理モジュールに第2のディスクリプション情報を直接登録する、その結果、冗長サイトにあるクラウド管理モジュールが、第2のディスクリプション情報に従って冗長サイトにある要冗長化クラウドアプリケーションを復旧する。第2の様式では、冗長化管理モジュールは、稼働サイトにあるクラウド管理モジュールに第2のディスクリプション情報を送信する、その結果、稼働サイトにあるクラウド管理モジュールが、クラウド管理インターフェースを使用して冗長サイトにあるクラウド管理モジュールに第2のディスクリプション情報を登録する。
【０１１５】
本発明の実施形態において、冗長化管理モジュールは、要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することが可能である。要冗長化クラウドアプリケーションに関する全ディスクリプションを付与する第1のディスクリプション情報に基づいて、冗長サイトにある要冗長化クラウドアプリケーションによって使用されているバックアップネットワークに関する情報および冗長サイトにある要冗長化クラウドアプリケーションによって使用されているバックアップ仮想マシンに関する情報を、要冗長化クラウドアプリケーションに対して設定することができる、すなわち、冗長サイトにある要冗長化クラウドアプリケーションの第2のディスクリプション情報であって、冗長サイトにある要冗長化クラウドアプリケーションのデプロイメントに関する全ディスクリプションを付与する、第2のディスクリプション情報を生成することができる。冗長化管理モジュールは、冗長サイトにあるクラウド管理モジュールに第2のディスクリプション情報を登録する、その結果、冗長サイトにあるクラウド管理モジュールは、冗長サイトに要冗長化クラウドアプリケーションを完全に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０１１６】
特定の実施形態1における復旧プロセス
図1(a)に示したシステム機構を参照して図7に示したように、本発明の実施形態における冗長化方法は、冗長化インシデントが稼働サイトにおいて発生すると、冗長サイトに稼働サイトの要冗長化クラウドアプリケーションを復旧するために使用される。方法は、冗長サイトにあるクラウド管理モジュールによって実行されてもよい。方法は、以下を含んでいてもよい。
【０１１７】
701: 冗長化管理モジュールから登録情報であって、要冗長化クラウドアプリケーションの第2のディスクリプション情報を伝達する、登録情報を受信する。
【０１１８】
冗長サイトにあるクラウド管理モジュールは、冗長化管理モジュールから登録情報を受信して、登録情報において伝達される要冗長化クラウドアプリケーションの第2のディスクリプション情報を取得してもよい、ここで、冗長化管理モジュールからの登録情報は、冗長サイトにあるクラウド管理モジュールに冗長化管理モジュールによって直接登録された登録情報を含む、同様に稼働サイトにあるクラウド管理モジュールを使用して冗長サイトにあるクラウド管理モジュールに冗長化管理モジュールによって登録された登録情報を含んでいてもよい。
【０１１９】
第2のディスクリプション情報は、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含み、要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。例えば、APP1の第2のディスクリプション情報は、表2に示したようなものであってもよい。
【０１２０】
さらに、バックアップ仮想マシンのホームネットワークに関する情報は、バックアップ仮想マシンの仮想ネットワークアダプタとバックアップネットワークとの間の関連付け、またはバックアップ仮想マシンの仮想ネットワークアダプタのネットワークアドレスを含んでいてもよい。
【０１２１】
702: 第2のストレージユニットに第1のストレージユニットのデータを複製することを停止するように冗長サイトのストレージ管理ソフトウェアまたは稼働サイトのストレージ管理ソフトウェアに指示する。
【０１２２】
要冗長化クラウドアプリケーションを冗長サイトに復旧する前に、冗長サイトにあるクラウド管理モジュールは、冗長サイトが第2のストレージユニットに第1のストレージユニットのデータを複製することを停止するように、冗長サイトのストレージ管理ソフトウェアまたは稼働サイトのストレージ管理ソフトウェアをまず設定してもよい、それによって、冗長化の後に、第2のストレージユニットが複製によって第1のストレージユニットのデータを取得し続けることによりデータが上書きされることを回避し、要冗長化クラウドアプリケーションの確実な復旧を保証している。
【０１２３】
ステップ702は、オプションのステップである。ステップ702をステップ701の前に行ってもよいし、またはステップ701の後に行ってもよいし、本発明の実施形態においては限定されない。
【０１２４】
703: 第2のディスクリプション情報内のバックアップネットワークに関する情報に従って、バックアップネットワークを作成するように冗長サイトにある仮想化モジュールに指示する。
【０１２５】
第2のディスクリプション情報を取得した後に、冗長サイトにあるクラウド管理モジュールは、冗長サイトにある仮想化モジュールが、仮想化ネットワーク作成コマンドに従って、要冗長化クラウドアプリケーションによって使用される仮想スイッチを決定して、仮想スイッチのポートグループのためにバックアップネットワークに関する情報を構成することができるように、冗長サイトにある仮想化モジュールに仮想化ネットワーク作成コマンドであって、バックアップネットワークに関する情報を伝達する、仮想化ネットワーク作成コマンドを送信してもよい。特に、冗長サイトにあるクラウド管理モジュールは、冗長サイトにある仮想化モジュールに仮想化ネットワーク作成コマンドであって、バックアップネットワークに関する情報および第2のストレージユニットに関する情報を伝達する、仮想化ネットワーク作成コマンドを送信する。仮想化ネットワーク作成コマンドを受信した後に、仮想化モジュールは、第2のストレージユニットに関する情報に従って、要冗長化クラウドアプリケーションによって冗長サイトにおいて使用されている仮想スイッチを決定して、仮想スイッチのポートグループを指定または作成して、バックアップネットワークと仮想スイッチのポートグループとの間の対応付けを作成して、そして、バックアップネットワークと仮想スイッチのポートグループとの間の対応付けに従って仮想スイッチのポートグループのためのバックアップネットワークに関する情報を構成する、その結果、バックアップネットワークが復旧される。例えば、APP1によって冗長サイトにおいて使用されているバックアップ仮想マシンによって占有されているストレージユニットが、LUN7'、LUN8'、およびLUN9'であると仮定すると、冗長サイトにあるクラウド管理モジュールは、LUN7'、LUN8'、およびLUN9'に関連付けられたコンピューティングノードによって使用されている仮想スイッチから2つの仮想スイッチDVS1'およびDVS2'を選択してもよいし、DVS1'とnetwork1'を対応するように関連付け、DVS2'とnetwork2'を対応するように関連付けるように決定して、そして、決定された対応付けに従って、DVS1'のポートグループにnetwork1'情報(Subnetアドレス:20.200.135.0/24、VLAN ID=135)を登録および設定して、DVS2'のポートグループに対してnetwork2'情報(Subnetアドレス:20.200.136.0/24、VLAN ID=136)を登録および設定するように冗長サイトにある仮想化モジュールに指示する、その結果、APP1によって冗長サイトにおいて使用されているバックアップネットワークnetwork1'およびnetwork2'が復旧される、ここで、network1'およびnetwork2'はまた、同一の仮想スイッチに対応するように関連付けられてもよく、本発明の実施形態においては限定されない。
【０１２６】
さらに、仮想化モジュールがバックアップネットワークを作成した後に、冗長サイトにあるクラウド管理モジュールは、冗長サイトにある仮想化モジュールからバックアップネットワークと仮想スイッチのポートグループとの間の対応付けをさらに取得して、バックアップネットワークに関する情報と仮想スイッチのポートグループとの間の対応付けを記憶してもよい。
【０１２７】
704: 第2のディスクリプション情報内のバックアップ仮想マシンに関する情報に従って、バックアップ仮想マシンを作成するように冗長サイトにある仮想化モジュールに指示する。
【０１２８】
第2のディスクリプション情報を取得した後に、冗長サイトにあるクラウド管理モジュールは、第2のディスクリプション情報内のバックアップ仮想マシンの識別子および仕様、ならびに第2のストレージユニットに関する情報に従って、バックアップ仮想マシンを作成するように冗長サイトにある仮想化モジュールに指示してもよく、冗長サイトにある仮想化モジュールに仮想マシンを作成するためのコマンドであって、バックアップ仮想マシンの識別子および仕様、ならびに第2のストレージユニットに関する情報を伝達する、仮想マシンを作成するためのコマンドを送信するステップと、前述の情報に従って、バックアップ仮想マシンおよびバックアップ仮想マシンの仮想ネットワークアダプタを作成するように冗長サイトにある仮想化モジュールに指示するステップとを含む、ここで、作成されたバックアップ仮想マシンは、第2のストレージユニットを占有する。
【０１２９】
特に、仮想マシンを作成するためのコマンドを受信した後に、冗長サイトにある仮想化モジュールは、仮想マシンを作成するためのコマンドにおいて伝達される第2のストレージユニットに関する情報に従って、バックアップ仮想マシンを作成するために使用されるコンピューティングノードを決定して、コンピューティングノードのリソースを使用してバックアップ仮想マシンの識別子および仕様に従って、バックアップ仮想マシンおよびバックアップ仮想マシンの仮想ネットワークアダプタを作成して、第2のストレージユニットに関する情報に従って、バックアップ仮想マシンが第2のストレージユニットを占有することを指定する。例えば、APP1によって冗長サイトにおいて使用されているバックアップ仮想マシンによって占有されている第2のストレージユニットに関する情報が、VM11'->LUN7'およびLUN8'、VM12'-> LUN7'、ならびにVM13'-> LUN8'およびLUN9'であると仮定すると、冗長サイトにあるクラウド管理モジュールは、LUN7'、LUN8'、およびLUN9'に関連付けられたコンピューティングノードを決定してもよく、そして、コンピューティングノードのリソースを使用するように冗長サイトにある仮想化モジュールに指示してバックアップ仮想マシンおよびバックアップ仮想マシンの仮想ネットワークアダプタVM11'(uuid=11; 2VCPU、60Gメモリ、VNIC11)、VM12'(uuid=12; 2VCPU、60Gメモリ、VNIC12)、およびVM13'(uuid=13; 2VCPU、40Gメモリ、VNIC13およびVNIC13')を作成し、第2のストレージユニットに関する情報に従って、VM11'がストレージユニットLUN7'およびLUN8'を占有し、VM12'がストレージユニットLUN7'を占有し、VM13'がストレージユニットLUN8'およびLUN9'を占有することを指定する、ここで、コンピューティングノードに作成されたバックアップ仮想マシンVM11'がストレージユニットLUN7'およびLUN8'にアクセスすることができ、VM12'がストレージユニットLUN7'にアクセスすることができ、VM13'がストレージユニットLUN8'およびLUN9'にアクセスすることができることを保証している限りは、コンピューティングノードは、1つ以上であってもよく、本発明の実施形態においては限定されない。
【０１３０】
さらに、冗長サイトにある仮想化モジュールは、作成されたバックアップ仮想マシンの仮想ネットワークアダプタに媒体アクセス制御(Media Access Control、MAC)アドレスをさらに割り振ってもよい。
【０１３１】
705: 第2のディスクリプション情報に従ってバックアップ仮想マシンにネットワークアドレスを割り振る。
【０１３２】
バックアップ仮想マシンが作成された後に、冗長サイトにあるクラウド管理モジュールは、作成されたバックアップ仮想マシンの仮想ネットワークアダプタにネットワークアドレスを割り振るように冗長サイトにある仮想化モジュールまたは冗長サイトの動的ホスト構成プロトコル(Dynamic Host Configuration Protocol、DHCP)サーバに指示してもよい、ここで、ネットワークアドレスは、IPアドレスであってもよい。特に、冗長サイトは、以下の2つの方法を使用してバックアップ仮想マシンの仮想ネットワークアダプタにネットワークアドレスを割り振ってもよい。
【０１３３】
1)第1の方法
冗長サイトにあるクラウド管理モジュールは、バックアップ仮想マシンのネットワークアドレスを決定して、そして、バックアップ仮想マシンの仮想ネットワークアダプタを作成するように冗長サイトにある仮想化モジュールに指示して、そして、バックアップ仮想マシンの仮想ネットワークアダプタにバックアップ仮想マシンのネットワークアドレスを割り振る。特に、冗長化設定プロセスにおいて、ネットワークアドレスが要冗長化クラウドアプリケーションによって使用されているバックアップ仮想マシンに対して設定されていた場合には、バックアップ仮想マシンのホームネットワークに関する情報は、バックアップ仮想マシンのネットワークアドレスを伝達し、冗長サイトにあるクラウド管理モジュールは、バックアップ仮想マシンのホームネットワークに関する情報において伝達されるバックアップ仮想マシンのネットワークアドレスを取得してもよい。冗長化設定プロセスにおいて、ネットワークアドレスが要冗長化クラウドアプリケーションによって使用されているバックアップ仮想マシンに対して設定されていない場合には、冗長サイトにあるクラウド管理モジュールは、バックアップ仮想マシンに対応するバックアップネットワークの未使用のネットワークアドレスから、バックアップネットワークに関する情報およびバックアップ仮想マシンの仮想ネットワークアダプタとバックアップネットワークとの間の関連付けに従ってバックアップ仮想マシンの仮想ネットワークアダプタにネットワークアドレスを割り振ってもよい。
【０１３４】
2)第2の方法
冗長サイトにあるクラウド管理モジュールは、冗長サイトの動的ホスト構成プロトコル(Dynamic Host Configuration Protocol、DHCP)サーバにアドレス割り振り情報を登録してもよい、その結果、DHCPサーバが、登録情報に従って作成されたバックアップ仮想マシンの仮想ネットワークアダプタにネットワークアドレスを割り振る、ここで、アドレス割り振り情報は、バックアップ仮想マシンのネットワークアドレス、バックアップ仮想マシンの仮想ネットワークアダプタの物理アドレス、およびバックアップ仮想マシンのネットワークアドレスとバックアップ仮想マシンの仮想ネットワークアダプタの物理アドレスとの間の関連付けであってもよいし、またはバックアップ仮想マシンに関連付けられているバックアップネットワークに関する情報であってもよい。
【０１３５】
特に、冗長化設定プロセスにおいて、ネットワークアドレスが要冗長化クラウドアプリケーションによって使用されているバックアップ仮想マシンに対して設定されていた場合には、バックアップ仮想マシンのホームネットワークに関する情報は、バックアップ仮想マシンのネットワークアドレスを伝達し、冗長サイトにあるクラウド管理モジュールは、バックアップ仮想マシンの仮想ネットワークアダプタの物理アドレスを取得して、バックアップ仮想マシンのネットワークアドレスとバックアップ仮想マシンの仮想ネットワークアダプタの物理アドレスとの間の関連付けを作成して、そして冗長サイトのDHCPサーバにバックアップ仮想マシンのネットワークアドレス、バックアップ仮想マシンの仮想ネットワークアダプタの物理アドレス、およびバックアップ仮想マシンのネットワークアドレスとバックアップ仮想マシンの仮想ネットワークアダプタの物理アドレスとの間の関連付けを登録してもよい、その結果、冗長サイトのDHCPサーバが、バックアップ仮想マシンの仮想ネットワークアダプタにバックアップ仮想マシンのネットワークアドレスを割り振る。例えば、冗長サイトにあるクラウド管理モジュールは、冗長サイトにある仮想化モジュールからVM11'、VM12'、およびVM13'のMACアドレスを取得して、第2のディスクリプション情報からVM11'、VM12'、およびVM13'の事前に設定されたIPアドレスを取得して、VM11'、VM12'、およびVM13'のMACアドレスとIPアドレスとの間の対応付けを別々に作成して、DHCPサーバに対応付けを登録する、その結果、DHCPサーバは、VM11'、VM12'、およびVM13'を事前に設定されたIPアドレスに割り振ることができる。冗長化設定プロセスにおいて、ネットワークアドレスが要冗長化クラウドアプリケーションによって使用されているバックアップ仮想マシンに対して設定されていない場合には、冗長サイトにあるクラウド管理モジュールは、バックアップネットワークに関する情報およびバックアップ仮想マシンの仮想ネットワークアダプタとバックアップネットワークとの間の関連付けに従って、バックアップ仮想マシンに対応するように関連付けられているバックアップネットワークに関する情報を決定して、冗長サイトのDHCPサーバに、バックアップ仮想マシンに対応するように関連付けられているバックアップネットワークに関する情報を登録する、その結果、冗長サイトのDHCPサーバが、バックアップ仮想マシンに対応するように関連付けられているバックアップネットワークに関する情報に従ってバックアップ仮想マシンの仮想ネットワークアダプタにネットワークアドレスを割り振る。例えば、図1(a)、または図1(b)、または図1(c)に示した冗長サイトにあるクラウド管理モジュールは、VM11'に対応するように関連付けられているネットワークのSubnetアドレスが20.200.135.0/24であり、VM12'に対応するように関連付けられているネットワークのSubnetアドレスが20.200.135.0/24であり、VM13'に対応するように関連付けられているネットワークのSubnetアドレスが20.200.135.0/24および20.200.136.0/24であると決定して、DHCPサーバに、バックアップ仮想マシンに対応するように関連付けられているネットワークのSubnetアドレスを登録する、その結果、DHCPサーバが、VM11'に対応するように関連付けられているネットワークのSubnetアドレスに���ってVM11'に動的IPアドレスを割り振り、VM12'に対応するように関連付けられているネットワークのSubnetアドレスに従ってVM12'に動的IPアドレスを割り振り、VM13'に対応するように関連付けられているネットワークのSubnetアドレスに従ってVM13'に動的IPアドレスを割り振る。
【０１３６】
706: 第2のディスクリプション情報内のバックアップ仮想マシンに関する情報に従って、バックアップネットワークとバックアップ仮想マシンを関連付けるように冗長サイトにある仮想化モジュールに指示する。
【０１３７】
バックアップ仮想マシンおよびバックアップネットワークを作成した後に、冗長サイトにあるクラウド管理モジュールは、バックアップ仮想マシンに関する情報内のバックアップ仮想マシンのホームネットワークに関する情報に従って仮想スイッチとバックアップ仮想マシンの仮想ネットワークアダプタを関連付けるように冗長サイトにある仮想化モジュールに指示してもよい。冗長サイトにあるクラウド管理モジュールがバックアップ仮想マシンのホームネットワークに関する情報に従ってバックアップ仮想マシンの仮想ネットワークアダプタとバックアップネットワークとの間の関連付けを取得し得ることを特に含む、ここで、バックアップ仮想マシンの仮想ネットワークアダプタとバックアップネットワークとの間の関連付けを取得するステップは、バックアップ仮想マシンのホームネットワークに関する情報から直接取得するステップ、またはバックアップ仮想マシンのホームネットワークに関する情報およびバックアップネットワークに関する情報内のバックアップ仮想マシンのネットワークアドレスに従ってバックアップ仮想マシンの仮想ネットワークアダプタとバックアップネットワークとの間の関連付けを決定するステップであってもよい。
【０１３８】
冗長サイトにあるクラウド管理モジュールは、冗長サイトにある仮想化モジュールから、バックアップネットワークに関する情報と仮想スイッチのポートグループとの間の対応付けを取得して、バックアップ仮想マシンの仮想ネットワークアダプタとバックアップネットワークとの間の関連付けおよびバックアップネットワークに関する情報と仮想スイッチのポートグループとの間の対応付けに従ってバックアップ仮想マシンの仮想ネットワークアダプタと仮想スイッチのポートグループとの間の対応付けを決定してもよい。
【０１３９】
冗長サイトにあるクラウド管理モジュールは、仮想スイッチのポートグループとバックアップ仮想マシンの仮想ネットワークアダプタを関連付けるように、バックアップ仮想マシンの仮想ネットワークアダプタと仮想スイッチのポートグループとの間の対応付けに従って、仮想化モジュールに指示する、その結果、バックアップ仮想マシンは、バックアップ仮想マシンのネットワークアドレスに従って、データ伝送のためにバックアップ仮想マシンの仮想ネットワークアダプタに対応するように関連付けられている仮想スイッチのポートグループおよびバックアップネットワークを使用することができる。
【０１４０】
本発明の実施形態において、冗長サイトにあるクラウド管理モジュールは、冗長化管理モジュールから要冗長化クラウドアプリケーションの第2のディスクリプション情報であって、冗長サイトにある要冗長化クラウドアプリケーションのデプロイメントに関する全ディスクリプションを付与する、第2のディスクリプション情報を取得することができる。第2のディスクリプション情報を取得した後に、冗長サイトにあるクラウド管理モジュールは、第2のディスクリプション情報内のバックアップネットワークに関する情報に従って、バックアップネットワークを作成するように冗長サイトにある仮想化モジュールに指示して、第2のディスクリプション情報内のバックアップ仮想マシンの識別子および仕様ならびに第2のストレージユニットに関する情報に従って、バックアップ仮想マシンを作成するように冗長サイトにある仮想化モジュールに指示して、第2のディスクリプション情報内のバックアップ仮想マシンのホームネットワークに関する情報に従ってバックアップネットワークとバックアップ仮想マシンを関連付けて、冗長サイトにある要冗長化クラウドアプリケーションを完全かつ迅速に復旧することができる、それによって、クラウドアプリケーションに基づいた冗長化を実施している。従来技術における仮想マシン単位に基づいた冗長化の様式とは異なり、本発明の実施形態は、アプリケーションレベルでの冗長化を実施して、仮想マシン単位に基づいた冗長化に起因する起こり得る問題であって、クラウドアプリケーションを完全かつ迅速に復旧することができないという、問題を回避している。
【０１４１】
特定の実施形態2における設定プロセス
図1(b)に示したシステム機構を参照して図8に示したように、冗長化インシデントが稼働サイトにおいて生じた際の設定情報に従って冗長サイトにある要冗長化クラウドアプリケーションを復旧するために、本発明の実施形態によって提供される冗長化方法は、冗長サイトにおいて稼働サイトの要冗長化クラウドアプリケーションを設定するために使用される。方法は、稼働サイトにあるクラウド管理モジュールによって実行されてもよい。方法は、以下を含んでいてもよい。
【０１４２】
801: 要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得する。
【０１４３】
稼働サイトにあるクラウド管理モジュールが要冗長化クラウドアプリケーションの第1のディスクリプション情報を取得するための次の2つの方法が存在し得る。
【０１４４】
1)第1の方法
稼働サイトにあるクラウド管理モジュールは、要冗長化クラウドアプリケーションの第1のディスクリプション情報であって、稼働サイトにあるクラウド管理モジュールによって記録された、第1のディスクリプション情報を直接取得する、ここで、稼働サイトにあるクラウド管理モジュールは、クラウドアプリケーションの仮想マシンがデプロイされた後に、クラウドアプリケーションの実行中のインスタンスの静的ディスクリプション情報および動的ディスクリプション情報を収集して第1のディスクリプション情報を生成してもよい。
【０１４５】
2)第2の方法
稼働サイトにあるクラウド管理モジュールは、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのネットワークアドレスに従って第1のディスクリプション情報を生成する、ここで、前述の情報は、稼働サイトにあるクラウド管理モジュールによって記録される。
【０１４６】
第1のディスクリプション情報は、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む。ソース仮想マシンに関する情報は、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのホームネットワークに関する情報を含む。
【０１４７】
さらに、ソース仮想マシンのホームネットワークに関する情報は、ソース仮想マシンのネットワークアドレスまたはソース仮想マシンの仮想ネットワークアダプタとソースネットワークとの間の関連付けを含んでいてもよい。
【０１４８】
802: ソース仮想マシンに関する情報に従って、要冗長化クラウドアプリケーションによって冗長サイトにおいて使用されているバックアップ仮想マシンの識別子および仕様を決定する。
【０１４９】
803: ソース仮想マシンに関する情報に従って、バックアップ仮想マシンによって冗長サイトにおいて占有されている第2のストレージユニットに関する情報を決定する。
【０１５０】
第1のディスクリプション情報を取得した後に、稼働サイトにあるクラウド管理モジュールは、ソース仮想マシンに関する情報において伝達される第1のストレージユニットに関する情報に従って第2のストレージユニットに関する情報を決定してもよい。以下の3つのステップを特に含んでいてもよい。
【０１５１】
803a: 冗長サイトのアイドルストレージユニットを取得する。
【０１５２】
803b: 冗長サイトのアイドルストレージユニットから第2のストレージユニットを選択する。
【０１５３】
803c: 第1のストレージユニットと第2のストレージユニットとの間の複製関係を作成して、バックアップ仮想マシンによって冗長サイトにおいて占有されている第2のストレージユニットに関する情報を決定する。
【０１５４】
804: 第2のストレージユニットに第1のストレージユニットのデータを複製するように稼働サイトのストレージ管理ソフトウェアおよび冗長サイトのストレージ管理ソフトウェアに指示する。
【０１５５】
805: ソースネットワークに関する情報に従って要冗長化クラウドアプリケーションのためにバックアップネットワークに関する情報を構成する。
【０１５６】
806: ソース仮想マシンに関する情報およびバックアップネットワークに関する情報に従ってバックアップ仮想マシンのホームネットワークに関する情報を決定する。
【０１５７】
807: バックアップネットワークに関する情報、バックアップ仮想マシンの識別子および仕様、第2のストレージユニットに関する情報、ならびにバックアップ仮想マシンのホームネットワークに関する情報に従って第2のディスクリプション情報を取得する。
【０１５８】
808: 冗長サイトにあるクラウド管理モジュールに第2のディスクリプション情報を登録する。
【０１５９】
冗長サイトにあるクラウド管理モジュールが第2のディスクリプション情報に従って冗長サイトにある要冗長化クラウドアプリケーションを復旧することができるように、稼働サイトにあるクラウド管理モジュールは、冗長サイトにあるクラウド管理モジュールに第2のディスクリプション情報を直接登録する。
【０１６０】
本発明の実施形態におけるステップ802から807の個別の実施様態はステップ502から507のものと類似しており、詳細を本明細書に繰り返し記載しない。
【０１６１】
本発明の実施形態において、稼働サイトにあるクラウド管理モジュールは、要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することが可能である。要冗長化クラウドアプリケーションに関する全ディスクリプションを付与する第1のディスクリプション情報に基づいて、冗長サイトにある要冗長化クラウドアプリケーションによって使用されているバックアップネットワークに関する情報および冗長サイトにある要冗長化クラウドアプリケーションによって使用されているバックアップ仮想マシンに関する情報を、要冗長化クラウドアプリケーションに対して設定することができる、すなわち、冗長サイトにある要冗長化クラウドアプリケーションの第2のディスクリプション情報を生成することができる。稼働サイトにあるクラウド管理モジュールは、冗長サイトにあるクラウド管理モジュールに第2のディスクリプション情報を登録する、その結果、冗長サイトにあるクラウド管理モジュールは、冗長サイトに要冗長化クラウドアプリケーションを完全に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０１６２】
特定の実施形態2における復旧プロセス
図1(b)に示したシステム機構を参照して図9に示したように、本発明の実施形態における冗長化方法は、冗長化インシデントが稼働サイトにおいて発生すると、冗長サイトに稼働サイトの要冗長化クラウドアプリケーションを復旧するために使用される。方法は、冗長サイトにあるクラウド管理モジュールによって実行されてもよい。方法は、以下を含んでいてもよい。
【０１６３】
901: 稼働サイトにあるクラウド管理モジュールから登録情報であって、要冗長化クラウドアプリケーションの第2のディスクリプション情報を伝達する、登録情報を受信する。
【０１６４】
冗長サイトにあるクラウド管理モジュールは、稼働サイトにあるクラウド管理モジュールから登録情報を受信して、登録情報において伝達される要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得してもよい。要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。
【０１６５】
さらに、バックアップ仮想マシンのホームネットワークに関する情報は、バックアップ仮想マシンの仮想ネットワークアダプタとバックアップネットワークとの間の関連付け、またはバックアップ仮想マシンの仮想ネットワークアダプタのネットワークアドレスを含んでいてもよい。
【０１６６】
902: 第2のストレージユニットに第1のストレージユニットのデータを複製することを停止するように冗長サイトのストレージ管理ソフトウェアまたは稼働サイトのストレージ管理ソフトウェアに指示する。
【０１６７】
ステップ902は、オプションのステップである。ステップ902をステップ901の前に行ってもよいし、またはステップ901の後に行ってもよいし、本発明の実施形態においては限定されない。
【０１６８】
903: 第2のディスクリプション情報内のバックアップネットワークに関する情報に従って、バックアップネットワークを作成するように冗長サイトにある仮想化モジュールに指示する。
【０１６９】
904: 第2のディスクリプション情報内のバックアップ仮想マシンに関する情報に従って、バックアップ仮想マシンを作成するように冗長サイトにある仮想化モジュールに指示する。
【０１７０】
905: 第2のディスクリプション情報に従ってバックアップ仮想マシンにネットワークアドレスを割り振る。
【０１７１】
906: 第2のディスクリプション情報内のバックアップ仮想マシンに関する情報に従って、バックアップネットワークとバックアップ仮想マシンを関連付けるように冗長サイトにある仮想化モジュールに指示する。
【０１７２】
本発明の実施形態におけるステップ902から906の個別の実施様態はステップ702から706のものと類似しており、詳細を本明細書に繰り返し記載しない。
【０１７３】
本発明の実施形態において、冗長サイトにあるクラウド管理モジュールは、稼働サイトにあるクラウド管理モジュールから要冗長化クラウドアプリケーションの第2のディスクリプション情報であって、冗長サイトにある要冗長化クラウドアプリケーションのデプロイメントに関する全ディスクリプションを付与する、第2のディスクリプション情報を取得することができる。第2のディスクリプション情報を取得した後に、冗長サイトにあるクラウド管理モジュールは、第2のディスクリプション情報内のバックアップネットワークに関する情報に従って、バックアップネットワークを作成するように冗長サイトにある仮想化モジュールに指示して、第2のディスクリプション情報内のバックアップ仮想マシンの識別子および仕様ならびに第2のストレージユニットに関する情報に従って、バックアップ仮想マシンを作成するように冗長サイトにある仮想化モジュールに指示して、第2のディスクリプション情報内のバックアップ仮想マシンのホームネットワークに関する情報に従ってバックアップネットワークとバックアップ仮想マシンを関連付けて、冗長サイトにある要冗長化クラウドアプリケーションを完全かつ迅速に復旧することができる、それによって、クラウドアプリケーションに基づいた冗長化を実施している。従来技術における仮想マシン単位に基づいた冗長化の様式とは異なり、本発明の実施形態は、アプリケーションレベルでの冗長化を実施して、仮想マシン単位に基づいた冗長化に起因する起こり得る問題であって、クラウドアプリケーションを完全かつ迅速に復旧することができないという、問題を回避している。
【０１７４】
特定の実施形態3における設定プロセス
図1(b)に示したシステム機構を参照して図10に示したように、要冗長化クラウドアプリケーションを復旧するために、本発明の実施形態によって提供される冗長化方法は、冗長サイトにあるクラウド管理モジュールが設定情報に従って冗長サイトにある要冗長化クラウドアプリケーションを設定することができるように、稼働サイトにある要冗長化クラウドアプリケーションの設定情報を取得するために使用される。方法は、稼働サイトにあるクラウド管理モジュールによって実行されてもよい。方法は、以下を含んでいてもよい。
【０１７５】
1001: 要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得する。
【０１７６】
稼働サイトにあるクラウド管理モジュールが要冗長化クラウドアプリケーションの第1のディスクリプション情報を取得するための次の2つの方法が存在し得る。
【０１７７】
1)第1の方法
稼働サイトにあるクラウド管理モジュールは、要冗長化クラウドアプリケーションの第1のディスクリプション情報であって、稼働サイトにあるクラウド管理モジュールによって記録された、第1のディスクリプション情報を直接取得する、ここで、稼働サイトにあるクラウド管理モジュールは、クラウドアプリケーションの仮想マシンがデプロイされた後に、クラウドアプリケーションの実行中のインスタンスの静的ディスクリプション情報および動的ディスクリプション情報を収集して第1のディスクリプション情報を生成してもよい。
【０１７８】
2)第2の方法
稼働サイトにあるクラウド管理モジュールは、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのネットワークアドレスに従って第1のディスクリプション情報を生成する、ここで、前述の情報は、稼働サイトにあるクラウド管理モジュールによって記録される。
【０１７９】
第1のディスクリプション情報は、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む。ソース仮想マシンに関する情報は、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのホームネットワークに関する情報を含む。
【０１８０】
さらに、ソース仮想マシンのホームネットワークに関する情報は、ソース仮想マシンのネットワークアドレスまたはソース仮想マシンの仮想ネットワークアダプタとソースネットワークとの間の関連付けを含む。
【０１８１】
1002: 冗長サイトにあるクラウド管理モジュールに第1のディスクリプション情報を送信する。
【０１８２】
稼働サイトにあるクラウド管理モジュールは、冗長サイトにあるクラウド管理モジュールに第1のディスクリプション情報を送信してもよい、その結果、冗長サイトにあるクラウド管理モジュールは、要冗長化クラウドアプリケーションに関する全ディスクリプションを付与する第1のディスクリプション情報に基づいて、要冗長化クラウドアプリケーションのために要冗長化クラウドアプリケーションの第2のディスクリプション情報を構成して、要冗長化クラウドアプリケーションを復旧することができる。
【０１８３】
本発明の実施形態において、稼働サイトにあるクラウド管理モジュールは、要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することが可能である。稼働サイトにあるクラウド管理モジュールは、冗長サイトにあるクラウド管理モジュールに第1のディスクリプション情報を送信することが可能である、その結果、冗長サイトにあるクラウド管理モジュールは、要冗長化クラウドアプリケーションに関する全ディスクリプションを付与する第1のディスクリプション情報に基づいて、要冗長化クラウドアプリケーションのために要冗長化クラウドアプリケーションの第2のディスクリプション情報を構成して、第2のディスクリプション情報に従って冗長サイトにある要冗長化クラウドアプリケーションを完全に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０１８４】
特定の実施形態3における復旧プロセス
図1(b)に示したシステム機構を参照して図11に示したように、本発明の実施形態における冗長化方法は、冗長化インシデントが稼働サイトにおいて発生すると冗長サイトに稼働サイトの要冗長化クラウドアプリケーションを復旧するために、冗長サイトにおいて稼働サイトの要冗長化クラウドアプリケーションを設定するために使用される。方法は、冗長サイトにあるクラウド管理モジュールによって実行されてもよい。方法は、以下を含んでいてもよい。
【０１８５】
1101: 稼働サイトにあるクラウド管理モジュールから要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得する。
【０１８６】
冗長サイトにあるクラウド管理モジュールは、稼働サイトにあるクラウド管理モジュールによって送信された要冗長化クラウドアプリケーションの第1のディスクリプション情報を受信してもよい。
【０１８７】
要冗長化クラウドアプリケーションによって稼働サイトにおいて使用されているソース仮想マシンに関する情報は、ソース仮想マシンの識別子および仕様、ソース仮想マシンによって稼働サイトにおいて占有されている第1のストレージユニットに関する情報、ならびにソース仮想マシンのホームネットワークに関する情報を含む。
【０１８８】
ソース仮想マシンのホームネットワークに関する情報は、ソース仮想マシンの仮想ネットワークアダプタとソースネットワークとの間の関連付け、またはソース仮想マシンの仮想ネットワークアダプタのネットワークアドレスを含む。
【０１８９】
1102: 第1のディスクリプション情報に従って、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成する。
【０１９０】
要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。
【０１９１】
クラウド管理モジュールによって、第1のディスクリプション情報に従って要冗長化クラウドアプリケーションの第2のディスクリプション情報を生成するステップは、ソース仮想マシンの識別子および仕様に従ってバックアップ仮想マシンの識別子および仕様を決定するステップと、第1のストレージユニットに関する情報に従って第2のストレージユニットに関する情報を決定するステップと、ソースネットワークに関する情報に従って要冗長化クラウドアプリケーションのためにバックアップネットワークに関する情報を構成するステップと、バックアップ仮想マシンの識別子およびソース仮想マシンのホームネットワークに関する情報に従ってバックアップ仮想マシンのホームネットワークに関する情報を決定するステップとを含む。
【０１９２】
バックアップ仮想マシンのホームネットワークに関する情報は、バックアップ仮想マシンの仮想ネットワークアダプタとバックアップネットワークとの間の関連付け、またはバックアップ仮想マシンの仮想ネットワークアダプタのネットワークアドレスを含んでいてもよい。
【０１９３】
第1のディスクリプション情報に従って要冗長化クラウドアプリケーションの第2のディスクリプション情報を生成するステップの個別の実施様態については、ステップ502から507を参照してもよい。
【０１９４】
1103: 第2のストレージユニットに第1のストレージユニットのデータを複製することを停止するように冗長サイトのストレージ管理ソフトウェアまたは稼働サイトのストレージ管理ソフトウェアに指示する。
【０１９５】
ステップ1103は、オプションのステップである。ステップ1103をステップ1102の前に行ってもよいし、またはステップ1102の後に行ってもよいし、本発明の実施形態においては限定されない。
【０１９６】
1104: 第2のディスクリプション情報内のバックアップネットワークに関する情報に従って、バックアップネットワークを作成するように冗長サイトにある仮想化モジュールに指示する。
【０１９７】
1105: 第2のディスクリプション情報内のバックアップ仮想マシンに関する情報に従って、バックアップ仮想マシンを作成するように冗長サイトにある仮想化モジュールに指示する。
【０１９８】
1106: 第2のディスクリプション情報に従ってバックアップ仮想マシンにネットワークアドレスを割り振る。
【０１９９】
1107: 第2のディスクリプション情報内のバックアップ仮想マシンに関する情報に従って、バックアップネットワークとバックアップ仮想マシンを関連付けるように冗長サイトにある仮想化モジュールに指示する。
【０２００】
本発明の実施形態におけるステップ1103から1107の個別の実施様態はステップ702から706のものと類似しており、詳細を本明細書に繰り返し記載しない。
【０２０１】
本発明の実施形態において、冗長サイトにあるクラウド管理モジュールは、稼働サイトにあるクラウド管理モジュールから要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することが可能であり、要冗長化クラウドアプリケーションに関する全ディスクリプションを付与する第1のディスクリプション情報に基づいて、冗長サイトにある要冗長化クラウドアプリケーションの第2のディスクリプション情報であって、冗長サイトにある要冗長化クラウドアプリケーションのデプロイメントに関する全ディスクリプションを付与する、第2のディスクリプション情報を生成して、第2のディスクリプション情報内のバックアップネットワークに関する情報に従って、バックアップネットワークを作成するように冗長サイトにある仮想化モジュールに指示して、第2のディスクリプション情報内のバックアップ仮想マシンの識別子および仕様ならびに第2のストレージユニットに関する情報に従って、バックアップ仮想マシンを作成するように冗長サイトにある仮想化モジュールに指示して、第2のディスクリプション情報内のバックアップ仮想マシンのホームネットワークに関する情報に従ってバックアップネットワークとバックアップ仮想マシンを関連付けて、冗長サイトにある要冗長化クラウドアプリケーションを完全かつ迅速に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定および復旧を実施して、仮想マシン単位に基づいた冗長化に起因する起こり得る問題であって、クラウドアプリケーションを完全かつ迅速に復旧することができないという、問題を回避している。
【０２０２】
特定の実施形態4における設定プロセス
図1(c)に示したシステム機構を参照して図12に示したように、冗長化インシデントが稼働サイトにおいて生じた際の設定情報に従って冗長サイトにある要冗長化クラウドアプリケーションを復旧するために、本発明の実施形態によって提供される冗長化方法は、冗長サイトにおいて稼働サイトの要冗長化クラウドアプリケーションを設定するために使用される。方法は、稼働サイトにある冗長化管理モジュールによって実行されてもよい。方法は、以下を含んでいてもよい。
【０２０３】
1201: 稼働サイトにあるクラウド管理モジュールから要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得する。
【０２０４】
稼働サイトにある冗長化管理モジュールが稼働サイトにあるクラウド管理モジュールから要冗長化クラウドアプリケーションの第1のディスクリプション情報を取得するための次の2つの方法が存在し得る。
【０２０５】
1)第1の方法
稼働サイトにある冗長化管理モジュールは、稼働サイトにあるクラウド管理モジュールに接続されているインターフェースを使用して、稼働サイトにあるクラウド管理モジュールから要冗長化クラウドアプリケーションの第1のディスクリプション情報について問い合わせる、ここで、稼働サイトにあるクラウド管理モジュールは、クラウドアプリケーションの仮想マシンがデプロイされた後に、クラウドアプリケーションの実行中のインスタンスの静的ディスクリプション情報および動的ディスクリプション情報を収集して第1のディスクリプション情報を生成してもよい。
【０２０６】
2)第2の方法
冗長化管理モジュールは、稼働サイトにあるクラウド管理モジュールに接続されているインターフェースを使用して稼働サイトにあるクラウド管理モジュールから、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのネットワークアドレスを問い合わせて、第1のディスクリプション情報を生成する。
【０２０７】
ソース仮想マシンに関する情報は、ソース仮想マシンの識別子および仕様、ソース仮想マシンによって稼働サイトにおいて占有されている第1のストレージユニットに関する情報、ならびにソース仮想マシンのホームネットワークに関する情報を含む。
【０２０８】
さらに、ソース仮想マシンのホームネットワークに関する情報は、ソース仮想マシンのネットワークアドレスまたはソース仮想マシンの仮想ネットワークアダプタとソースネットワークとの間の関連付けを含む。
【０２０９】
1202: ソース仮想マシンに関する情報に従って、要冗長化クラウドアプリケーションによって冗長サイトにおいて使用されているバックアップ仮想マシンの識別子および仕様を決定する。
【０２１０】
1203: ソース仮想マシンに関する情報に従って、バックアップ仮想マシンによって冗長サイトにおいて占有されている第2のストレージユニットに関する情報を決定する。
【０２１１】
1204: 第2のストレージユニットに第1のストレージユニットのデータを複製するように稼働サイトのストレージ管理ソフトウェアおよび冗長サイトのストレージ管理ソフトウェアに指示する。
【０２１２】
1205: ソースネットワークに関する情報に従って要冗長化クラウドアプリケーションのためにバックアップネットワークに関する情報を構成する。
【０２１３】
1206: ソース仮想マシンに関する情報およびバックアップネットワークに関する情報に従ってバックアップ仮想マシンのホームネットワークに関する情報を決定する。
【０２１４】
1207: バックアップネットワークに関する情報、バックアップ仮想マシンの識別子および仕様、第2のストレージユニットに関する情報、ならびにバックアップ仮想マシンのホームネットワークに関する情報に従って第2のディスクリプション情報を取得する。
【０２１５】
1208: 冗長サイトにある冗長化管理モジュールに第2のディスクリプション情報を送信する。
【０２１６】
稼働サイトにあるクラウド管理モジュールは、冗長サイトにある冗長化管理モジュールに第2のディスクリプション情報を送信してもよい、その結果、冗長サイトにある冗長化管理モジュールは、冗長サイトに第2のディスクリプション情報を登録して、冗長サイトにある要冗長化クラウドアプリケーションを復旧することができる。
【０２１７】
本発明の実施形態におけるステップ1202から1207の個別の実施様態はステップ502から507のものと類似しており、詳細を本明細書に繰り返し記載しない。
【０２１８】
本発明の実施形態において、稼働サイトにある冗長化管理モジュールは、稼働サイトにあるクラウド管理モジュールから要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することが可能である。要冗長化クラウドアプリケーションに関する全ディスクリプションを付与する第1のディスクリプション情報に基づいて、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を要冗長化クラウドアプリケーションに対して設定してもよい、すなわち、冗長サイトにある要冗長化クラウドアプリケーションの第2のディスクリプション情報であって、冗長サイトにある要冗長化クラウドアプリケーションのデプロイメントに関する全ディスクリプションを付与する、第2のディスクリプション情報を生成することができる。稼働サイトにある冗長化管理モジュールは、冗長サイトにある冗長化管理モジュールに第2のディスクリプション情報を送信する、その結果、冗長サイトにある冗長化管理モジュールは、冗長サイトに第2のディスクリプション情報を提供して完全に要冗長化クラウドアプリケーションを復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０２１９】
特定の実施形態5における設定プロセス
図1(c)に示したシステム機構を参照して図13に示したように、冗長化インシデントが稼働サイトにおいて生じた際の設定情報に従って冗長サイトにある要冗長化クラウドアプリケーションを復旧するために、本発明の実施形態によって提供される冗長化方法は、冗長サイトにおいて稼働サイトの要冗長化クラウドアプリケーションの設定情報を冗長サイトに提供するために使用される。方法は、冗長サイトにある冗長化管理モジュールによって実行されてもよい。方法は、以下を含んでいてもよい。
【０２２０】
1301: 稼働サイトにある冗長化管理モジュールから要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得する。
【０２２１】
冗長サイトにある冗長化管理モジュールは、稼働サイトにある冗長化管理モジュールによって送信された第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を受信してもよい。要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。
【０２２２】
さらに、バックアップ仮想マシンのホームネットワークに関する情報は、バックアップ仮想マシンのネットワークアドレスまたはバックアップ仮想マシンの仮想ネットワークアダプタとバックアップネットワークとの間の関連付けを含んでいてもよい。
【０２２３】
1302: 冗長サイトにあるクラウド管理モジュールが第2のディスクリプション情報に従って冗長サイトにある要冗長化クラウドアプリケーションを復旧することができるように、冗長サイトにあるクラウド管理モジュールに第2のディスクリプション情報を登録する。
【０２２４】
本発明の実施形態において、冗長サイトにある冗長化管理モジュールは、稼働サイトにある冗長化管理モジュールから要冗長化クラウドアプリケーションの第2のディスクリプション情報であって、冗長サイトにある要冗長化クラウドアプリケーションのデプロイメントに関する全ディスクリプションを付与する、第2のディスクリプション情報を取得してもよい。冗長サイトにある冗長化管理モジュールは、冗長サイトにあるクラウド管理モジュールに取得した第2のディスクリプション情報を登録してもよい、その結果、冗長サイトにあるクラウド管理モジュールは、冗長サイトにある要冗長化クラウドアプリケーションを完全に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０２２５】
特定の実施形態6における設定プロセス
図1(c)に示したシステム機構を参照して図14に示したように、冗長サイトにある要冗長化クラウドアプリケーションを復旧するために、本発明の実施形態によって提供される冗長化方法は、冗長サイトにある冗長化管理モジュールが設定情報に従って冗長サイトにある要冗長化クラウドアプリケーションを設定することができるように、稼働サイトにある要冗長化クラウドアプリケーションの設定情報を取得するために使用される。方法は、稼働サイトにある冗長化管理モジュールによって実行されてもよい。方法は、以下を含んでいてもよい。
【０２２６】
1401: 稼働サイトにあるクラウド管理モジュールから要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得する。
【０２２７】
要冗長化クラウドアプリケーションの第1のディスクリプション情報を取得するための次の2つの方法が存在し得る。
【０２２８】
1)第1の方法
稼働サイトにある冗長化管理モジュールは、要冗長化クラウドアプリケーションの第1のディスクリプション情報であって、稼働サイトにあるクラウド管理モジュールによって記録された、第1のディスクリプション情報を取得してもよい、ここで、稼働サイトにあるクラウド管理モジュールは、クラウドアプリケーションの仮想マシンがデプロイされた後に、クラウドアプリケーションの実行中のインスタンスの静的ディスクリプション情報および動的ディスクリプション情報を収集して第1のディスクリプション情報を生成してもよい。
【０２２９】
2)第2の方法
稼働サイトにある冗長化管理モジュールは、稼働サイトにあるクラウド管理モジュールから、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのネットワークアドレスを取得して、第1のディスクリプション情報を生成してもよい。
【０２３０】
第1のディスクリプション情報は、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む。ソース仮想マシンに関する情報は、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのホームネットワークに関する情報を含む。
【０２３１】
さらに、ソース仮想マシンのホームネットワークに関する情報は、ソース仮想マシンのネットワークアドレスまたはソース仮想マシンの仮想ネットワークアダプタとソースネットワークとの間の関連付けを含む。
【０２３２】
1402: 冗長サイトにある冗長化管理モジュールに第1のディスクリプション情報を送信する。
【０２３３】
稼働サイトにある冗長化管理モジュールは、冗長サイトにある冗長化管理モジュールに第1のディスクリプション情報を送信してもよい、その結果、冗長サイトにあるクラウド管理モジュールは、要冗長化クラウドアプリケーションに関する全ディスクリプションを付与する第1のディスクリプション情報に基づいて、要冗長化クラウドアプリケーションのために要冗長化クラウドアプリケーションの第2のディスクリプション情報を構成して、冗長サイトにある要冗長化クラウドアプリケーションを復旧することができる。
【０２３４】
本発明の実施形態において、稼働サイトにある冗長化管理モジュールは、要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することが可能である。稼働サイトにある冗長化管理モジュールは、冗長サイトにある冗長化管理モジュールに第1のディスクリプション情報を送信することが可能である、その結果、冗長サイトにある冗長化管理モジュールは、要冗長化クラウドアプリケーションに関する全ディスクリプションを付与する第1のディスクリプション情報に基づいて、要冗長化クラウドアプリケーションのために要冗長化クラウドアプリケーションの第2のディスクリプション情報を構成して、冗長サイトにある要冗長化クラウドアプリケーションを完全に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０２３５】
特定の実施形態7における設定プロセス
図1(c)に示したシステム機構を参照して図15に示したように、冗長化インシデントが稼働サイトにおいて生じた際の設定情報に従って冗長サイトにある要冗長化クラウドアプリケーションを復旧するために、本発明の実施形態によって提供される冗長化方法は、冗長サイトにおいて稼働サイトの要冗長化クラウドアプリケーションを設定するために使用される。方法は、冗長サイトにある冗長化管理モジュールによって実行されてもよい。方法は、以下を含んでいてもよい。
【０２３６】
1501: 要冗長化クラウドアプリケーションの稼働サイトにある冗長化管理モジュールから第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得する。
【０２３７】
冗長サイトにある冗長化管理モジュールは、稼働サイトにある冗長化管理モジュールによって送信された第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を受信してもよい。要冗長化クラウドアプリケーションによって稼働サイトにおいて使用されているソース仮想マシンに関する情報は、ソース仮想マシンの識別子および仕様、ソース仮想マシンによって稼働サイトにおいて占有されている第1のストレージユニットに関する情報、ならびにソース仮想マシンのホームネットワークに関する情報を含む。
【０２３８】
さらに、ソース仮想マシンのホームネットワークに関する情報は、ソース仮想マシンのネットワークアドレスまたはソース仮想マシンの仮想ネットワークアダプタとソースネットワークとの間の関連付けを含む。
【０２３９】
1502: ソース仮想マシンに関する情報に従って、要冗長化クラウドアプリケーションによって冗長サイトにおいて使用されているバックアップ仮想マシンの識別子および仕様を決定する。
【０２４０】
1503: ソース仮想マシンに関する情報に従って、バックアップ仮想マシンによって冗長サイトにおいて占有されている第2のストレージユニットに関する情報を決定する。
【０２４１】
1504: 第2のストレージユニットに第1のストレージユニットのデータを複製するように稼働サイトのストレージ管理ソフトウェアおよび冗長サイトのストレージ管理ソフトウェアに指示する。
【０２４２】
1505: ソースネットワークに関する情報に従って要冗長化クラウドアプリケーションのためにバックアップネットワークに関する情報を構成する。
【０２４３】
1506: ソース仮想マシンに関する情報およびバックアップネットワークに関する情報に従ってバックアップ仮想マシンのホームネットワークに関する情報を決定する。
【０２４４】
1507: バックアップネットワークに関する情報、バックアップ仮想マシンの識別子および仕様、第2のストレージユニットに関する情報、ならびにバックアップ仮想マシンのホームネットワークに関する情報に従って第2のディスクリプション情報を取得する。
【０２４５】
1508: 冗長サイトにあるクラウド管理モジュールに第2のディスクリプション情報を登録する。
【０２４６】
冗長サイトにあるクラウド管理モジュールが第2のディスクリプション情報に従って冗長サイトにある要冗長化クラウドアプリケーションを復旧することができるように、冗長サイトにある冗長化管理モジュールは、冗長サイトにあるクラウド管理モジュールに第2のディスクリプション情報を直接登録する。
【０２４７】
本発明の実施形態におけるステップ1502から1507の個別の実施様態はステップ502から507のものと類似しており、詳細を本明細書に繰り返し記載しない。
【０２４８】
本発明の実施形態において、冗長サイトにある冗長化管理モジュールは、要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することが可能である。要冗長化クラウドアプリケーションに関する全ディスクリプションを付与する第1のディスクリプション情報に基づいて、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を、要冗長化クラウドアプリケーションに対して設定することができる、すなわち、冗長サイトにある要冗長化クラウドアプリケーションの第2のディスクリプション情報であって、冗長サイトにある要冗長化クラウドアプリケーションのデプロイメントに関する全ディスクリプションを付与する、第2のディスクリプション情報を生成することができる。冗長サイトにある冗長化管理モジュールは、冗長サイトにあるクラウド管理モジュールに第2のディスクリプション情報を登録する、その結果、冗長サイトにあるクラウド管理モジュールは、第2のディスクリプション情報に従って冗長サイトに完全に要冗長化クラウドアプリケーションを復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０２４９】
特定の実施形態4から7における復旧プロセス
図1(c)に示したシステム機構を参照して図16に示したように、本発明の実施形態における冗長化方法は、冗長化インシデントが稼働サイトにおいて発生すると、冗長サイトに稼働サイトの要冗長化クラウドアプリケーションを復旧するために使用される。方法は、冗長サイトにあるクラウド管理モジュールによって実行されてもよい。方法は、以下を含んでいてもよい。
【０２５０】
1601: 冗長サイトにある冗長化管理モジュールから登録情報であって、要冗長化クラウドアプリケーションの第2のディスクリプション情報を伝達する、登録情報を受信する。
【０２５１】
冗長サイトにあるクラウド管理モジュールは、冗長サイトにある冗長化管理モジュールから登録情報を受信して、登録情報において伝達される要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得してもよい。要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。
【０２５２】
さらに、バックアップ仮想マシンのホームネットワークに関する情報は、バックアップ仮想マシンの仮想ネットワークアダプタとバックアップネットワークとの間の関連付け、またはバックアップ仮想マシンの仮想ネットワークアダプタのネットワークアドレスを含んでいてもよい。
【０２５３】
1602: 第2のストレージユニットに第1のストレージユニットのデータを複製することを停止するように冗長サイトのストレージ管理ソフトウェアまたは稼働サイトのストレージ管理ソフトウェアに指示する。
【０２５４】
ステップ1602は、オプションのステップである。ステップ1602をステップ1601の前に行ってもよいし、またはステップ1601の後に行ってもよいし、本発明の実施形態においては限定されない。
【０２５５】
1603: 第2のディスクリプション情報内のバックアップネットワークに関する情報に従って、バックアップネットワークを作成するように冗長サイトにある仮想化モジュールに指示する。
【０２５６】
1604: 第2のディスクリプション情報内のバックアップ仮想マシンに関する情報に従って、バックアップ仮想マシンを作成するように冗長サイトにある仮想化モジュールに指示する。
【０２５７】
1605: 第2のディスクリプション情報に従ってバックアップ仮想マシンにネットワークアドレスを割り振る。
【０２５８】
1606: 第2のディスクリプション情報内のバックアップ仮想マシンに関する情報に従って、バックアップネットワークとバックアップ仮想マシンを関連付けるように冗長サイトにある仮想化モジュールに指示する。
【０２５９】
本発明の実施形態におけるステップ1602から1606の個別の実施様態はステップ702から706のものと類似しており、詳細を本明細書に繰り返し記載しない。
【０２６０】
本発明の実施形態において、冗長サイトにあるクラウド管理モジュールは、冗長サイトにある冗長化管理モジュールから要冗長化クラウドアプリケーションの第2のディスクリプション情報であって、冗長サイトにある要冗長化クラウドアプリケーションのデプロイメントに関する全ディスクリプションを付与する、第2のディスクリプション情報を取得することができる。第2のディスクリプション情報を取得した後に、冗長サイトにあるクラウド管理モジュールは、第2のディスクリプション情報内のバックアップネットワークに関する情報に従って、バックアップネットワークを作成するように冗長サイトにある仮想化モジュールに指示して、第2のディスクリプション情報内のバックアップ仮想マシンの識別子および仕様ならびに第2のストレージユニットに関する情報に従って、バックアップ仮想マシンを作成するように冗長サイトにある仮想化モジュールに指示して、第2のディスクリプション情報内のバックアップ仮想マシンのホームネットワークに関する情報に従ってバックアップネットワークとバックアップ仮想マシンを関連付けて、冗長サイトにある要冗長化クラウドアプリケーションを完全かつ迅速に復旧することができる、それによって、クラウドアプリケーションに基づいた冗長化を実施している。従来技術における仮想マシン単位に基づいた冗長化の様式とは異なり、本発明の実施形態は、アプリケーションレベルでの冗長化を実施して、仮想マシン単位に基づいた冗長化に起因する起こり得る問題であって、クラウドアプリケーションを完全かつ迅速に復旧することができないという、問題を回避している。
【０２６１】
冗長化装置
図1(a)、または図1(b)、または図1(c)に示したシステム機構を参照して図17に示したように、冗長化インシデントが稼働サイトにおいて生じた際の設定情報に従って冗長サイトにある要冗長化クラウドアプリケーションを復旧するために、本発明の実施形態における冗長化装置は、冗長サイトにおいて稼働サイトの要冗長化クラウドアプリケーションを設定するために使用される。装置は、図1(b)に示した稼働サイトにあるクラウド管理モジュールであってもよいし、または図1(a)に示した冗長化管理モジュールであってもよいし、または図1(c)に示した稼働サイトにある冗長化管理モジュールまたは冗長サイトにある冗長化管理モジュールであってもよい。装置は、
要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得するように構成される、取得ユニット1701と、
取得ユニット1701によって取得した第1のディスクリプション情報に従って、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成するように構成される、生成ユニット1702と、
冗長サイトが第2のディスクリプション情報に従って要冗長化クラウドアプリケーションを復旧することができるように、生成ユニット1702によって生成された第2のディスクリプション情報を冗長サイトに提供するように構成される、送信ユニット1703とを備えていてもよい。
【０２６２】
本発明の実施形態において、取得ユニット1701は、要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することが可能である。生成ユニット1702は、要冗長化クラウドアプリケーションに関する全ディスクリプションを付与する第1のディスクリプション情報に基づいて、冗長サイトにある要冗長化クラウドアプリケーションの第2のディスクリプション情報であって、冗長サイトにある要冗長化クラウドアプリケーションのデプロイメントに関する全ディスクリプションを付与することもし得る、第2のディスクリプション情報を生成することができる。送信ユニット1703は、冗長サイトに第2のディスクリプション情報を提供することが可能である、その結果、冗長サイトは、第2のディスクリプション情報を取得した後に冗長サイトに要冗長化クラウドアプリケーションを完全に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０２６３】
図1(c)に示したシステム機構を参照して図18に示したように、冗長化インシデントが稼働サイトにおいて生じた際の設定情報に従って冗長サイトにある要冗長化クラウドアプリケーションを復旧するために、本発明の実施形態における冗長化装置は、冗長サイトにおいて稼働サイトの要冗長化クラウドアプリケーションの設定情報を取得するために使用される。装置は冗長サイトにある冗長化管理モジュールであってもよい。装置は、
要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得するように構成される、取得ユニット1801と、
冗長サイトにあるクラウド管理モジュールが第2のディスクリプション情報に従って要冗長化クラウドアプリケーションを復旧することができるように、冗長サイトにあるクラウド管理モジュールに取得ユニット1801によって取得した第2のディスクリプション情報を登録するように構成される、登録ユニット1802とを備える。
【０２６４】
本発明の実施形態において、取得ユニット1801は、要冗長化クラウドアプリケーションの第2のディスクリプション情報であって、冗長サイトにある要冗長化クラウドアプリケーションのデプロイメントに関する全ディスクリプションを付与する、第2のディスクリプション情報を取得することができる。登録ユニット1802は、冗長サイトにある冗長化管理モジュールに第2のディスクリプション情報を登録することができる、その結果、冗長サイトにある冗長化管理モジュールは、第2のディスクリプション情報に従って冗長サイトにある要冗長化クラウドアプリケーションを完全かつ迅速に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定および復旧を実施して、仮想マシン単位に基づいた冗長化に起因する起こり得る問題であって、クラウドアプリケーションを完全かつ迅速に復旧することができないという、問題を回避している。
【０２６５】
図1(a)、または図1(b)、または図1(c)に示したシステム機構を参照して図19に示したように、本発明の実施形態における冗長化装置は、冗長サイトに稼働サイトの要冗長化クラウドアプリケーションを復旧するために使用される。装置は冗長サイトにあるクラウド管理モジュールであってもよい。装置は、
要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得するように構成される、取得ユニット1901と、
取得ユニット1901によって取得した第2のディスクリプション情報に従って冗長サイトにある要冗長化クラウドアプリケーションを復旧するように構成される、復旧ユニット1902とを備える。
【０２６６】
本発明の実施形態において、取得ユニット1901は、図1(b)に示した稼働サイトにあるクラウド管理モジュール、または図1(a)に示した冗長化管理モジュール、または図1(c)に示した稼働サイトにある冗長化管理モジュールから要冗長化クラウドアプリケーションの第2のディスクリプション情報であって、冗長サイトにある要冗長化クラウドアプリケーションのデプロイメントに関する全ディスクリプションを付与する、第2のディスクリプション情報を取得することができる。復旧ユニット1902は、第2のディスクリプション情報に従って冗長サイトにある要冗長化クラウドアプリケーションを完全かつ迅速に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定および復旧を実施して、仮想マシン単位に基づいた冗長化に起因する起こり得る問題であって、クラウドアプリケーションを完全かつ迅速に復旧することができないという、問題を回避している。
【０２６７】
図20に示したシステムは、稼働サイトにあるクラウド管理装置2004、冗長化管理装置2000、および冗長サイトにあるクラウド管理装置2005を備えている、ここで、装置は、冗長化管理装置2000である。冗長化管理装置2000は、取得ユニット2001、生成ユニット2002、および送信ユニット2003を備えており、冗長化インシデントが稼働サイトにおいて生じた際の設定情報に従って冗長サイトにある要冗長化クラウドアプリケーションを復旧するために、装置は、冗長サイトにおいて稼働サイトの要冗長化クラウドアプリケーションを設定するために使用されてもよい。
【０２６８】
取得ユニット2001は、稼働サイトにあるクラウド管理装置2004から要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得するように構成される。ソース仮想マシンに関する情報は、ソース仮想マシンの識別子および仕様、ソース仮想マシンによって稼働サイトにおいて占有されている第1のストレージユニットに関する情報、ならびにソース仮想マシンのホームネットワークに関する情報を含む、ここで、バックアップ仮想マシンのホームネットワークに関する情報は、ソース仮想マシンのネットワークアドレスまたはソース仮想マシンの仮想ネットワークアダプタとソースネットワークとの間の関連付けを含む。
【０２６９】
要冗長化クラウドアプリケーションの第1のディスクリプション情報を取得するための2つの方法が存在し得る。1)第1の方法では、取得ユニット2001は、稼働サイトにあるクラウド管理装置に接続されているインターフェースを使用して、稼働サイトにあるクラウド管理装置から要冗長化クラウドアプリケーションの第1のディスクリプション情報について問い合わせる、ここで、稼働サイトにあるクラウド管理装置は、クラウドアプリケーションの仮想マシンがデプロイされた後に、クラウドアプリケーションの実行中のインスタンスの静的ディスクリプション情報および動的ディスクリプション情報を収集して第1のディスクリプション情報を生成してもよい。2)第2の方法では、取得ユニット2001は、稼働サイトにあるクラウド管理装置に接続されているインターフェースを使用して稼働サイトにあるクラウド管理装置から、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのネットワークアドレスを問い合わせて、第1のディスクリプション情報を生成する。
【０２７０】
生成ユニット2002は、取得ユニット2001によって取得した第1のディスクリプション情報に従って要冗長化クラウドアプリケーションのために、冗長サイトにおいて使用されているバックアップネットワークに関する情報および冗長サイトにおいて使用されているバックアップ仮想マシンに関する情報を設定する、すなわち、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成するように構成される。要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。
【０２７１】
そして、生成ユニット2002は、ソース仮想マシンの識別子および仕様に従ってバックアップ仮想マシンの識別子および仕様を決定して、第1のストレージユニットに関する情報に従って第2のストレージユニットに関する情報を決定して、ソースネットワークに関する情報に従って要冗長化クラウドアプリケーションのためにバックアップネットワークに関する情報を構成して、バックアップ仮想マシンの識別子およびソース仮想マシンのホームネットワークに関する情報に従って、バックアップ仮想マシンのホームネットワークに関する情報であって、バックアップ仮想マシンの仮想ネットワークアダプタとバックアップネットワークとの間の関連付けまたはバックアップ仮想マシンのネットワークアドレスを含み得る、バックアップ仮想マシンのホームネットワークに関する情報を決定するように特に構成される。
【０２７２】
生成ユニット2002は、第1のストレージユニットと第2のストレージユニットとの間の複製関係を作成して、稼働サイトのストレージ管理ソフトウェアおよび冗長サイトのストレージ管理ソフトウェアについての複製関係を設定するようにさらに構成されてもよい、その結果、稼働サイトのストレージ管理ソフトウェアおよび冗長サイトのストレージ管理ソフトウェアは、第1のストレージユニットと第2のストレージユニットとの間の複製関係であって、ユーザの指定に従って決定され得る、第1のストレージユニットと第2のストレージユニットとの間の複製関係ならびに規定の複製周期および複製様式に従って第2のストレージユニットに第1のストレージユニットのデータを複製することができる。
【０２７３】
冗長サイトにあるクラウド管理装置2005が第2のディスクリプション情報に従って冗長サイトにある要冗長化クラウドアプリケーションを復旧することができるように、送信ユニット2003は、冗長サイトにあるクラウド管理装置2005に生成ユニット2002によって生成された第2のディスクリプション情報を登録するように構成される。
【０２７４】
本発明の実施形態において、取得ユニット2001は、稼働サイトにあるクラウド管理装置から要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することが可能である。要冗長化クラウドアプリケーションに関する全ディスクリプションを付与する第1のディスクリプション情報に基づいて、生成ユニット2002は、冗長サイトにおいて使用されているバックアップネットワークに関する情報および冗長サイトにおいて使用されているバックアップ仮想マシンに関する情報を要冗長化クラウドアプリケーションに対して設定することができる、すなわち、冗長サイトにある要冗長化クラウドアプリケーションの第2のディスクリプション情報であって、冗長サイトにある要冗長化クラウドアプリケーションのデプロイメントに関する全ディスクリプションを付与する、第2のディスクリプション情報を生成することができる。送信ユニット2003は、冗長サイトにあるクラウド管理装置に第2のディスクリプション情報を登録することができる、その結果、冗長サイトにあるクラウド管理装置は、第2のディスクリプション情報に従って冗長サイトにある要冗長化クラウドアプリケーションを完全かつ迅速に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０２７５】
図21に示したシステムは、稼働サイトにあるクラウド管理装置2100および冗長サイトにあるクラウド管理装置2104を備えている、ここで、稼働サイトにあるクラウド管理装置2100は、取得ユニット2101、生成ユニット2102、および送信ユニット2103を備えており、冗長化インシデントが稼働サイトにおいて生じた際の設定情報に従って冗長サイトにある要冗長化クラウドアプリケーションを復旧するために、装置は、冗長サイトにおいて稼働サイトの要冗長化クラウドアプリケーションを設定するために使用されてもよい。
【０２７６】
取得ユニット2101は、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得するように構成される。ソース仮想マシンに関する情報は、ソース仮想マシンの識別子および仕様、ソース仮想マシンによって稼働サイトにおいて占有されている第1のストレージユニットに関する情報、ならびにソース仮想マシンのホームネットワークに関する情報を含む。さらに、ソース仮想マシンのホームネットワークに関する情報は、ソース仮想マシンのネットワークアドレスまたはソース仮想マシンの仮想ネットワークアダプタとソースネットワークとの間の関連付けを含む。
【０２７７】
取得ユニット2101が要冗長化クラウドアプリケーションの第1のディスクリプション情報を取得するための次の2つの方法が存在し得る。1)第1の方法では、取得ユニット2101は、要冗長化クラウドアプリケーションの第1のディスクリプション情報であって、稼働サイトにあるクラウド管理装置によって記録された、第1のディスクリプション情報を直接取得する、ここで、稼働サイトにあるクラウド管理装置は、クラウドアプリケーションの仮想マシンがデプロイされた後に、クラウドアプリケーションの実行中のインスタンスの静的ディスクリプション情報および動的ディスクリプション情報を収集して第1のディスクリプション情報を生成してもよい。2)第2の方法では、取得ユニット2101は、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのネットワークアドレスに従って第1のディスクリプション情報を生成する、ここで、前述の情報は、稼働サイトにあるクラウド管理装置によって記録される。
【０２７８】
生成ユニット2102は、取得ユニット2101によって取得した第1のディスクリプション情報に従って要冗長化クラウドアプリケーションのために、冗長サイトにおいて使用されているバックアップネットワークに関する情報および冗長サイトにおいて使用されているバックアップ仮想マシンに関する情報を設定する、すなわち、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成するように構成される。要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。そして、生成ユニット2102は、ソース仮想マシンの識別子および仕様に従ってバックアップ仮想マシンの識別子および仕様を決定して、第1のストレージユニットに関する情報に従って第2のストレージユニットに関する情報を決定して、ソースネットワークに関する情報に従って要冗長化クラウドアプリケーションのためにバックアップネットワークに関する情報を構成して、バックアップ仮想マシンの識別子およびソース仮想マシンのホームネットワークに関する情報に従って、バックアップ仮想マシンのホームネットワークに関する情報であって、バックアップ仮想マシンの仮想ネットワークアダプタとバックアップネットワークとの間の関連付けまたはバックアップ仮想マシンのネットワークアドレスを含み得る、バックアップ仮想マシンのホームネットワークに関する情報を決定するように特に構成される。
【０２７９】
生成ユニット2102は、第1のストレージユニットと第2のストレージユニットとの間の複製関係を作成して、稼働サイトのストレージ管理ソフトウェアおよび冗長サイトのストレージ管理ソフトウェアについての複製関係を設定するようにさらに構成されてもよい、その結果、稼働サイトのストレージ管理ソフトウェアおよび冗長サイトのストレージ管理ソフトウェアは、第1のストレージユニットと第2のストレージユニットとの間の複製関係であって、ユーザの指定に従って決定され得る、第1のストレージユニットと第2のストレージユニットとの間の複製関係ならびに規定の複製周期および複製様式に従って第2のストレージユニットに第1のストレージユニットのデータを複製することができる。
【０２８０】
冗長サイトにあるクラウド管理装置2104が第2のディスクリプション情報に従って冗長サイトにある要冗長化クラウドアプリケーションを復旧することができるように、送信ユニット2103は、冗長サイトにあるクラウド管理装置2104に生成ユニット2102によって生成された第2のディスクリプション情報を登録するように構成される。
【０２８１】
本発明の実施形態において、取得ユニット2101は、要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することが可能である。要冗長化クラウドアプリケーションに関する全ディスクリプションを付与する第1のディスクリプション情報に基づいて、生成ユニット2102は、冗長サイトにおいて使用されているバックアップネットワークに関する情報および冗長サイトにおいて使用されているバックアップ仮想マシンに関する情報を要冗長化クラウドアプリケーションに対して設定することができる、すなわち、冗長サイトにある要冗長化クラウドアプリケーションの第2のディスクリプション情報であって、冗長サイトにある要冗長化クラウドアプリケーションのデプロイメントに関する全ディスクリプションを付与する、第2のディスクリプション情報を生成することができる。送信ユニット2103は、冗長サイトにあるクラウド管理装置に第2のディスクリプション情報を登録することができる、その結果、冗長サイトにあるクラウド管理装置は、第2のディスクリプション情報に従って冗長サイトにある要冗長化クラウドアプリケーションを完全かつ迅速に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０２８２】
図22に示したシステムは、稼働サイトにある冗長化管理装置2200、稼働サイトにあるクラウド管理装置2204、冗長サイトにある冗長化管理装置2205、および冗長サイトにあるクラウド管理装置2206を備えている、ここで、稼働サイトにある冗長化管理装置2205は、取得ユニット2201、生成ユニット2202、および送信ユニット2203を備えていてもよい。冗長化インシデントが稼働サイトにおいて生じた際の設定情報に従って冗長サイトにある要冗長化クラウドアプリケーションを復旧するために、装置は、冗長サイトにおいて稼働サイトの要冗長化クラウドアプリケーションを設定するために使用されてもよい。
【０２８３】
特に、取得ユニット2201は、稼働サイトにあるクラウド管理装置2204から要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得するように構成される。ソース仮想マシンに関する情報は、ソース仮想マシンの識別子および仕様、ソース仮想マシンによって稼働サイトにおいて占有されている第1のストレージユニットに関する情報、ならびにソース仮想マシンのホームネットワークに関する情報を含む。さらに、ソース仮想マシンのホームネットワークに関する情報は、ソース仮想マシンのネットワークアドレスまたはソース仮想マシンの仮想ネットワークアダプタとソースネットワークとの間の関連付けを含む。
【０２８４】
取得ユニット2201が要冗長化クラウドアプリケーションの第1のディスクリプション情報を取得するための次の2つの方法が存在し得る。第1の方法では、取得ユニット2201は、稼働サイトにあるクラウド管理装置2204から要冗長化クラウドアプリケーションの第1のディスクリプション情報を直接取得する、ここで、稼働サイトにあるクラウド管理装置は、クラウドアプリケーションの仮想マシンがデプロイされた後に、クラウドアプリケーションの実行中のインスタンスの静的ディスクリプション情報および動的ディスクリプション情報を収集してクラウド管理装置を生成してもよい。第2の方法では、取得ユニット2201は、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのネットワークアドレスに従って第1のディスクリプション情報を生成する、ここで、前述の情報は、稼働サイトにあるクラウド管理装置2204によって記録される。
【０２８５】
生成ユニット2202は、取得ユニット2201によって取得した第1のディスクリプション情報に従って要冗長化クラウドアプリケーションのために、冗長サイトにおいて使用されているバックアップネットワークに関する情報および冗長サイトにおいて使用されているバックアップ仮想マシンに関する情報を設定する、すなわち、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成するように構成される。要冗長化クラウドアプリケーションによって冗長サイトにおいて使用されているバックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。
【０２８６】
そして、生成ユニット2202は、ソース仮想マシンの識別子および仕様に従ってバックアップ仮想マシンの識別子および仕様を決定して、第1のストレージユニットに関する情報に従って第2のストレージユニットに関する情報を決定して、ソースネットワークに関する情報に従って要冗長化クラウドアプリケーションのためにバックアップネットワークに関する情報を構成して、バックアップ仮想マシンの識別子およびソース仮想マシンのホームネットワークに関する情報に従って、バックアップ仮想マシンのホームネットワークに関する情報であって、バックアップ仮想マシンの仮想ネットワークアダプタとバックアップネットワークとの間の関連付けまたはバックアップ仮想マシンのネットワークアドレスを含み得る、バックアップ仮想マシンのホームネットワークに関する情報を決定するように特に構成される。
【０２８７】
冗長サイトにある冗長化管理装置2205が第2のディスクリプション情報に従って冗長サイトにある要冗長化クラウドアプリケーションを復旧することができるように、送信ユニット2203は、冗長サイトにある冗長化管理装置2205に生成ユニット2202によって生成された第2のディスクリプション情報を送信するように構成される。
【０２８８】
加えて、生成ユニット2202は、第1のストレージユニットと第2のストレージユニットとの間の複製関係を作成して、稼働サイトのストレージ管理ソフトウェアおよび冗長サイトのストレージ管理ソフトウェアについての複製関係を設定するようにさらに構成されてもよい、その結果、稼働サイトのストレージ管理ソフトウェアおよび冗長サイトのストレージ管理ソフトウェアは、第1のストレージユニットと第2のストレージユニットとの間の複製関係であって、ユーザの指定に従って決定され得る、第1のストレージユニットと第2のストレージユニットとの間の複製関係ならびに規定の複製周期および複製様式に従って第2のストレージユニットに第1のストレージユニットのデータを複製することができる。
【０２８９】
本発明の実施形態において、取得ユニット2201は、稼働サイトにあるクラウド管理装置2204から要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することが可能である。要冗長化クラウドアプリケーションに関する全ディスクリプションを付与する第1のディスクリプション情報に基づいて、生成ユニット2202は、冗長サイトにおいて使用されているバックアップネットワークに関する情報および冗長サイトにおいて使用されているバックアップ仮想マシンに関する情報を要冗長化クラウドアプリケーションに対して設定することができる、すなわち、冗長サイトにある要冗長化クラウドアプリケーションの第2のディスクリプション情報であって、冗長サイトにある要冗長化クラウドアプリケーションのデプロイメントに関する全ディスクリプションを付与する、第2のディスクリプション情報を生成することができる。送信ユニット2203は、冗長サイトにある冗長化管理装置2205に第2のディスクリプション情報を送信することができる、その結果、冗長サイトにある冗長化管理装置は、冗長サイトに第2のディスクリプション情報を提供して、要冗長化クラウドアプリケーションを完全かつ迅速に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０２９０】
図23に示したシステムは、稼働サイトにある冗長化管理装置2304、稼働サイトにあるクラウド管理装置2303、冗長サイトにある冗長化管理装置2300、および冗長サイトにあるクラウド管理装置2305を備えている、ここで、冗長化管理装置2300は、取得ユニット2301および登録ユニット2302を備えていてもよい。冗長化インシデントが稼働サイトにおいて生じた際の設定情報に従って冗長サイトにある要冗長化クラウドアプリケーションを復旧するために、装置は、冗長サイトにおいて稼働サイトの要冗長化クラウドアプリケーションを設定するために使用されてもよい。
【０２９１】
特に、取得ユニット2301は、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得するように構成される。バックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。さらに、バックアップ仮想マシンのホームネットワークに関する情報は、バックアップ仮想マシンのネットワークアドレスまたはバックアップ仮想マシンの仮想ネットワークアダプタとバックアップネットワークとの間の関連付けを含む。
【０２９２】
取得ユニット2301は、稼働サイトにある冗長化管理装置2301によって送信された要冗長化クラウドアプリケーションの第2のディスクリプション情報を受信してもよいし、同様に稼働サイトにある冗長化管理装置2301によって送信された第1のディスクリプション情報を受信して、第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報に従って第2のディスクリプション情報を生成してもよい。ソース仮想マシンに関する情報は、ソース仮想マシンの識別子および仕様、ソース仮想マシンによって稼働サイトにおいて占有されている第1のストレージユニットに関する情報、ならびにソース仮想マシンのホームネットワークに関する情報を含む。そして、第1のディスクリプション情報に従って第2のディスクリプション情報を生成するステップは、ソース仮想マシンの識別子および仕様に従ってバックアップ仮想マシンの識別子および仕様を決定するステップと、第1のストレージユニットに関する情報に従って、バックアップ仮想マシンによって冗長サイトにおいて占有されている第2のストレージユニットに関する情報を決定するステップと、ソースネットワークに関する情報に従って要冗長化クラウドアプリケーションのためにバックアップネットワークに関する情報を構成するステップと、バックアップネットワークに関する情報、バックアップ仮想マシンの識別子、およびソース仮想マシンのホームネットワークに関する情報に従ってバックアップ仮想マシンのホームネットワークに関する情報を決定するステップとを含む。
【０２９３】
ソース仮想マシンのホームネットワークに関する情報は、ソース仮想マシンのネットワークアドレスまたはソース仮想マシンの仮想ネットワークアダプタとソースネットワークとの間の関連付けを含んでいてもよい。
【０２９４】
冗長サイトにあるクラウド管理装置2305が第2のディスクリプション情報に従って冗長サイトにある要冗長化クラウドアプリケーションを復旧することができるように、登録ユニット2302は、冗長サイトにあるクラウド管理装置2305に取得ユニット2301によって取得した第2のディスクリプション情報を登録するように構成される。
【０２９５】
本発明の実施形態において、取得ユニット2301は、要冗長化クラウドアプリケーションの第2のディスクリプション情報であって、冗長サイトにある要冗長化クラウドアプリケーションのデプロイメントに関する全ディスクリプションを付与する、第2のディスクリプション情報を取得することが可能である。冗長サイトにある冗長化管理装置は、冗長サイトにあるクラウド管理装置2305に第2のディスクリプション情報を登録することができる、その結果、冗長サイトにあるクラウド管理装置2305は、第2のディスクリプション情報に従って冗長サイトにある要冗長化クラウドアプリケーションを完全かつ迅速に復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定を実施して、仮想マシン単位に基づいた冗長化に起因する起こり得る問題であって、クラウドアプリケーションを完全かつ迅速に復旧することができないという、問題を回避している。
【０２９６】
図1(a)、または図1(b)、または図1(c)に示したシステム機構を参照して図24に示したように、本発明の実施形態における冗長化装置は、冗長サイトに稼働サイトの要冗長化クラウドアプリケーションを復旧するために使用される。装置は、決定ユニット2401および復旧ユニット2402を備えていてもよい。
【０２９７】
決定ユニット2401は、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を取得するように構成される。バックアップ仮想マシンに関する情報は、バックアップ仮想マシンの識別子および仕様、バックアップ仮想マシンによって冗長サイトにおいて占有されている第2のストレージユニットに関する情報、ならびにバックアップ仮想マシンのホームネットワークに関する情報を含む。例えば、APP1の第2のディスクリプション情報は、表2に示したようなものであってもよい。さらに、バックアップ仮想マシンのホームネットワークに関する情報は、バックアップ仮想マシンの仮想ネットワークアダプタとバックアップネットワークとの間の関連付け、またはバックアップ仮想マシンの仮想ネットワークアダプタのネットワークアドレスを含んでいてもよい。決定ユニット2401が要冗長化クラウドアプリケーションの第2のディスクリプション情報を取得するための2つの方法が存在し得る。
【０２９８】
1)第1の方法
図1(b)に示したシステム機構において、決定ユニット2401は、稼働サイトにあるクラウド管理モジュールから登録情報を受信して、登録情報において伝達される要冗長化クラウドアプリケーションの第2のディスクリプション情報を取得するように構成される。
【０２９９】
図1(a)に示したシステム機構において、決定ユニット2401は、冗長化管理モジュールから登録情報を受信して、登録情報において伝達される要冗長化クラウドアプリケーションの第2のディスクリプション情報を取得するように構成される。
【０３００】
図1(c)に示したシステム機構において、決定ユニット2401は、冗長サイトにある冗長化管理モジュールから登録情報を受信して、登録情報において伝達される要冗長化クラウドアプリケーションの第2のディスクリプション情報を取得するように構成される。
【０３０１】
2)第2の方法
図1(a)、または図1(b)、または図1(c)に示したシステム機構において、決定ユニット2401は、要冗長化クラウドアプリケーションの第1のディスクリプション情報を取得して、第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報に従って第2のディスクリプション情報を生成する。ソース仮想マシンに関する情報は、要冗長化クラウドアプリケーションによって稼働サイトにおいて使用されているソース仮想マシンの識別子および仕様、ソース仮想マシンによって稼働サイトにおいて占有されている第1のストレージユニットに関する情報、ならびにソース仮想マシンのホームネットワークに関する情報を含む。ソース仮想マシンのホームネットワークに関する情報は、ソース仮想マシンのネットワークアドレス、またはソース仮想マシンの仮想ネットワークアダプタとソースネットワークとの間の関連付けを含む。
【０３０２】
復旧ユニット2402は、決定ユニット2401によって取得した第2のディスクリプション情報に従って冗長サイトにある要冗長化クラウドアプリケーションを復旧するように構成される。復旧ユニット2402は、第1の復旧ユニット2402a、第2の復旧ユニット2402b、および第3の復旧ユニット2402cを特に備えている、ここで、第1の復旧ユニット2402aは、バックアップネットワークに関する情報に従って、バックアップネットワークを作成するように冗長サイトにある仮想化モジュールに指示するように構成され、第2の復旧ユニット2402bは、バックアップ仮想マシンの識別子および仕様ならびに第2のストレージユニットに関する情報に従って、バックアップ仮想マシンを作成するように冗長サイトにある仮想化モジュールに指示するように構成され、第3の復旧ユニット2402cは、バックアップネットワークとバックアップ仮想マシンを関連付けるように、バックアップ仮想マシンのホームネットワークに関する情報に従って、冗長サイトにある仮想化モジュールに指示するように構成される。
【０３０３】
特に、決定ユニット2401が第2のディスクリプション情報を取得した後に、第1の復旧ユニット2402aは、冗長サイトにある仮想化モジュールが、仮想化ネットワーク作成コマンドに従って、要冗長化クラウドアプリケーションによって使用される仮想スイッチを決定して、仮想スイッチのポートグループのためにバックアップネットワークに関する情報を構成することができるように、冗長サイトにある仮想化モジュールに仮想化ネットワーク作成コマンドであって、バックアップネットワークに関する情報を伝達する、仮想化ネットワーク作成コマンドを送信してもよい。特に、冗長サイトにあるクラウド管理モジュールは、冗長サイトにある仮想化モジュールに仮想化ネットワーク作成コマンドであって、バックアップネットワークに関する情報および第2のストレージユニットに関する情報を伝達する、仮想化ネットワーク作成コマンドを送信する。仮想化ネットワーク作成コマンドを受信した後に、仮想化モジュールは、第2のストレージユニットに関する情報に従って、要冗長化クラウドアプリケーションによって冗長サイトにおいて使用されている仮想スイッチを決定して、バックアップネットワークに関する情報に従って仮想スイッチのポートグループを指定または作成して、バックアップネットワークと仮想スイッチのポートグループとの間の対応付けを作成して、そして、バックアップネットワークと仮想スイッチのポートグループとの間の対応付けに従って仮想スイッチのポートグループのためのバックアップネットワークに関する情報を構成する、その結果、バックアップネットワークが復旧される。仮想化モジュールがバックアップネットワークを作成した後に、第1の復旧ユニット2402aは、冗長サイトにある仮想化モジュールから、バックアップネットワークと仮想スイッチのポートグループとの間の対応付けを取得して、バックアップネットワークに関する情報と仮想スイッチのポートグループとの間の対応付けを記憶するようにさらに構成される。
【０３０４】
決定ユニット2401が第2のディスクリプション情報を取得した後に、第2の復旧ユニット2402bが、バックアップ仮想マシンの識別子および仕様および第2のディスクリプション情報内の第2のストレージユニットに関する情報に従って、バックアップ仮想マシンを作成するように冗長サイトにある仮想化モジュールに指示し得ることは、冗長サイトにある仮想化モジュールに仮想マシンを作成するためのコマンドであって、バックアップ仮想マシンの識別子および仕様ならびに第2のストレージユニットに関する情報を伝達する、仮想マシンを作成するためのコマンドを送信するステップと、前述の情報に従ってバックアップ仮想マシンおよびバックアップ仮想マシンの仮想ネットワークアダプタを作成するように冗長サイトにある仮想化モジュールに指示するステップとを含む。
【０３０５】
第1の復旧ユニット2402aがバックアップネットワークを作成して、第2の復旧ユニット2402bがバックアップ仮想マシンを作成した後に、第3の復旧ユニット2402cが、仮想スイッチとバックアップ仮想マシンの仮想ネットワークアダプタを関連付けるようにバックアップ仮想マシンのホームネットワークに関する情報に従って、冗長サイトにある仮想化モジュールに指示し得ることは、第3の復旧ユニット2402cが、バックアップ仮想マシンのホームネットワークに関する情報に従ってバックアップ仮想マシンの仮想ネットワークアダプタとバックアップネットワークとの間の関連付けを取得し得ることを特に含む、ここで、バックアップ仮想マシンの仮想ネットワークアダプタとバックアップネットワークとの間の関連付けを取得することは、バックアップ仮想マシンのホームネットワークに関する情報からバックアップ仮想マシンの仮想ネットワークアダプタとバックアップネットワークとの間の関連付けを直接取得することであってもよいし、またはバックアップ仮想マシンのホームネットワークに関する情報内にあるバックアップ仮想マシンのネットワークアドレスおよびバックアップネットワークに関する情報に従ってバックアップ仮想マシンの仮想ネットワークアダプタとバックアップネットワークとの間の関連付けを決定することであってもよい。第3の復旧ユニット2402cは、第1の復旧ユニット2402aからバックアップネットワークに関する情報と仮想スイッチのポートグループとの間の対応付けを取得して、バックアップ仮想マシンの仮想ネットワークアダプタとバックアップネットワークとの間の関連付けおよびバックアップネットワークに関する情報と仮想スイッチのポートグループとの間の対応付けに従ってバックアップ仮想マシンの仮想ネットワークアダプタと仮想スイッチのポートグループとの間の対応付けを決定してもよい。第3の復旧ユニット2402cは、仮想スイッチのポートグループとバックアップ仮想マシンの仮想ネットワークアダプタを関連付けるように、バックアップ仮想マシンの仮想ネットワークアダプタと仮想スイッチのポートグループとの間の対応付けに従って、仮想化モジュールに指示する、その結果、バックアップ仮想マシンは、バックアップ仮想マシンのネットワークアドレスに従って、データ伝送のためにバックアップ仮想マシンの仮想ネットワークアダプタに対応するように関連付けられている仮想スイッチのポートグループおよびバックアップネットワークを使用することができる。
【０３０６】
さらに、装置は、
復旧ユニット2402が冗長サイトにある要冗長化クラウドアプリケーションを復旧する前に、冗長サイトが第2のストレージユニットに第1のストレージユニットのデータを複製することを停止するように、冗長サイトのストレージ管理ソフトウェアまたは稼働サイトのストレージ管理ソフトウェアを設定して、それによって、冗長化の後に、第2のストレージユニットが複製によって第1のストレージユニットのデータを取得し続けることによりデータが上書きされることを回避し、要冗長化クラウドアプリケーションの確実な復旧を保証するように構成される、停止ユニット2403をさらに備えていてもよい。
【０３０７】
本発明の実施形態において、決定ユニット2401は、要冗長化クラウドアプリケーションの第2のディスクリプション情報であって、冗長サイトにある要冗長化クラウドアプリケーションのデプロイメントに関する全ディスクリプションを付与する、第2のディスクリプション情報を取得することができる。決定ユニット2401が第2のディスクリプション情報を取得した後に、復旧ユニット2402は、第2のディスクリプション情報内のバックアップネットワークに関する情報に従って、バックアップネットワークを作成するように冗長サイトにある仮想化モジュールに指示して、第2のディスクリプション情報内のバックアップ仮想マシンの識別子および仕様ならびに第2のストレージユニットに関する情報に従って、バックアップ仮想マシンを作成するように冗長サイトにある仮想化モジュールに指示して、第2のディスクリプション情報内のバックアップ仮想マシンのホームネットワークに関する情報に従ってバックアップネットワークとバックアップ仮想マシンを関連付けてもよい、それによって、クラウドアプリケーションに基づいた冗長化を実施している。従来技術における仮想マシン単位に基づいた冗長化の様式とは異なり、本発明の実施形態は、アプリケーションレベルでの冗長化を実施して、仮想マシン単位に基づいた冗長化に起因する起こり得る問題であって、クラウドアプリケーションを完全かつ迅速に復旧することができないという、問題を回避している。
【０３０８】
冗長化インシデントが稼働サイトにおいて生じた際の設定情報に従って冗長サイトにある要冗長化クラウドアプリケーションを復旧するために、本発明の実施形態において提供される冗長化システムは、冗長サイトにおいて稼働サイトの要冗長化クラウドアプリケーションを設定するために使用される。図1(a)に示したように、システムは、稼働サイトにあるクラウド管理モジュール105、冗長化管理モジュール120、および冗長サイトにあるクラウド管理モジュール115を備える。
【０３０９】
稼働サイトにあるクラウド管理モジュール105は、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を記録するように構成される。
【０３１０】
冗長化管理モジュール120は、稼働サイトにあるクラウド管理モジュールから第1のディスクリプション情報を取得して、第1のディスクリプション情報に従って、要冗長化クラウドアプリケーションの第2のディスクリプション情報であって、要冗長化クラウドアプリケーションによって冗長サイトにおいて使用されているバックアップネットワークに関する情報、および要冗長化クラウドアプリケーションによって冗長サイトにおいて使用されているバックアップ仮想マシンに関する情報を含む、第2のディスクリプション情報を生成して、冗長サイトにあるクラウド管理モジュール115に第2のディスクリプション情報を登録するように構成される。
【０３１１】
冗長サイトにあるクラウド管理モジュール115は、登録情報であって、第2のディスクリプション情報を伝達する、登録情報を受信して、第2のディスクリプション情報に従って冗長サイトにある要冗長化クラウドアプリケーションを復旧するように構成される。
【０３１２】
本発明の実施形態において、冗長化管理モジュール120は、稼働サイトにあるクラウド管理モジュール105から第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得してもよい。要冗長化クラウドアプリケーションに関する全ディスクリプションを付与する第1のディスクリプション情報に基づいて、冗長サイトにある要冗長化クラウドアプリケーションの第2のディスクリプション情報であって、冗長サイトにある要冗長化クラウドアプリケーションのデプロイメントに関する全ディスクリプションを付与することもし得る、第2のディスクリプション情報を生成することができる。冗長化管理モジュール120は、冗長サイトにあるクラウド管理モジュール115に第2のディスクリプション情報を送信することができる。第2のディスクリプション情報を取得した後に、冗長サイトにあるクラウド管理モジュール115は、第2のディスクリプション情報に従って冗長サイトに完全に要冗長化クラウドアプリケーションを復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定および復旧を実施して、仮想マシン単位に基づいた冗長化に起因する起こり得る問題であって、クラウドアプリケーションを完全かつ迅速に復旧することができないという、問題を回避している。
【０３１３】
冗長化インシデントが稼働サイトにおいて生じた際の設定情報に従って冗長サイトにある要冗長化クラウドアプリケーションを復旧するために、本発明の実施形態において提供される冗長化システムは、冗長サイトにおいて稼働サイトの要冗長化クラウドアプリケーションを設定するために使用される。図1(b)に示したように、システムは、稼働サイトにあるクラウド管理モジュール105および冗長サイトにあるクラウド管理モジュール115を備える。
【０３１４】
稼働サイトにあるクラウド管理モジュール105は、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得して、第1のディスクリプション情報に従って、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成して、冗長サイトにあるクラウド管理モジュール115に第2のディスクリプション情報を登録するように構成される。
【０３１５】
冗長サイトにあるクラウド管理モジュール115は、登録情報であって、第2のディスクリプション情報を伝達する、登録情報を受信して、第2のディスクリプション情報に従って冗長サイトにある要冗長化クラウドアプリケーションを復旧するように構成される。
【０３１６】
本発明の実施形態において、稼働サイトにあるクラウド管理モジュール105は、第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することができる。要冗長化クラウドアプリケーションに関する全ディスクリプションを付与する第1のディスクリプション情報に基づいて、冗長サイトにある要冗長化クラウドアプリケーションの第2のディスクリプション情報であって、冗長サイトにある要冗長化クラウドアプリケーションのデプロイメントに関する全ディスクリプションを付与することもし得る、第2のディスクリプション情報を生成することができる。稼働サイトにあるクラウド管理モジュール105は、冗長サイトにあるクラウド管理モジュール115に第2のディスクリプション情報を送信することができる。第2のディスクリプション情報を取得した後に、冗長サイトにあるクラウド管理モジュール115は、第2のディスクリプション情報に従って冗長サイトに完全に要冗長化クラウドアプリケーションを復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定および復旧を実施して、仮想マシン単位に基づいた冗長化に起因する起こり得る問題であって、クラウドアプリケーションを完全かつ迅速に復旧することができないという、問題を回避している。
【０３１７】
冗長化インシデントが稼働サイトにおいて生じた際の設定情報に従って冗長サイトにある要冗長化クラウドアプリケーションを復旧するために、本発明の実施形態において提供される冗長化システムは、冗長サイトにおいて稼働サイトの要冗長化クラウドアプリケーションを設定するために使用される。図1(b)に示したように、システムは、稼働サイトにあるクラウド管理モジュール105および冗長サイトにあるクラウド管理モジュール115を備える。
【０３１８】
稼働サイトにあるクラウド管理モジュール105は、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を取得して、冗長サイトにあるクラウド管理モジュール115に第1のディスクリプション情報を送信するように構成される。
【０３１９】
冗長サイトにあるクラウド管理モジュール115は、第1のディスクリプション情報を受信して、第1のディスクリプション情報に従って、要冗長化クラウドアプリケーションの第2のディスクリプション情報であって、要冗長化クラウドアプリケーションによって冗長サイトにおいて使用されているバックアップネットワークに関する情報、および要冗長化クラウドアプリケーションによって冗長サイトにおいて使用されているバックアップ仮想マシンに関する情報を含む、第2のディスクリプション情報を生成して、第2のディスクリプション情報に従って冗長サイトにある要冗長化クラウドアプリケーションを復旧するように構成される。本発明の実施形態において、冗長サイトにあるクラウド管理モジュール115は、稼働サイトにあるクラウド管理モジュール105から要冗長化クラウドアプリケーションの第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することができる。要冗長化クラウドアプリケーションに関する全ディスクリプションを付与する第1のディスクリプション情報に基づいて、冗長サイトにある要冗長化クラウドアプリケーションの第2のディスクリプション情報であって、冗長サイトにある要冗長化クラウドアプリケーションのデプロイメントに関する全ディスクリプションを付与することもし得る、第2のディスクリプション情報を生成することができる。冗長化インシデントが稼働サイトにおいて発生すると、冗長サイトにあるクラウド管理モジュール115は、第2のディスクリプション情報に従って冗長サイトに完全に要冗長化クラウドアプリケーションを復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定および復旧を実施して、仮想マシン単位に基づいた冗長化に起因する起こり得る問題であって、クラウドアプリケーションを完全かつ迅速に復旧することができないという、問題を回避している。
【０３２０】
冗長化インシデントが稼働サイトにおいて生じた際の設定情報に従って冗長サイトにある要冗長化クラウドアプリケーションを復旧するために、本発明の実施形態において提供される冗長化システムは、冗長サイトにおいて稼働サイトの要冗長化クラウドアプリケーションを設定するために使用される。図1(c)に示したように、システムは、稼働サイトにあるクラウド管理モジュール105、稼働サイトにある冗長化管理モジュール120、冗長サイトにあるクラウド管理モジュール115、および冗長サイトにある冗長化管理モジュール121を備える。
【０３２１】
稼働サイトにあるクラウド管理モジュール105は、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を記録するように構成される。
【０３２２】
稼働サイトにある冗長化管理モジュール120は、稼働サイトにあるクラウド管理モジュール105から要冗長化クラウドアプリケーションの第1のディスクリプション情報を取得して、第1のディスクリプション情報に従って、要冗長化クラウドアプリケーションの第2のディスクリプション情報であって、要冗長化クラウドアプリケーションによって冗長サイトにおいて使用されているバックアップネットワークに関する情報および要冗長化クラウドアプリケーションによって冗長サイトにおいて使用されているバックアップ仮想マシンに関する情報を含む、第2のディスクリプション情報を生成して、冗長サイトにある冗長化管理モジュール121に第2のディスクリプション情報を送信するように構成される。
【０３２３】
冗長サイトにある冗長化管理モジュール121は、稼働サイトにある冗長化管理モジュール120によって送信された第2のディスクリプション情報を受信して、冗長サイトにあるクラウド管理モジュール115に第2のディスクリプション情報を登録するように構成される。
【０３２４】
冗長サイトにあるクラウド管理モジュール115は、登録情報であって、第2のディスクリプション情報を伝達する、登録情報を受信して、第2のディスクリプション情報に従って冗長サイトにある要冗長化クラウドアプリケーションを復旧するように構成される。
【０３２５】
本発明の実施形態において、稼働サイトにある冗長化管理モジュール120は、稼働サイトにあるクラウド管理モジュール105から第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することができる。要冗長化クラウドアプリケーションに関する全ディスクリプションを付与する第1のディスクリプション情報に基づいて、冗長サイトにある要冗長化クラウドアプリケーションの第2のディスクリプション情報であって、冗長サイトにある要冗長化クラウドアプリケーションのデプロイメントに関する全ディスクリプションを付与することもし得る、第2のディスクリプション情報を生成することができる。稼働サイトにある冗長化管理モジュール120は、冗長サイトにある冗長化管理モジュール121に第2のディスクリプション情報を送信することができる。冗長サイトにある冗長化管理モジュール121は、冗長サイトにあるクラウド管理モジュール115に第2のディスクリプション情報を登録する、その結果、冗長サイトにあるクラウド管理モジュール115は、第2のディスクリプション情報に従って冗長サイトに完全に要冗長化クラウドアプリケーションを復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定および復旧を実施して、仮想マシン単位に基づいた冗長化に起因する起こり得る問題であって、クラウドアプリケーションを完全かつ迅速に復旧することができないという、問題を回避している。
【０３２６】
冗長化インシデントが稼働サイトにおいて生じた際の設定情報に従って冗長サイトにある要冗長化クラウドアプリケーションを復旧するために、本発明の実施形態において提供される冗長化システムは、冗長サイトにおいて稼働サイトの要冗長化クラウドアプリケーションを設定するために使用される。図1(c)に示したように、システムは、稼働サイトにあるクラウド管理モジュール105、稼働サイトにある冗長化管理モジュール120、冗長サイトにあるクラウド管理モジュール115、および冗長サイトにある冗長化管理モジュール121を備える。
【０３２７】
稼働サイトにあるクラウド管理モジュール105は、要冗長化クラウドアプリケーションの第1のディスクリプション情報であって、要冗長化クラウドアプリケーションによって稼働サイトにおいて使用されているソースネットワークに関する情報および要冗長化クラウドアプリケーションによって稼働サイトにおいて使用されているソース仮想マシンに関する情報を含む、第1のディスクリプション情報を記録するように構成される。
【０３２８】
稼働サイトにある冗長化管理モジュール120は、稼働サイトにあるクラウド管理モジュール105から要冗長化クラウドアプリケーションの第1のディスクリプション情報を取得して、冗長サイトにある冗長化管理モジュール121に第1のディスクリプション情報を送信するように構成される。
【０３２９】
冗長サイトにある冗長化管理モジュール121は、稼働サイトにある冗長化管理モジュール120によって送信された第1のディスクリプション情報を受信して、第1のディスクリプション情報に従って、要冗長化クラウドアプリケーションの第2のディスクリプション情報であって、要冗長化クラウドアプリケーションによって冗長サイトにおいて使用されているバックアップネットワークに関する情報、および要冗長化クラウドアプリケーションによって冗長サイトにおいて使用されているバックアップ仮想マシンに関する情報を含む、第2のディスクリプション情報を生成して、冗長サイトにあるクラウド管理モジュール115に第2のディスクリプション情報を登録するように構成される。
【０３３０】
冗長サイトにあるクラウド管理モジュール115は、登録情報であって、第2のディスクリプション情報を伝達する、登録情報を受信して、第2のディスクリプション情報に従って冗長サイトにある要冗長化クラウドアプリケーションを復旧するように構成される。
【０３３１】
本発明の実施形態において、冗長サイトにある冗長化管理モジュール121は、稼働サイトにある冗長化管理モジュール120から第1のディスクリプション情報であって、要冗長化クラウドアプリケーションによって稼働サイトにおいて使用されているソース仮想マシンに関する情報を含むだけでなく、要冗長化クラウドアプリケーションによって稼働サイトにおいて使用されているソースネットワークに関する情報も含む、第1のディスクリプション情報を取得することができる。要冗長化クラウドアプリケーションに関する全ディスクリプションを付与する第1のディスクリプション情報に基づいて、冗長サイトにある要冗長化クラウドアプリケーションの第2のディスクリプション情報であって、冗長サイトにある要冗長化クラウドアプリケーションのデプロイメントに関する全ディスクリプションを付与することもし得る、第2のディスクリプション情報を生成することができる。冗長サイトにある冗長化管理モジュール121は、冗長サイトにあるクラウド管理モジュール115に第2のディスクリプション情報を登録することができる、その結果、冗長サイトにあるクラウド管理モジュール115は、第2のディスクリプション情報に従って冗長サイトに完全に要冗長化クラウドアプリケーションを復旧することができる、それによって、クラウドアプリケーションに基づいた冗長化を実施している。従来技術における仮想マシン単位に基づいた冗長化の様式とは異なり、本発明の実施形態は、アプリケーションレベルで冗長化に関する設定および復旧を実施して、仮想マシン単位に基づいた冗長化に起因する起こり得る問題であって、クラウドアプリケーションを完全かつ迅速に復旧することができないという、問題を回避している。
【０３３２】
図25は、本発明の実施形態による冗長化装置の概略構造図である。本発明の実施形態によって提供される冗長化装置は、
プロセッサ2501、メモリ2502、システムバス2504、および通信インターフェース2505を備えていてもよい。プロセッサ2501、メモリ2502、および通信インターフェース2505は、システムバス2504を使用して接続されており、互いに通信している。
【０３３３】
プロセッサ2501は、単一のコアまたはマルチコア中央処理ユニット、または特定の集積回路であってもよいし、または本発明の実施形態を実施する1つのまたは複数の集積回路であるように構成される。
【０３３４】
メモリ2502は、高速RAMメモリまたは不揮発性メモリ(non-volatile memory)、例えば、少なくとも1つのディスクメモリであってもよい。
【０３３５】
メモリ2502は、コンピュータ実行可能命令2503を記憶するように構成される。特に、コンピュータ実行可能命令2503は、プログラムコードを含んでいてもよい。
【０３３６】
冗長化装置が起動すると、プロセッサ2501はコンピュータ実行可能命令2503を実行して、図2から図5のうちのいずれか1つに記載の方法フローまたは図7から図17のうちのいずれか1つに記載の方法フローを実行し得る。
【０３３７】
本発明の態様または態様の可能な実施様態がシステム、方法、またはコンピュータプログラム製品として特に実装されてもよいことを、当業者は理解されよう。したがって、本発明の態様または態様の可能な実施形態は、本明細書において「回路」、「モジュール」、または「システム」と一様に称されている、すべてのハードウェア、すべてのソフトウェア(ファームウェア、常駐ソフトウェアなどを含む)、またはソフトウェアおよびハードウェアの組合せの形式で実装されてもよい。さらに、本発明の態様または態様の可能な実施形態は、コンピュータプログラム製品の形式で実装されてもよい、ここで、コンピュータプログラム製品は、コンピュータ可読媒体に記憶されているコンピュータ可読プログラムコードを指す。
【０３３８】
コンピュータ可読媒体は、コンピュータ可読シグナルメディアまたはコンピュータ可読記憶媒体であり得る。コンピュータ可読記憶媒体は、ランダムアクセスメモリ(RAM)、リードオンリーメモリ(ROM)、消去可能プログラマブルリードオンリーメモリ(EPROMまたはフラッシュメモリ)、光ファイバ、およびポータブルリードオンリーメモリ(CD-ROM)などの、電子、磁気、光、電磁気、赤外線、または半導体システム、デバイス、または装置、または任意の適切な組合せを含むがそれらに限定されない。
【０３３９】
プロセッサがフローチャートのステップまたはステップの組合せに指定されている機能および動作を実行するとともにブロック図のブロックまたはブロックの組合せに指定されている機能および動作を実施するように構成される装置を生成することができるように、コンピュータのプロセッサは、コンピュータ可読媒体に記憶されているコンピュータ可読プログラムコードを読み込む。
【０３４０】
コンピュータ可読プログラムコードを、ユーザコンピュータ上で全面的に実行してもよいし、別個のソフトウェアパッケージとして使用されるユーザコンピュータ上で部分的に実行してもよいし、ユーザコンピュータ上で部分的に実行するとともにリモートコンピュータ上で部分的に実行してもよいし、またはリモートコンピュータまたはサーバ上で全面的に実行してもよい。ある別の実施形態解決手法においては、フローチャートのステップまたはブロック図のブロックに示した機能が図に示した順番に従って行わなくてもよいことにも留意すべきである。例えば、関連機能に応じて、連続して記載した2つのステップまたは2つのブロックを実際には並行して実行してもよいし、またはこれらのブロックを時には逆の順番で実行してもよい。
【０３４１】
本明細書に開示した実施形態に記載の例示の組合せにおいて、ユニットおよびアルゴリズムのステップが電子機器またはコンピュータソフトウェアおよび電子機器の組合せによって実装されてもよいことを、当業者は承知していよう。機能をハードウェアによって実行するかソフトウェアによって実行するかは、特定の適用および技術的解決手法の設計制約条件に依存する。当業者が特定の適用の各々について記載した機能を実施するために異なる方法を用いてもよく、そのような実施形態が本発明の範囲を逸脱していると見なすべきではない。
【０３４２】
前述の記載は、特定の本発明の実施形態にすぎないが、本発明の保護範囲を限定することを意図したものではない。本発明に開示の技術的範囲において当業者が容易に想到する任意の変形または置換は、本発明の保護範囲に含まれるものとする。したがって、本発明の保護範囲は、特許請求の範囲の保護範囲に従うものとする。
【符号の説明】
【０３４３】
100  稼働サイト
101  データセンタ
102  ストレージノード
103  コンピューティングノード
104  仮想化モジュール
105  クラウド管理モジュール
106  ストレージ管理ソフトウェア
107  クラウド管理インターフェース
110  冗長サイト
111  データセンタ
112  ストレージノード
113  コンピューティングノード
114  仮想化モジュール
115  クラウド管理モジュール
116  ストレージ管理ソフトウェア
117  クラウド管理インターフェース
120  稼働サイトにある冗長化管理モジュール
121  冗長サイトにある冗長化管理モジュール
1701  取得ユニット
1702  生成ユニット
1703  送信ユニット
1801  取得ユニット
1802  登録ユニット
1901  取得ユニット
1902  復旧ユニット
2000  冗長化管理装置
2001  取得ユニット
2002  生成ユニット
2003  送信ユニット
2004  稼働サイトにあるクラウド管理装置
2005  冗長サイトにあるクラウド管理装置
2100  稼働サイトにあるクラウド管理装置
2101  取得ユニット
2102  生成ユニット
2103  送信ユニット
2104  冗長サイトにあるクラウド管理装置
2200  稼働サイトにある冗長化管理装置
2201  取得ユニット
2202  生成ユニット
2203  送信ユニット
2204  稼働サイトにあるクラウド管理装置
2205  冗長サイトにある冗長化管理装置
2206  冗長サイトにあるクラウド管理装置
2300  冗長サイトにある冗長化管理装置
2301  取得ユニット
2302  登録ユニット
2303  稼働サイトにあるクラウド管理装置
2304  稼働サイトにある冗長化管理装置
2305  冗長サイトにあるクラウド管理装置
2401  決定ユニット
2402  復旧ユニット
2402a  第1の復旧ユニット
2402b  第2の復旧ユニット
2402c  第3の復旧ユニット
2403  停止ユニット
2500  コンピュータ
2501  プロセッサ
2502  メモリ
2503  プログラム
2504  通信バス
2505  通信インターフェース
【図１（ａ）】
2018077880.tif 000005
【図１（ｂ）】
2018077880.tif 000006
【図１（ｃ）】
2018077880.tif 000007
【図２】
2018077880.tif 000008
【図３】
2018077880.tif 000009
【図４】
2018077880.tif 000010
【図５】
2018077880.tif 000011
【図６】
2018077880.tif 000012
【図７】
2018077880.tif 000013
【図８】
2018077880.tif 000014
【図９】
2018077880.tif 000015
【図１０】
2018077880.tif 000016
【図１１】
2018077880.tif 000017
【図１２】
2018077880.tif 000018
【図１３】
2018077880.tif 000019
【図１４】
2018077880.tif 000020
【図１５】
2018077880.tif 000021
【図１６】
2018077880.tif 000022
【図１７】
2018077880.tif 000023
【図１８】
2018077880.tif 000024
【図１９】
2018077880.tif 000025
【図２０】
2018077880.tif 000026
【図２１】
2018077880.tif 000027
【図２２】
2018077880.tif 000028
【図２３】
2018077880.tif 000029
【図２４】
2018077880.tif 000030
【図２５】
2018077880.tif 000031
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
クラウドアプリケーションの冗長化のための方法であって、
要冗長化クラウドアプリケーションのディスクリプション情報を取得するステップであって、前記ディスクリプション情報は、前記要冗長化クラウドアプリケーションによって冗長サイトにおいて使用されているバックアップネットワークに関する情報および前記要冗長化クラウドアプリケーションによって前記冗長サイトにおいて使用されているバックアップ仮想マシンに関する情報を含み、前記バックアップ仮想マシンに関する前記情報は、前記バックアップ仮想マシンの仮想ネットワークアダプタと前記バックアップネットワークとの間の関連付けを含む、ステップと、
前記バックアップネットワークに関する前記情報に従って前記バックアップネットワークを作成するステップと、
前記バックアップ仮想マシンに関する前記情報に従って前記バックアップ仮想マシンを作成するステップと、
前記バックアップ仮想マシンの前記仮想ネットワークアダプタと前記バックアップネットワークとの間の前記関連付けに従って前記バックアップネットワークと前記バックアップ仮想マシンを関連付けるステップとを含み、
前記要冗長化クラウドアプリケーションによって前記冗長サイトにおいて使用されている前記バックアップ仮想マシンに関する前記情報は、識別子、前記バックアップ仮想マシンの仕様、および前記バックアップ仮想マシンによって前記冗長サイトにおいて占有されている第2のストレージユニットに関する情報をさらに含み、
前記バックアップネットワークに関する前記情報に従って前記バックアップネットワークを作成するステップは、前記冗長サイトにある仮想化モジュールに仮想化ネットワーク作成コマンドを送信するステップを含み、
前記仮想化ネットワーク作成コマンドは、前記冗長サイトにある前記仮想化モジュールが、
前記仮想化ネットワーク作成コマンドに従って、前記要冗長化クラウドアプリケーションによって使用される仮想スイッチを決定し、
前記仮想スイッチのポートグループのために前記バックアップネットワークに関する前記情報を構成することができるように、前記バックアップネットワークに関する前記情報を伝達する、方法。
【請求項２】
前記仮想化ネットワーク作成コマンドは、前記冗長サイトにある前記仮想化モジュールが、前記第2のストレージユニットに関する前記情報に従って、前記要冗長化クラウドアプリケーションによって使用される前記仮想スイッチを決定することができるように、前記第2のストレージユニットに関する前記情報をさらに伝達する、請求項1に記載の方法。
【請求項３】
前記バックアップネットワークに関する前記情報に従って前記バックアップネットワークを作成するステップの後に、前記方法は、
前記冗長サイトにある前記仮想化モジュールから前記バックアップネットワークと前記仮想スイッチの前記ポートグループとの間の第1の対応付けを取得するステップと、
前記バックアップネットワークに関する前記情報と前記仮想スイッチの前記ポートグループとの間の第2の対応付けを記録するステップとをさらに含む、請求項1に記載の方法。
【請求項４】
前記識別子、前記バックアップ仮想マシンの前記仕様、および前記第2のストレージユニットに関する前記情報に従って前記バックアップ仮想マシンを作成するステップは、前記冗長サイトにある前記仮想化モジュールに仮想マシンを作成するためのコマンドを送信するステップを含み、前記仮想マシンを作成するための前記コマンドは、前記識別子、前記バックアップ仮想マシンの前記仕様、および前記第2のストレージユニットに関する前記情報を伝達し、前記バックアップ仮想マシンおよび前記バックアップ仮想マシンの仮想ネットワークアダプタを作成するように前記冗長サイトにある前記仮想化モジュールに指示する、請求項3に記載の方法。
【請求項５】
前記バックアップ仮想マシンの前記仮想ネットワークアダプタと前記バックアップネットワークとの間の前記関連付けに従って前記バックアップネットワークと前記バックアップ仮想マシンを関連付けるステップは、
前記バックアップ仮想マシンの前記仮想ネットワークアダプタと前記バックアップネットワークとの間の前記関連付けおよび前記バックアップネットワークに関する前記情報と前記仮想スイッチの前記ポートグループとの間の前記対応付けに従って前記バックアップ仮想マシンの前記仮想ネットワークアダプタと前記仮想スイッチの前記ポートグループとの間の対応付けを決定するステップと、
前記バックアップ仮想マシンの前記仮想ネットワークアダプタと前記仮想スイッチの前記ポートグループとの間の前記対応付けに従って、前記仮想スイッチの前記ポートグループと前記バックアップ仮想マシンの前記仮想ネットワークアダプタを関連付けるように前記冗長サイトにある前記仮想化モジュールに指示するステップとをさらに含む、請求項4に記載の方法。
【請求項６】
前記要冗長化クラウドアプリケーションの前記ディスクリプション情報を取得するステップは、前記ディスクリプション情報を伝達する、登録情報を受信するステップを含む、請求項1に記載の方法。
【請求項７】
前記要冗長化クラウドアプリケーションの前記冗長サイトにおける前記ディスクリプション情報を取得するステップは、
稼働サイトにおける前記要冗長化クラウドアプリケーションのディスクリプション情報を取得するステップと、
前記稼働サイトにおける前記ディスクリプション情報に従って前記冗長サイトにおける前記ディスクリプション情報を生成するステップとを含み、
前記稼働サイトにおける前記ディスクリプション情報は、前記要冗長化クラウドアプリケーションによって前記稼働サイトにおいて使用されているソースネットワークに関する情報および前記要冗長化クラウドアプリケーションによって前記稼働サイトにおいて使用されているソース仮想マシンに関する情報を含む、請求項1に記載の方法。
【請求項８】
冗長化装置であって、
プロセッサと、
メモリと、
バスと、
通信インターフェースとを備え、
前記メモリは、コンピュータ実行可能命令を記憶するように構成され、
前記プロセッサは、前記バスを使用して前記メモリに接続され、
前記冗長化装置が起動すると、前記プロセッサは、前記冗長化装置が、
要冗長化クラウドアプリケーションのディスクリプション情報を取得することであって、前記ディスクリプション情報は、前記要冗長化クラウドアプリケーションによって冗長サイトにおいて使用されているバックアップネットワークに関する情報および前記要冗長化クラウドアプリケーションによって前記冗長サイトにおいて使用されているバックアップ仮想マシンに関する情報を含み、前記バックアップ仮想マシンに関する前記情報は、前記バックアップ仮想マシンの仮想ネットワークアダプタと前記バックアップネットワークとの間の関連付けを含む、取得することと、
前記冗長サイトにある仮想化モジュールに仮想化ネットワーク作成コマンドを送信することであって、前記仮想化ネットワーク作成コマンドは、前記冗長サイトにある前記仮想化モジュールが、前記仮想化ネットワーク作成コマンドに従って、前記要冗長化クラウドアプリケーションによって使用される仮想スイッチを決定し、前記仮想スイッチのポートグループのために前記バックアップネットワークに関する前記情報を構成することができるように、前記バックアップネットワークに関する前記情報を伝達する、送信することと、
前記バックアップ仮想マシンに関する前記情報に従って前記バックアップ仮想マシンを作成することと、
前記バックアップ仮想マシンの前記仮想ネットワークアダプタと前記バックアップネットワークとの間の前記関連付けに従って前記バックアップネットワークと前記バックアップ仮想マシンを関連付けることと
を実行するように、前記メモリに記憶されている前記コンピュータ実行可能命令を実行し、
前記要冗長化クラウドアプリケーションによって前記冗長サイトにおいて使用されている前記バックアップ仮想マシンに関する前記情報は、識別子、前記バックアップ仮想マシンの仕様、および前記バックアップ仮想マシンによって前記冗長サイトにおいて占有されている第2のストレージユニットに関する情報をさらに含む、装置。
【請求項９】
前記仮想化ネットワーク作成コマンドは、前記冗長サイトにある前記仮想化モジュールが、前記第2のストレージユニットに関する前記情報に従って、前記要冗長化クラウドアプリケーションによって使用される前記仮想スイッチを決定することができるように、前記第2のストレージユニットに関する前記情報をさらに伝達する、請求項8に記載の装置。
【請求項１０】
前記プロセッサは、前記冗長化装置が、
前記冗長サイトにある前記仮想化モジュールから前記バックアップネットワークと前記仮想スイッチの前記ポートグループとの間の第1の対応付けを取得することと、
前記バックアップネットワークに関する前記情報と前記仮想スイッチの前記ポートグループとの間の第2の対応付けを記録することと
をさらに実行するように、前記メモリに記憶されている前記コンピュータ実行可能命令を実行する、請求項8に記載の装置。
【請求項１１】
前記プロセッサは、前記冗長化装置が、前記冗長サイトにある前記仮想化モジュールに仮想マシンを作成するためのコマンドを送信することをさらに実行するように、前記メモリに記憶されている前記コンピュータ実行可能命令を実行し、前記仮想マシンを作成するための前記コマンドは、前記識別子、前記バックアップ仮想マシンの前記仕様、および前記第2のストレージユニットに関する前記情報を伝達し、前記仮想マシンを作成するための前記コマンドは、前記バックアップ仮想マシンおよび前記バックアップ仮想マシンの仮想ネットワークアダプタを作成するように前記冗長サイトにある前記仮想化モジュールに指示する、請求項10に記載の装置。
【請求項１２】
前記プロセッサは、前記冗長化装置が、
前記バックアップ仮想マシンの前記仮想ネットワークアダプタと前記バックアップネットワークとの間の前記関連付けおよび前記バックアップネットワークに関する前記情報と前記仮想スイッチの前記ポートグループとの間の前記対応付けに従って前記バックアップ仮想マシンの前記仮想ネットワークアダプタと前記仮想スイッチの前記ポートグループとの間の対応付けを決定することと、
前記バックアップ仮想マシンの前記仮想ネットワークアダプタと前記仮想スイッチの前記ポートグループとの間の前記対応付けに従って、前記仮想スイッチの前記ポートグループと前記バックアップ仮想マシンの前記仮想ネットワークアダプタを関連付けるように前記冗長サイトにある前記仮想化モジュールに指示することと
をさらに実行するように、前記メモリに記憶されている前記コンピュータ実行可能命令を実行する、請求項11に記載の装置。
【請求項１３】
前記プロセッサは、前記冗長化装置が、前記ディスクリプション情報を伝達する、登録情報を受信することをさらに実行するように、前記メモリに記憶されている前記コンピュータ実行可能命令を実行する、請求項8に記載の装置。
【請求項１４】
前記プロセッサは、前記冗長化装置が、
稼働サイトにおける前記要冗長化クラウドアプリケーションのディスクリプション情報を取得することと、
前記稼働サイトにおける前記ディスクリプション情報に従って前記冗長サイトにおける前記ディスクリプション情報を生成することと
をさらに実行するように、前記メモリに記憶されている前記コンピュータ実行可能命令を実行し、
前記稼働サイトにおける前記ディスクリプション情報は、前記要冗長化クラウドアプリケーションによって前記稼働サイトにおいて使用されているソースネットワークに関する情報および前記要冗長化クラウドアプリケーションによって前記稼働サイトにおいて使用されているソース仮想マシンに関する情報を含む、請求項8に記載の装置。
【外国語明細書】
2018077880000001.pdf